(57)【要約】  本発明の実施形態は、ビームトレーニングシーケンスの設計方法及び装置を開示する。方法は、送信端により、ＮＴ個のビームトレーニングシーケンスを生成する段階であって、各ビームトレーニングシーケンスは、２×Ｎ×Ｌの長さを有するゴレイシーケンス予備サイクリックプレフィックスを含み、ＮＴ個のゴレイシーケンスは直交しており、ＮＴは送信端におけるアンテナの数であり、Ｌは、チャネルの最大遅延ＴＭに対応する信号の長さであり、ＮＴは正の整数であり、Ｎは正の整数であり、Ｌは正の整数であり、サイクリックプレフィックスの長さはＬである、段階と、送信端により、送信端におけるＮＴ個の送信アンテナを用いることにより、ＮＴ個のビームトレーニングシーケンスを受信端に送信する段階であって、各送信アンテナは、対応するビームトレーニングシーケンスを送信する、段階とを含む。したがって、本発明の実施形態におけるビームトレーニングシーケンスの設計方法は、もはやアンテナの数、チャネルの遅延拡散値及びマルチチャネルボンディングなどのシナリオに制限されることはなく、ビームトレーニングシーケンスは、様々なチャネルシナリオ構成を適用可能とすることができる。
2019525543.tif 000002
【特許請求の範囲】
【請求項１】
ビームトレーニングシーケンスの設計方法であって、
送信端により、ＮＴ個のビームトレーニングシーケンスを生成する段階であって、各ビームトレーニングシーケンスは、２×Ｎ×Ｌの長さを有するゴレイＧｏｌａｙシーケンスと、サイクリックプレフィックスとを有し、前記ＮＴ個のゴレイシーケンスは直交しており、ＮＴは前記送信端におけるアンテナの数であり、Ｌは、チャネルの最大遅延Ｔｍに対応する信号の長さであり、ＮＴは正の整数であり、Ｎは正の整数であり、Ｌは正の整数であり、前記サイクリックプレフィックスの長さはＬである、段階と、
前記送信端により、前記送信端における前記ＮＴ個の送信アンテナを用いることにより、前記ＮＴ個のビームトレーニングシーケンスを受信端に送信する段階であって、各送信アンテナは、対応するビームトレーニングシーケンスを送信する、段階と
を備える方法。
【請求項２】
送信端により、ＮＴ個のビームトレーニングシーケンスを生成する前記段階は、
前記送信端により、予め設定されたゴレイＧｏｌａｙ相補シーケンス生成方式で長さＬを有するゴレイ相補シーケンスのＭ個のペアを生成する段階であって、長さＬを有するゴレイ相補シーケンスの前記Ｍ個のペアのそれぞれは、長さＬを有する２つのゴレイ相補シーケンスを有し、Ｍは正の整数である、段階と、
前記送信端により、長さＬを有するゴレイ相補シーケンスの前記Ｍ個のペアに基づいて、２×Ｎ×Ｌの長さを有するＮＴ個の直交ゴレイシーケンスを取得する段階であって、Ｍの値は、ＮＴの値より大きい又はＮＴの値に等しい、段階と、
前記送信端により、２×Ｎ×Ｌの長さを有する前記ＮＴ個の直交ゴレイシーケンスのそれぞれの前に、長さＬを有する前記サイクリックプレフィックスを加え、ＮＴ個のアンテナを有する前記チャネルに適用されるビームトレーニングシーケンスを取得する段階と
を有する、請求項１に記載の方法。
【請求項３】
前記送信端により、長さＬを有するゴレイ相補シーケンスの前記Ｍ個のペアに基づいて、２×Ｎ×Ｌの長さを有するＮＴ個の直交ゴレイシーケンスを取得する前記段階は、
前記送信端により、長さＬを有するゴレイ相補シーケンスの前記Ｍ個のペアから、長さＬを有するゴレイ相補シーケンスのＮＴ個のペアを取得する段階と、
前記送信端により、第１の予め設定された方式でＮ回、長さＬを有するゴレイ相補シーケンスの前記ＮＴ個のペアのそれぞれを繰り返し交互に配置して、２×Ｎ×Ｌの長さを有する前記ＮＴ個の直交ゴレイシーケンスを取得する段階と
を有する、請求項２に記載の方法。
【請求項４】
前記送信端により、長さＬを有するゴレイ相補シーケンスの前記Ｍ個のペアに基づいて、２×Ｎ×Ｌの長さを有するＮＴ個の直交ゴレイシーケンスを取得する前記段階は、
前記送信端により、長さＬを有するゴレイ相補シーケンスの前記Ｍ個のペアから、長さＬを有するゴレイ相補シーケンスの
【数１２５】
2019525543.tif 000127
個のペアを取得する段階と、
前記送信端により、第２の予め設定された方式でＮ回、長さＬを有するゴレイ相補シーケンスの前記
【数１２６】
2019525543.tif 000128
個のペアのそれぞれを繰り返し交互に配置し、前記繰り返し交互に配置した後に取得したシーケンスに予め設定された直交行列を乗算して、２×Ｎ×Ｌの長さを有する前記ＮＴ個の直交ゴレイシーケンスを取得する段階であって、前記予め設定された直交行列は、２×Ｎ次の直交行列である、段階と
を有する、請求項２に記載の方法。
【請求項５】
前記チャネルの前記最大遅延Ｔｍに対応する前記信号の長さＬは、
【数１２７】
2019525543.tif 000129
であり、Ｒｓは、前記チャネルのシンボルレートである、請求項２から４のいずれか一項に記載の方法。
【請求項６】
前記サイクリックプレフィックスはゴレイシーケンスである、請求項１から５のいずれか一項に記載の方法。
【請求項７】
メモリ、プロセッサ及びＮＴ個の送信アンテナを備えるビームトレーニングシーケンスの設計装置であって、
前記メモリは、プログラム命令を格納するように構成され、前記プロセッサは、前記メモリ内の前記プログラム命令を呼び出して、
ＮＴ個のビームトレーニングシーケンスを生成する手順であって、各ビームトレーニングシーケンスは、２×Ｎ×Ｌの長さを有するゴレイＧｏｌａｙシーケンスと、サイクリックプレフィックスとを有し、前記ＮＴ個のゴレイシーケンスは直交し、ＮＴは送信端におけるアンテナの数であり、Ｌは、チャネルの最大遅延Ｔｍに対応する信号の長さであり、ＮＴは正の整数であり、Ｎは正の整数であり、Ｌは正の整数であり、サイクリックプレフィックスの長さはＬである、手順と、
前記送信端における前記ＮＴ個の送信アンテナを用いることにより、前記ＮＴ個のビームトレーニングシーケンスを受信端に送信する手順であって、各送信アンテナは、対応するビームトレーニングシーケンスを送信する、手順と
を実行するように構成される、装置。
【請求項８】
前記プロセッサは、具体的には、
予め設定されたゴレイＧｏｌａｙ相補シーケンス生成方式で長さＬを有するゴレイ相補シーケンスのＭ個のペアを生成し、長さＬを有するゴレイ相補シーケンスの前記Ｍ個のペアのそれぞれは、長さＬを有する２つのゴレイ相補シーケンスを有し、Ｍは正の整数である、手順と、
長さＬを有するゴレイ相補シーケンスの前記Ｍ個のペアに基づいて、２×Ｎ×Ｌの長さを有するＮＴ個の直交ゴレイシーケンスを取得し、Ｍの値は、ＮＴの値より大きい又はＮＴの値に等しい、手順と、
２×Ｎ×Ｌの長さを有する前記ＮＴ個の直交ゴレイシーケンスのそれぞれの前に、長さＬを有する前記サイクリックプレフィックスを加えて、ＮＴ個アンテナを有する前記チャネルに適用されるビームトレーニングシーケンスを取得する
ように構成される、請求項７に記載の装置。
【請求項９】
前記プロセッサは、具体的には、
長さＬを有するゴレイ相補シーケンスの前記Ｍ個のペアから、長さＬを有するゴレイ相補シーケンスのＮＴ個のペアを取得し、
第１の予め設定された方式でＮ回、長さＬを有するゴレイ相補シーケンスの前記ＮＴ個のペアのそれぞれを繰り返し交互に配置して、２×Ｎ×Ｌの長さを有する前記ＮＴ個の直交ゴレイシーケンスを取得する
ように構成される、請求項８に記載の装置。
【請求項１０】
前記プロセッサは、具体的には、
長さＬを有するゴレイ相補シーケンスの前記Ｍ個のペアから長さＬを有するゴレイ相補シーケンスの
【数１２８】
2019525543.tif 000130
個のペアを取得し、
第２の予め設定された方式でＮ回、長さＬを有するゴレイ相補シーケンスの前記
【数１２９】
2019525543.tif 000131
個のペアのそれぞれを繰り返し交互に配置し、前記繰り返し交互に配置した後に取得したシーケンスに予め設定された直交行列を乗算して、２×Ｎ×Ｌの長さを有する前記ＮＴ個の直交ゴレイシーケンスを取得する
ように構成され、
前記予め設定された直交行列は、２×Ｎ次の直交行列である、請求項８に記載の装置。
【請求項１１】
前記チャネルの前記最大遅延Ｔｍに対応する前記信号の長さＬは、
【数１３０】
2019525543.tif 000132
であり、Ｒｓは、前記チャネルのシンボルレートである、請求項７から１０のいずれか一項に記載の装置。
【請求項１２】
前記サイクリックプレフィックスはゴレイシーケンスである、請求項７から１１のいずれか一項に記載の装置。
【発明の詳細な説明】
【技術分野】
【０００１】
本願は、２０１６年６月３０日付けに中国特許庁に出願され、「ビームトレーニングシーケンスの設計方法及び装置」と題するＣＮ特許出願第２０１６１０５１２５３７．５号に対する優先権を主張し、その全体が参照により本明細書に組み込まれる。
【０００２】
本発明は、通信分野、特に、ビームトレーニングシーケンスの設計方法及び装置に関する。
【背景技術】
【０００３】
ビームフォーミングトレーニングでは、１又は複数のアンテナが送信端と受信端との間に構成され、これにより、送信端と受信端との間でビームトレーニングシーケンスを送信して、送信端と受信端との間の通信チャネル上でチャネル推定を実行し、次に、チャネル推定の結果を用いることにより、通信チャネルの通信性能が判定される。
【０００４】
ビームフォーミングトレーニングでは、異なるビームトレーニングシーケンスが、異なる通信チャネルシナリオ（例えば、通信チャネルの異なる最大遅延拡散、バインドチャネルの異なる数及びアンテナの異なる数に対応する異なるシナリオ）においてビームフォーミングトレーニングを実行するために用いられる必要がある。しかしながら、既存のビームトレーニングシーケンスの設計方法は、非常に限られた通信チャネルシナリオにしか適用可能ではなく、通信システムにおける様々な通信チャネルトレーニングの要件を満たすことができない。結果的に、現行のビームトレーニングシーケンスの設計方法には制限がある。
【発明の概要】
【０００５】
本発明の実施形態は、ビームトレーニングシーケンスの設計方法及び装置を提供し、その結果、ビームトレーニングシーケンスが異なるシナリオにおいて構成された様々な通信チャネルに適用され得る。
【０００６】
第１態様によれば、本発明の実施形態は、ビームトレーニングシーケンスの設計方法を提供し、送信端により、ＮＴ個のビームトレーニングシーケンスを生成する段階であって、各ビームトレーニングシーケンスは、２×Ｎ×Ｌの長さを有するゴレイシーケンスと、サイクリックプレフィックスとを含み、ＮＴ個のゴレイシーケンスは直交しており、ＮＴは送信端におけるアンテナの数であり、Ｌは、チャネルの最大遅延Ｔｍに対応する信号の長さであり、ＮＴは正の整数であり、Ｎは正の整数であり、Ｌは正の整数であり、サイクリックプレフィックスの長さはＬである、段階と、送信端により、送信端におけるＮＴ個の送信アンテナを用いることにより、ＮＴ個のビームトレーニングシーケンスを受信端に送信する段階であって、各送信アンテナは、対応するビームトレーニングシーケンスを送信する、段階とを含む。
【０００７】
このことは、ビームトレーニングシーケンスが先述の条件を満たすのであれば、ビームトレーニングシーケンスは、もはやアンテナの数、チャネルの遅延拡散値、及び、マルチチャネルボンディングなどのシナリオにより制限されることはなく、その結果、ビームトレーニングシーケンスは、様々なチャネルシナリオ構成に適用可能とすることができるということを実現する。
【０００８】
任意に、送信端により、ＮＴ個のビームトレーニングシーケンスを生成する段階は、
送信端により、予め設定されたゴレイＧｏｌａｙ相補シーケンス生成方式で長さＬを有するゴレイ相補シーケンスのＭ個のペアを生成する段階であって、長さＬを有するゴレイ相補シーケンスのＭ個のペアは、有限体ＺＨフィールドにおいて規定され、長さＬを有するゴレイ相補シーケンスのＭ個のペアのそれぞれは、長さＬを有する２つのゴレイ相補シーケンスを含み、Ｌは、チャネルの最大遅延Ｔｍに対応する信号の長さであり、Ｍ及びＬは共に正の整数であり、ＺＨフィールドはＨ次元エリアである、段階と、
送信端により、長さＬを有するゴレイ相補シーケンスのＭ個のペアに基づいて、２×Ｎ×Ｌの長さを有するＮＴ個の直交ゴレイシーケンスを取得する段階であって、ＮＴは送信端におけるアンテナの数であり、ＮＴは正の整数であり、Ｎは正の整数であり、Ｍの値は、ＮＴの値より大きい又はＮＴの値に等しい、段階と、
送信端により、２×Ｎ×Ｌの長さを有するＮＴ個の直交ゴレイシーケンスのそれぞれの前に、長さＬを有するサイクリックプレフィックスを加えて、ＮＴ個のアンテナを有するチャネルに適用されるビームトレーニングシーケンスを取得する段階と
を含む。
【０００９】
任意に、送信端により、長さＬを有するゴレイ相補シーケンスのＭ個のペアに基づいて、２×Ｎ×Ｌの長さを有するＮＴ個の直交ゴレイシーケンスを取得する段階は、
送信端により、長さＬを有するゴレイ相補シーケンスのＭ個のペアから、長さＬを有するゴレイ相補シーケンスのＮＴ個のペアを取得する段階と、
送信端により、第１の予め設定された方式でＮ回、長さＬを有するゴレイ相補シーケンスのＮＴ個のペアのそれぞれを繰り返し交互に配置して、２×Ｎ×Ｌの長さを有するＮＴ個の直交ゴレイシーケンスを取得する段階と
を含む。
【００１０】
２×Ｎ×Ｌの長さのＮＴ個の直交ゴレイシーケンスは、直交行列による乗算を通じて取得されてよく、Ｌは、チャネルの最大遅延Ｔｍに対応する信号の長さであり、長さＬを有するサイクリックプレフィックスは、ＮＴ個のアンテナを有するチャネルにおいてビームトレーニングを実行するために用いられるビームトレーニングシーケンスを取得するために、各ゴレイシーケンスの前に加えられ、その結果、ビームトレーニングシーケンスは、もはや、アンテナの数、チャネルの遅延拡散値、及び、マルチチャネルボンディングなどのシナリオにより制限されることがなくなり、様々なチャネルシナリオ構成に適用可能とすることができる。
【００１１】
任意に、送信端により、長さＬを有するゴレイ相補シーケンスのＭ個のペアに基づいて、２×Ｎ×Ｌの長さを有するＮＴ個の直交ゴレイシーケンスを取得する段階は、
送信端により、長さＬを有するゴレイ相補シーケンスのＭ個のペアから、長さＬを有するゴレイ相補シーケンスの
【数１】
2019525543.tif 000003
個のペアを取得する段階と、
送信端により、第２の予め設定された方式でＮ回、長さＬを有するゴレイ相補シーケンスの
【数２】
2019525543.tif 000004
個のペアのそれぞれを繰り返し交互に配置し、繰り返し交互に配置した後に取得したシーケンスに予め設定された直交行列を乗算して、２×Ｎ×Ｌの長さを有するＮＴ個の直交ゴレイシーケンスを取得する段階であって、予め設定された直交行列は、２×Ｎ次の直交行列である、段階と
を含む。
【００１２】
２×Ｎ×Ｌの長さを有するＮＴ個の直交ゴレイシーケンスは、直交行列による乗算を通じて取得されてよく、Ｌは、チャネルの最大遅延Ｔｍに対応する信号の長さであり、長さＬを有するサイクリックプレフィックスは、ＮＴ個のアンテナを有するチャネルにおいて、ビームトレーニングを実行するために用いられるビームトレーニングシーケンスを取得するために、各ゴレイシーケンスの前に加えられ、その結果、ビームトレーニングシーケンスは、もはや、アンテナの数、チャネルの遅延拡散値、及び、マルチチャネルボンディングなどのシナリオにより制限されることがなくなり、様々なチャネルシナリオ構成に適用可能とすることができる。
【００１３】
任意に、チャネルの最大遅延Ｔｍに対応する信号の長さＬは、
【数３】
2019525543.tif 000005
であり、Ｒｓは、チャネルのシンボルレートである。
【００１４】
任意に、チャネルのチャネル構成は、以下のチャネル構成のうちのいずれか一つを含む。
チャネルの最大遅延Ｔｍが７２ナノ秒である場合、Ｒｓが１．７６Ｇｂｉｔ／ｓであるようにチャネルボンディングＣＢ数は１であり、送信端におけるアンテナの数ＮＴは２、４又は８である。
チャネル構成は、チャネルの最大遅延Ｔｍであり、チャネルボンディングＣＢ数及び送信端におけるアンテナの数ＮＴは、以下のパラメータ値の任意の組み合わせである。
チャネルの最大遅延Ｔｍが７２ナノ秒又は３００ナノ秒である、
チャネルボンディングＣＢ数は１、２、３又は４であり、その結果、Ｒｓが１．７６Ｇｂｉｔ／ｓ、３．５２Ｇｂｉｔ／ｓ、５．２８Ｇｂｉｔ／ｓ又は７．０４ＧＢｉｔ／ｓである、及び
送信端におけるアンテナの数ＮＴが１、２、４又は８である。
【００１５】
任意に、サイクリックプレフィックスはゴレイシーケンスである。
【００１６】
第２態様によれば、本発明の実施形態は、ビームトレーニングシーケンスの設計装置を提供し、第１態様における方法を実行するように構成されるモジュールを含む。
【００１７】
第３態様によれば、本発明の実施形態あ、ビームトレーニングシーケンスの設計装置をさらに提供する。装置は、メモリ、プロセッサ及びＮＴ個の送信アンテナを含む。メモリは、プログラム命令を格納するように構成され、プロセッサは、第１態様において提供されるビームトレーニングの設計方法に対応する機能を実行する際にビームトレーニングシーケンスの設計装置をサポートするように構成される。
【００１８】
第４態様によれば、本発明は、コンピュータ記憶媒体を提供し、第３態様において提供されるネットワークエレメントにより用いられるコンピュータソフトウェア命令を格納するように構成される。コンピュータソフトウェア命令は、先述の態様を実行するために設計されたプログラムを含む。
【００１９】
本発明の実施形態において提供される技術的解決手段では、送信端は、ＮＴ個のビームトレーニングシーケンスを生成し、次に、送信端は、送信端におけるＮＴ個の送信アンテナを用いることにより、ＮＴ個のビームトレーニングシーケンスを受信端に送信し、受信端が、ＮＴ個のビームトレーニングシーケンスを受信した後に、受信端における各アンテナは、ＮＴ個のビームトレーニングシーケンスに基づいてチャネル推定を実行して、ＮＴ×１個のリンクのチャネル利得を取得することが認識され得る。各ビームトレーニングシーケンスは、２×Ｎ×Ｌの長さを有するゴレイシーケンスと、サイクリックプレフィックスとを含む。ＮＴ個のゴレイシーケンスは直交している。ＮＴは送信端におけるアンテナの数である。Ｌは、チャネルの最大遅延Ｔｍに対応する信号の長さである。ＮＴは正の整数である。Ｎは正の整数である。Ｌは正の整数である。このことは、ビームトレーニングシーケンスが先述の条件を満たすのであれば、ビームトレーニングシーケンスは、もはやアンテナの数、チャネルの遅延拡散値、及び、マルチチャネルボンディングなどのシナリオにより制限されることはなく、その結果、ビームトレーニングシーケンスは、様々なチャネルシナリオ構成に適用可能とすることができるということを実現する。
【図面の簡単な説明】
【００２０】
本発明の実施形態における、又は、従来技術における技術的解決手段をより明確に説明するために、以下では、実施形態又は従来技術を説明するのに必要とされる添付の図面を簡潔に説明する。以下の説明における添付の図面が単に本発明の一部の実施形態を示しているに過ぎず、当業者であれば、創造的な努力なしに、これらの添付の図面から他の図面をさらに導き出し得ることは明らかである。
【００２１】
【図１】本発明に係るシーケンスベースのチャネル推定方法の適用シナリオの概略図である。
【００２２】
【図２】本発明の実施形態に係るゴレイ相補シーケンスのペアの概略図である。
【００２３】
【図３−ａ】本発明の実施形態に係るビームトレーニングシーケンスのＢＲＰフレームの概略構造図である。
【００２４】
【図３−ｂ】本発明の実施形態に係るビームトレーニングシーケンスＴ／Ｒ構造の概略図である。
【００２５】
【図４】本発明の実施形態に係るビームトレーニングシーケンスの設計方法の第１実施形態の概略フローチャートである。
【００２６】
【図５】本発明の実施形態に係るビームトレーニングシーケンスの設計方法の第２実施形態の概略フローチャートである。
【００２７】
【図６−ａ】本発明の実施形態に係るビームトレーニングシーケンスの設計方法の第３実施形態の概略フローチャートである。
【００２８】
【図６−ｂ】本発明の実施形態に係るビームトレーニングシーケンスの第１の概略図である。
【００２９】
【図７−ａ】本発明の実施形態に係るビームトレーニングシーケンスの設計方法の第４実施形態の概略フローチャートである。
【００３０】
【図７−ｂ】本発明の実施形態に係るビームトレーニングシーケンスの第２の概略図である。
【００３１】
【図７−ｃ】本発明の実施形態に係るビームトレーニングシーケンスの第２の概略図である。
【００３２】
【図７−ｄ】本発明の実施形態に係るビームトレーニングシーケンスの第２の概略図である。
【００３３】
【図７−ｅ】本発明の実施形態に係るビームトレーニングシーケンスの第２の概略図である。
【００３４】
【図８】本発明の実施形態に係るビームトレーニングシーケンス装置の第１実施形態の概略構造図である。
【００３５】
【図９】本発明の実施形態に係るビームトレーニングシーケンス装置の第２実施形態の概略構造図である。
【発明を実施するための形態】
【００３６】
本発明の実施形態は、ビームトレーニングシーケンスの設計方法及び装置を提供し、その結果、ビームトレーニングシーケンスが、異なるシナリオにおいて構成された様々な通信チャネルに適用され得る。
【００３７】
当業者が本発明の技術的解決手段をより良く理解できるように、以下では、本発明の実施形態における添付の図面を参照して本発明の実施形態の技術的解決手段を明確かつ十分に説明する。説明される実施形態は、単に本発明の実施形態の一部に過ぎず、そのすべてでないことは明らかである。創造的な努力なく本発明の実施形態に基づいて当業者により得られる他のすべての実施形態が、本発明の保護範囲に含まれるものとする。
【００３８】
本発明の明細書、特許請求の範囲及び添付の図面において、「第１」、「第２」、「第３」などの用語は、異なる対象を区別することを目的としたものであるが、特定の順序を示すものではない。さらに、「含む」という用語又はこれらの任意の異綴語は、非排他的な包含をカバーすることを目的としたものである。例えば、一連の段階又はユニットを含む処理、方法、システム、製品又はデバイスは、列挙された段階又はユニットに限定されないが、任意に、列挙されていない段階又はユニットをさらに含み、又は、任意に、処理、方法、製品又はデバイスについての別の固有の段階又はユニットをさらに含む。
【００３９】
本発明の実施形態は、ビームトレーニングシーケンスの設計方法を提供し、当該方法は、
送信端により、ＮＴ個のビームトレーニングシーケンスを生成する段階であって、各ビームトレーニングシーケンスは、２×Ｎ×Ｌの長さを有するゴレイシーケンスと、サイクリックプレフィックスとを含み、ＮＴ個のゴレイシーケンスは直交しており、ＮＴは送信端におけるアンテナの数であり、Ｌは、チャネルの最大遅延Ｔｍに対応する信号の長さであり、ＮＴは正の整数であり、Ｎは正の整数であり、Ｌは正の整数である、段階と
送信端により、送信端におけるＮＴ個の送信アンテナを用いることにより、ＮＴ個のビームトレーニングシーケンスを受信端に送信する段階であって、各送信アンテナは、対応するビームトレーニングシーケンスを送信する、段階と
を含む。
【００４０】
本発明の本実施形態において、送信端は、アンテナの数、チャネルの最大遅延及びチャネルボンディング数に関連するビームトレーニングシーケンス、を生成し、その結果、本発明の本実施形態におけるビームトレーニングシーケンスの設計方法は、もはやアンテナの数、チャネルの遅延拡散値及びマルチチャネルボンディングなどのシナリオにより制限されることはなく、ビームトレーニングシーケンスは、様々なチャネルシナリオ構成に適用可能とすることができる。
【００４１】
まず、図１は、本発明に係るシーケンスベースのチャネル推定方法の適用シナリオの概略図である。本発明の本実施形態は、ＭＩＭＯマルチチャネル条件下でチャネル推定に適用可能とすることができ、シングルチャネル条件下でもチャネル推定に適用可能であってもよい。
【００４２】
図１に示されるＭＩＭＯシステムは、送信端及び受信端を含む。送信端及び受信端がそれぞれ２つのアンテナを含む例が用いられる。図１−ａを参照すると、送信端は、送信アンテナＭ‐１Ｔ及び送信アンテナＭ‐２Ｔを含み、受信端は、受信アンテナＭ‐１Ｒ及び受信アンテナＭ‐２Ｒを含む。
【００４３】
２つの送信アンテナと２つの受信アンテナとの間には、合計４つのチャネル、すなわち、１−１（Ｍ‐１ＴとＭ‐１Ｒとの間のチャネル）、１−２（Ｍ‐１ＴとＭ‐２Ｒとの間のチャネル）、２−１（Ｍ‐２ＴとＭ‐１Ｒとの間のチャネル）及び２−２（Ｍ‐２ＴとＭ‐２Ｒとの間のチャネル）がある。
【００４４】
ＭＩＭＯシステムにおいて、送信アンテナにより送信された信号がチャネルを通じて伝送された後に取得されるターゲット信号は、すべての受信アンテナにより受信され得る。例えば、Ｍ‐１Ｔは送信元信号を送信し、送信元信号が１‐１チャネルを通じて伝送された後に取得されるターゲット信号は、Ｍ‐１Ｒにより受信されてよく、送信元信号が１‐２チャネルを通じて伝送された後に取得されるターゲット信号は、Ｍ‐２Ｒにより受信されてよい。
【００４５】
図２は、本発明の実施形態に係るゴレイ相補シーケンスのペアの概略図である。図３−ａは、本発明の実施形態に係るビームトレーニングシーケンスのＢＲＰフレームの概略構造図である。図３−ｂは、本発明の実施形態に係るビームトレーニングシーケンスＴ／Ｒ構造の概略図である。
【００４６】
本発明の本実施形態において提供されるビームトレーニングシーケンス、Ｔ／Ｒシーケンス、は、ＩＥＥＥ  ８０２．１１ａｄ規格により用いられるビーム微細調整プロトコル（ｂｅａｍ  ｒｅｆｉｎｅｍｅｎｔ  ｐｒｏｔｏｃｏｌ、略してＢＲＰ）フレーム構造に基づいて設計される。図３−ａに示されるように、ＢＲＰフレーム構造におけるビームトレーニングＴＲＮフィールドビームトレーニングフィールドは、Ｎ（Ｎ＜１７）個のＴＲＮユニットを含み、各ＴＲＮユニットは、２つのパート、すなわち、ＣＥ及びＴ／Ｒに分けられる。従来技術では、ＣＥは、長さ１２８を有する８つのゴレイ相補シーケンス（Ｇａ１２８及びＧｂ１２８）と、それぞれゴレイ相補シーケンスの前後に配置されるサイクリックプレフィックス及びサイクリックサフィックスとを含み、７２ｎｓの遅延拡散範囲内のマルチパスチャネル推定要件を満たすことができる。図１−ｄに示されるように、Ｔ／Ｒフィールドは、長さ１２８を有する４つのゴレイ相補シーケンス（Ｇａ１２８及びＧｂ１２８）と、ゴレイ相補シーケンスの前に配置されるサイクリックプレフィックスとを含み、その結果、チャネル測定は、時間領域測定方法を用いることにより大まかに実行され得、正確なチャネル推定は、周波数領域で実行され得る。しかしながら、ビームトレーニングシーケンスは、７２ｎｓの遅延のみを満たすことができ、単入力単出力（Ｓｉｎｇｌｅ  Ｉｎｐｕｔ  Ｓｉｎｇｌｅ  Ｏｕｔｐｕｔ、略してＳＩＳＯ）チャネルシナリオのみに固有のものであるが、対応する設計は、より大きい遅延、及び、多入力多出力（Ｍｕｌｔｉｐｌｅ  Ｉｎｐｕｔ  Ｍｕｌｔｉｐｌｅ  Ｏｕｔｐｕｔ、略してＭＩＭＯ）チャネルシナリオのために提供されるものではない。本発明の本実施形態は、ＩＥＥＥ  ８０２．１１ａｄ規格により提供される、図３−ｂに示されるＴ／Ｒシーケンス構造に基づいてさらに設計される。
【００４７】
図４は、本発明の実施形態に係るビームトレーニングシーケンスの設計方法の第１実施形態の概略フローチャートである。図４に示されるように、方法は、以下の段階を含む。
【００４８】
Ｓ４０１．送信端は、ＮＴ個のビームトレーニングシーケンスを生成する。
【００４９】
本発明の本実施形態において、各送信端は、ＮＴ個の送信アンテナを有し、各アンテナは、１つのビームトレーニングシーケンスを送信する。
【００５０】
具体的には、ビームトレーニングシーケンスを送信するときに、アンテナは、ビームトレーニングシーケンスを含み、かつ、図３−ａに示されるＢＲＰフレーム構造に基づくＢＲＰフレームを送信する。
【００５１】
図１−ｄを参照すると、各ビームトレーニングシーケンスは、２×Ｎ×Ｌの長さを有するゴレイシーケンスと、サイクリックプレフィックスとを含む。ＮＴ個のゴレイシーケンスは直交している。ＮＴは送信端におけるアンテナの数である。Ｌは、チャネルの最大遅延Ｔｍに対応する信号の長さである。ＮＴは正の整数である。Ｎは正の整数である。Ｌは正の整数である。サイクリックプレフィックスの長さはＬである。
【００５２】
好ましくは、サイクリックプレフィックスはゴレイシーケンスである。
【００５３】
ビームトレーニングシーケンスの数は、アンテナの数ＮＴであり、ビームトレーニングシーケンスの長さは、チャネルの最大遅延Ｔｍに対応する信号の長さであることが理解され得、したがって、ビームトレーニングシーケンスは、チャネルボンディング数に関連し、ビームトレーニングシーケンスは、様々なアンテナの数及びチャネルの異なる最大遅延に関する要件を満たすことができる。
【００５４】
任意に、推定対象のチャネルの最大遅延拡散Ｔｍは、７２ナノ秒（ｎｓ）より大きい又は７２ナノ秒（ｎｓ）に等しくてよく、もちろん７２ｎｓより小さくてもよい。このことは、本明細書において限定されない。
【００５５】
任意に、アンテナの数単一のアンテナであってよい、又は、複数のアンテナであってよい。
【００５６】
Ｓ４０２．送信端は、送信端におけるＮＴ個の送信アンテナを用いることにより、ＮＴ個のビームトレーニングシーケンスを受信端に送信し、各送信アンテナは、対応するビームトレーニングシーケンスを送信する。
【００５７】
Ｓ４０３．受信端は、送信端により送信されたＮＴ個のチャネル推定ビームトレーニングシーケンスパケットを受信する。
【００５８】
具体的には、受信端がＮＲ個の受信アンテナを有すると仮定すると、各受信アンテナは、ＮＴ個のチャネル推定ビームトレーニングシーケンスを受信し、ＮＲは、１より大きい又は１に等しい正の整数である。
【００５９】
Ｓ４０４．受信端における各受信アンテナは、ＮＴ個のチャネル推定ビームトレーニングシーケンスパケットに基づいてチャネル推定を実行して、ＮＴ×１個のリンクのチャネル利得を取得する。
【００６０】
任意に、ＮＴ個のチャネル推定ビームトレーニングシーケンスを受信した後に、受信端における各受信アンテナは、ＮＴ個のチャネル推定ビームトレーニングシーケンスに対応するＮＴ個の相関器を用いることにより相関演算を実行して、ＮＴ×１個のリンクのチャネル利得、すなわち、チャネル推定結果を取得する。
【００６１】
さらに、ＮＲ個の受信アンテナの完全なチャネル推定結果は、ＮＴ×ＮＲチャネル推定結果である。
【００６２】
本発明の本実施形態において提供される技術的解決手段では、送信端は、ＮＴ個のビームトレーニングシーケンスを生成し、次に、送信端は、送信端におけるＮＴ個の送信アンテナを用いることにより、ＮＴ個のビームトレーニングシーケンスを受信端に送信し、受信端がＮＴ個のビームトレーニングシーケンスを受信した後に、受信端における各アンテナは、ＮＴ個のビームトレーニングシーケンスに基づいてチャネル推定を実行して、ＮＴ×１個のリンクのチャネル利得を取得することが認識され得る。各ビームトレーニングシーケンスは、２×Ｎ×Ｌの長さを有するゴレイシーケンスと、サイクリックプレフィックスとを含む。ＮＴ個のゴレイシーケンスは直交している。ＮＴは送信端におけるアンテナの数である。Ｌは、チャネルの最大遅延Ｔｍに対応する信号の長さである。ＮＴは正の整数である。Ｎは正の整数である。Ｌは正の整数である。このことは、ビームトレーニングシーケンスが先述の条件を満たすのであれば、ビームトレーニングシーケンスは、もはやアンテナの数、チャネルの遅延拡散値、及び、マルチチャネルボンディングなどのシナリオにより制限されることはなく、その結果、ビームトレーニングシーケンスは、様々なチャネルシナリオ構成に適用可能とすることができるということを実現する。
【００６３】
チャネルの最大遅延Ｔｍに対応する信号の長さＬは、最大遅延Ｔｍの下のチャネルのシンボルレートに基づいて伝送され得る信号の長さとして理解されてよい。
【００６４】
好ましくは、本発明の一部の可能な実施例では、チャネルの最大遅延Ｔｍに対応する信号の長さＬは、
【数４】
2019525543.tif 000006
であり、Ｒｓはチャネルのシンボルレートである。
【００６５】
チャネルの最大遅延に関連する信号の長さを有するゴレイシーケンスは、チャネルのビームトレーニングシーケンスとして設計され、かつ、用いられ、その結果、ビームトレーニングシーケンスは、チャネルの異なる最大遅延に適用可能とすることができることが理解され得る。
【００６６】
任意に、本発明の一部の可能な実施例では、設計されるゴレイ相補シーケンスに適用され得るチャネルのチャネル構成は、チャネル構成のうちのいずれか一つを含む。
チャネルの最大遅延Ｔｍが７２ナノ秒である場合、Ｒｓが１．７６Ｇｂｉｔ／ｓであるようにチャネルボンディングＣＢ数は１であり、送信端におけるアンテナの数ＮＴは２、４又は８である。
チャネル構成は、チャネルの最大遅延Ｔｍであり、チャネルボンディングＣＢ数及び送信端におけるアンテナの数ＮＴは、以下のパラメータ値の任意の組み合わせである。
チャネルの最大遅延Ｔｍが７２ナノ秒又は３００ナノ秒である、
チャネルボンディングＣＢ数は１、２、３又は４であり、その結果、Ｒｓが１．７６Ｇｂｉｔ／ｓ、３．５２Ｇｂｉｔ／ｓ、５．２８Ｇｂｉｔ／ｓ又は７．０４ＧＢｉｔ／ｓである、及び
送信端におけるアンテナの数ＮＴが１、２、４又は８である。
【００６７】
チャネルボンディング（Ｃｈａｎｎｅｌ  Ｂｏｎｄｉｎｇ、略してＣＢ）数は、送信端と受信端との間で結合されるチャネルの数である。
【００６８】
ビームトレーニングシーケンスは、異なるチャネル遅延、アンテナの数及びチャネルボンディング数を満たすことができ、その結果、通信構成が先述のシナリオのうちのいずれか一つを満たすことができるということが理解され得る。
【００６９】
図５は、本発明の実施形態に係るビームトレーニングシーケンスの設計方法の第２実施形態の概略フローチャートである。図５に示される方法において、図４に示される方法の内容と同一又は同様の内容に関しては、図５における詳細な説明を参照されたい。ここで詳細が再び説明されることはない。図５に示されるように、方法は、以下の段階を含む。
【００７０】
Ｓ５０１．送信端は、予め設定されたゴレイＧｏｌａｙ相補シーケンス生成方式で長さＬを有するゴレイ相補シーケンスのＭ個のペアを生成する。
【００７１】
長さＬを有するゴレイ相補シーケンスのＭ個のペアは、有限体ＺＨフィールドにおいて規定される。長さＬを有するゴレイ相補シーケンスのＭ個のペアのそれぞれは、長さＬを有する２つのゴレイ相補シーケンスを含む。Ｌは、チャネルの最大遅延Ｔｍに対応する信号の長さである。Ｍ及びＬは共に０より大きい正の整数である。
【００７２】
好ましくは、本発明の一部の可能な実施例では、予め設定されたゴレイＧｏｌａｙ相補シーケンス生成方式で長さＬを有するゴレイ相補シーケンスのＭ個のペアを生成する段階は、
ゴレイ相補シーケンスがＧａｉＬ＝ａ及びＧｂｉＬ＝ｂを含むと仮定すると、以下の式を用いることにより、長さＬを有するゴレイ相補シーケンスのＭ個のペアを生成する段階を含み、
【数５】
2019525543.tif 000007
及び、
【数６】
2019525543.tif 000008
であると仮定すると、
【数７】
2019525543.tif 000009
であり、
【数８】
2019525543.tif 000010
又は、
【数９】
2019525543.tif 000011
であり、
【数１０】
2019525543.tif 000012
であり、値は、１からＭの範囲にある正の整数であり、
【数１１】
2019525543.tif 000013
であり、πは、｛１，・・・，ｍ｝が、予め設定されたマッピング方式でマッピングされた後に取得される値であり、ｃｋは、ＺＨフィールドにおいて規定される任意の数値である。
【００７３】
例えば、本発明の例において、ゴレイ相補シーケンスのペアは、先述の式を用いることにより取得されてよい。
【数１２】
2019525543.tif 000014
及び、
【数１３】
2019525543.tif 000015
【００７４】
これに基づいて、ここでは、ゴレイ相補シーケンスの他の７つのペアは、以下の式を用いることによりさらに取得され得る。
【数１４】
2019525543.tif 000016
【数１５】
2019525543.tif 000017
【数１６】
2019525543.tif 000018
【数１７】
2019525543.tif 000019
【数１８】
2019525543.tif 000020
【数１９】
2019525543.tif 000021
【数２０】
2019525543.tif 000022
【数２１】
2019525543.tif 000023
【数２２】
2019525543.tif 000024
【数２３】
2019525543.tif 000025
【数２４】
2019525543.tif 000026
【数２５】
2019525543.tif 000027
【数２６】
2019525543.tif 000028
【数２７】
2019525543.tif 000029
【００７５】
さらに、２５６、５１２、１０２４及び２０４８の長さを有するシーケンスの他の４つのグループが規定される。
【数２８】
2019525543.tif 000030
【数２９】
2019525543.tif 000031
【数３０】
2019525543.tif 000032
及び、
【数３１】
2019525543.tif 000033
【００７６】
任意に、本発明の一部の他の可能な実施例では、ゴレイ相補シーケンスは、別の方式で代替的に生成されてよい。
【００７７】
Ｓ５０２．送信端は、長さＬを有するゴレイ相補シーケンスのＭ個のペアに基づいて、２×Ｎ×Ｌの長さを有するＮＴ個の直交ゴレイシーケンスを取得する。
【００７８】
ＮＴは送信端におけるアンテナの数である。ＮＴは０より大きい正の整数である。Ｎは０より大きい正の整数である。Ｍの値は、ＮＴの値より大きい又はＮＴの値に等しい。
【００７９】
Ｓ５０３．送信端は、２×Ｎ×Ｌの長さを有するＮＴ個の直交ゴレイシーケンスのそれぞれの前に、長さＬを有するサイクリックプレフィックスを加えて、ＮＴ個のアンテナを有するチャネルに適用されるビームトレーニングシーケンスを取得する。
【００８０】
任意に、サイクリックプレフィックスはゴレイシーケンスであってよい。
【００８１】
任意に、本発明の一部の可能な実施例では、長さＬを有するゴレイ相補シーケンスのＭ個のペアに基づいて、２×Ｎ×Ｌの長さを有するＮＴ個の直交ゴレイシーケンスを取得する段階は、
長さＬを有するゴレイ相補シーケンスのＭ個のペアから、長さＬを有するゴレイ相補シーケンスのＮＴ個のペアを取得する段階と、
第１の予め設定された方式でＮ回、長さＬを有するゴレイ相補シーケンスのＮＴ個のペアのそれぞれを繰り返し交互に配置して、２×Ｎ×Ｌの長さを有するＮＴ個の直交ゴレイシーケンスを取得する段階と
を含む。
【００８２】
第１の予め設定された方式でＮ回、長さＬを有する各ゴレイ相補シーケンスを繰り返し交互に配置することは、長さＬを有する各ゴレイ相補シーケンスを繰り返し配置するときに、長さｌを有する各ゴレイシーケンスの前に、正符号又は負符号を加えて、２×Ｎ×Ｌの長さを有するＮＴ個の直交ゴレイ相補シーケンスを最終的に取得することを意味する。ゴレイシーケンスの前に負符号を加えることは、ゴレイシーケンスの各シンボル上でネゲーションを実行することを意味する。ゴレイシーケンスの前に正符号を加えることは、ゴレイシーケンスの各シンボルを変化させない状態にあることを意味する。
【００８３】
本発明の本実施形態において、最終的に取得される２×Ｎ×Ｌの長さを有するＮＴ個のゴレイシーケンスが直交しているならば、ゴレイ相補シーケンスを繰り返し交互に配置する第１の予め設定された方式は固有のものではない。
【００８４】
好ましくは、繰り返し交互に配置される回数の数Ｎの値は２である。
【００８５】
例えば、本発明の例において、チャネルの最大遅延Ｔｍが７２ｎｓであるとき、当該チャネルのシンボルレートは、１．７６Ｇｂｐであり（この場合、チャネルアグリゲーションがない、すなわち、チャネルボンディングＣＢが１である）、ＭＩＭＯアンテナの数は２であり、まず、ゴレイ相補シーケンスの任意の２つのペアＧａ１１２８／Ｇｂ１１２８及びＧａ２１２８／Ｇｂ２１２８は、段階Ｓ２０１において生成されたゴレイ相補シーケンスのＭ個のペアから取得され、ゴレイ相補シーケンスの２つのペアは、２つのシーケンス、［‐Ｇｂ１１２８、Ｇａ１１２８、Ｇｂ１１２８、Ｇａ１１２８］及び［‐Ｇｂ２１２８、Ｇａ１１２８、Ｇｂ２１２８、Ｇａ２１２８］を取得するために、個別に２回繰り返し交互に配置され、又は、［‐Ｇｂ１１２８、‐Ｇａ１１２８、Ｇｂ１１２８、‐Ｇａ１１２８］及び［‐Ｇｂ２１２８、Ｇａ１１２８、Ｇｂ２１２８、Ｇａ２１２８］を取得するために、別の方式で２回、繰り返し交互に配置されてよい。２つのケースにおいて、２つのシーケンスは直交している。
【００８６】
ゴレイ相補シーケンスは、２×Ｎ×Ｌの長さを有するＮＴ個の直交ゴレイシーケンスを取得するために、特定の方式で繰り返し交互に配置されてよく、次に、長さＬを有するサイクリックプレフィックスは、ＮＴ個のアンテナを有するチャネルにおいてビームトレーニングを実行するために用いられるビームトレーニングシーケンスを取得するために、各ゴレイシーケンスの前に加えられ、その結果、ビームトレーニングシーケンスは、もはや、アンテナの数、チャネルの遅延拡散値、及び、マルチチャネルボンディングなどのシナリオにより制限されることがなくなり、様々なチャネルシナリオ構成に適用可能とすることができることが理解され得る。
【００８７】
任意に、本発明の一部の他の可能な実施例では、長さＬを有するゴレイ相補シーケンスのＭ個のペアに基づいて、２×Ｎ×Ｌの長さを有するＮＴ個の直交ゴレイシーケンスを取得する段階は、
長さＬを有するゴレイ相補シーケンスのＭ個のペアから、長さＬを有するゴレイ相補シーケンスの
【数３２】
2019525543.tif 000034
個のペアを取得する段階と、
第２の予め設定された方式でＮ回、長さＬを有するゴレイ相補シーケンスの
【数３３】
2019525543.tif 000035
個のペアのそれぞれを繰り返し交互に配置し、繰り返し交互に配置した後に取得したシーケンスに予め設定された直交行列を乗算して、２×Ｎ×Ｌの長さを有するＮＴ個の直交ゴレイシーケンスを取得する段階であって、予め設定された直交行列は、２×Ｎ次の直交行列である、段階と
を含む。
【００８８】
好ましくは、Ｎの値は２であり、その結果、予め設定された直交行列は４次の直交行列である。
【００８９】
第２の予め設定された方式でＮ回、長さＬを有するゴレイ相補シーケンスの
【数３４】
2019525543.tif 000036
個のペアのそれぞれを繰り返し交互に配置する段階は、２×Ｎ×Ｌの長さを有する
【数３５】
2019525543.tif 000037
個のゴレイシーケンスを取得するために、任意の方式でゴレイ相補シーケンスの間の長さＬを有するゴレイ相補シーケンスの各ペアを繰り返し交互に配置してよい。第２の予め設定された方式で配置した後に取得される２×Ｎ×Ｌの長さを有する
【数３６】
2019525543.tif 000038
個のゴレイシーケンスは、必ずしも直交しているわけではない。
【００９０】
好ましくは、Ｎの値が２であるとき、予め設定された直交行列は４次の直交行列である。したがって、２×Ｎ×Ｌの長さを有する
【数３７】
2019525543.tif 000039
個のゴレイシーケンスは、２×Ｎ×Ｌの長さを有する
【数３８】
2019525543.tif 000040
個の直交ゴレイシーケンスを取得するために、４次の直交行列で乗算され、次に、ＮＴ個のゴレイシーケンスは、２×Ｎ×Ｌの長さを有するＮＴ個の直交ゴレイシーケンスを取得するために、２×Ｎ×Ｌの長さを有する
【数３９】
2019525543.tif 000041
個の直交ゴレイシーケンスから選択される。
【００９１】
例えば、本発明の例において、チャネルの最大遅延Ｔｍが７２ｎｓであるとき、当該チャネルのシンボルレートは、３．５２Ｇｂｐであり（この場合、チャネルボンディングＣＢ数が２である）、ＭＩＭＯアンテナの数は８であり、まず、ゴレイ相補シーケンスＧａ１２５６／Ｇｂ１２５６及びＧａ２２５６／Ｇｂ２２５６のうちの任意の２つのペアが段階Ｓ３０１において生成されたゴレイ相補シーケンスのＭ個のペアから取得され、ゴレイ相補シーケンスの２つのペアは、シーケンス［‐Ｇｂ１２５６、Ｇａ１２５６、Ｇｂ１２５６、Ｇａ１２５６］及び［‐Ｇｂ２２５６、Ｇａ２２５６、Ｇｂ２２５６、Ｇａ２２５６］を取得すべく、２回繰り返し交互に配置される。次に、シーケンスの２つのペアは、４次の直交行列Ｐで乗算され、８つの直交ゴレイシーケンスを取得する。具体的には、以下のとおりである。
【数４０】
2019525543.tif 000042
及び、
【数４１】
2019525543.tif 000043
である。
【００９２】
２×Ｎ×Ｌの長さを有するＮＴ個の直交ゴレイシーケンスは、直交行列による乗算を通じて取得されてよく、Ｌは、チャネルの最大遅延Ｔｍに対応する信号の長さであり、長さＬを有するサイクリックプレフィックスは、ＮＴ個のアンテナを有するチャネルにおいてビームトレーニングを実行するために用いられるビームトレーニングシーケンスを取得するために、各ゴレイシーケンスの前に加えられ、その結果、ビームトレーニングシーケンスは、もはや、アンテナの数、チャネルの遅延拡散値、及び、マルチチャネルボンディングなどのシナリオにより制限されることがなくなり、様々なチャネルシナリオ構成に適用可能とすることができることが理解され得る。
【００９３】
本発明の本実施形態において提供される技術的解決手段では、アンテナの数、チャネルの最大遅延及びチャネルボンディング数に関連するビームトレーニングシーケンスが生成されることが認識され得る。このことは、ビームトレーニングシーケンスが先述の条件を満たすのであれば、ビームトレーニングシーケンスは、もはやアンテナの数、チャネルの遅延拡散値、及び、マルチチャネルボンディングなどのシナリオにより制限されることはなく、その結果、ビームトレーニングシーケンスは、様々なチャネルシナリオ構成に適用可能とすることができるということを実現する。
【００９４】
図６−ａは、本発明の実施形態に係るビームトレーニングシーケンスの設計方法の第３実施形態の概略フローチャートである。図６−ａに示される方法において、図４又は図５に示される方法の内容と同一又は同様の内容については、図４又は図５における詳細な説明を参照されたい。ここで詳細が再び説明されることはない。図６−ａに示されるように、方法は、以下の段階を含む。
【００９５】
Ｓ６０１．予め設定されたゴレイＧｏｌａｙ相補シーケンス生成方式で長さＬを有するゴレイ相補シーケンスのＭ個のペアを生成する。
【００９６】
長さＬを有するゴレイ相補シーケンスのＭ個のペアは、有限体ＺＨフィールドにおいて規定される。長さＬを有するゴレイ相補シーケンスのＭ個のペアのそれぞれは、長さＬを有する２つのゴレイ相補シーケンスを含む。Ｌは、チャネルの最大遅延Ｔｍに対応する信号の長さである。Ｍ及びＬは共に０より大きい正の整数である。
【００９７】
Ｓ６０２．長さＬを有するゴレイ相補シーケンスのＭ個のペアから、長さＬを有するゴレイ相補シーケンスのＮＴ個のペアを取得する。
【００９８】
ＮＴは送信端におけるアンテナの数である。ＮＴは０より大きい正の整数である。Ｎは０より大きい正の整数である。Ｍの値は、ＮＴの値より大きい又はＮＴの値に等しい。
【００９９】
Ｓ６０３．第１の予め設定された方式でＮ回、長さＬを有するゴレイ相補シーケンスのＮＴ個のペアのそれぞれを繰り返し交互に配置して、２×Ｎ×Ｌの長さを有するＮＴ個の直交ゴレイシーケンスを取得する。
【０１００】
Ｓ６０４．２×Ｎ×Ｌの長さを有するＮＴ個の直交ゴレイ相補シーケンスのそれぞれの前に、長さＬを有するゴレイ相補シーケンスサイクリックプレフィックスを加えて、ＮＴ個のアンテナを有するチャネルに適用されるビームトレーニングシーケンスを取得する。
【０１０１】
具体的には、以下では、異なるチャネルシナリオにおいて、本方法を用いることにより、ビームトレーニングシーケンスを生成するための方法の例を説明する。
【０１０２】
第１実施形態において、推定対象のチャネルの最大遅延拡散Ｔｍが７２ｎｓであると仮定すると、シンボルレートＲｓは、１．７６Ｇｂｐｓ（ＣＢ＝１）であり、ＭＩＭＯアンテナの数ＮＴは２である。
【０１０３】
本実施形態における解決手段に基づいて、
【数４２】
2019525543.tif 000044
であり、ゴレイ相補シーケンスの２つのペアＧａ１１２８／Ｇｂ１１２８及びＧａ２１２８/Ｇｂ２１２８が生成されてよい。
【０１０４】
次に、ゴレイ相補シーケンスの２つのペアが個別に２回、繰り返し交互に配置され、長さＬを有するサイクリックプレフィックスが、ビームトレーニングシーケンスＥ−Ｔ／Ｒを構築するために加えられる。具体的には、図６−ｂを参照する。図６−ｂは、本発明の第３実施形態に係るビームトレーニングシーケンスの第１の概略図である。
【０１０５】
第２実施形態において、推定対象のチャネルの最大遅延拡散Ｔｍが７２ｎｓであると仮定すると、シンボルレートＲｓは、１．７６Ｇｂｐｓ（ＣＢ＝１）であり、ＭＩＭＯアンテナの数ＮＴは４である。
【０１０６】
本実施形態における解決手段に基づいて、
【数４３】
2019525543.tif 000045
であり、ゴレイ相補シーケンスの４つのペアＧａ１１２８／Ｇｂ１１２８、Ｇａ２１２８／Ｇｂ２１２８、Ｇａ３１２８／Ｇｂ３１２８、及び、Ｇａ４１２８／Ｇｂ４１２８が生成されてよい。
【０１０７】
次に、ゴレイ相補シーケンスの４つのペアが個別に２回、繰り返し交互に配置され、長さＬを有するサイクリックプレフィックスが、ビームトレーニングシーケンスＥ−Ｔ／Ｒを構築するために加えられる。具体的には、ビームトレーニングシーケンスＥ−Ｔ／Ｒは、図６−ｂに基づいて生成されてよい。図６−ｂは、本発明の実施形態に係るビームトレーニングシーケンスの第１の概略図である。
【０１０８】
第３実施形態において、推定対象のチャネルの最大遅延拡散Ｔｍが７２ｎｓであると仮定すると、シンボルレートＲｓは、１．７６Ｇｂｐｓ（ＣＢ＝１）であり、ＭＩＭＯアンテナの数ＮＴは８である。
【０１０９】
本実施形態における解決手段に基づいて、
【数４４】
2019525543.tif 000046
であり、ゴレイ相補シーケンスの８つのペアＧａ１１２８／Ｇｂ１１２８、Ｇａ２１２８／Ｇｂ２１２８、Ｇａ３１２８／Ｇｂ３１２８、Ｇａ４１２８／Ｇｂ４１２８、Ｇａ５１２８／Ｇｂ５１２８、Ｇａ６１２８／Ｇｂ６１２８、Ｇａ７１２８／Ｇｂ７１２８、及び、Ｇａ８１２８／Ｇｂ８１２８が生成されてよい。
【０１１０】
次に、ゴレイ相補シーケンスの８つのペアが個別に２回、繰り返し交互に配置され、長さＬを有するサイクリックプレフィックスが、ビームトレーニングシーケンスＥ−Ｔ／Ｒを構築するために加えられる。具体的には、ビームトレーニングシーケンスＥ−Ｔ／Ｒは、図６−ｂに基づいて生成されてよい。
【０１１１】
第４実施形態において、推定対象のチャネルの最大遅延拡散Ｔｍが７２ｎｓであると仮定すると、シンボルレートＲｓは、３．５２Ｇｂｐｓ（ＣＢ＝２）であり、ＳＩＳＯアンテナの数ＮＴは１である。
【０１１２】
本実施形態における解決手段に基づいて、
【数４５】
2019525543.tif 000047
であり、ゴレイ相補シーケンスの１つのペアＧａ１２５６／Ｇｂ１２５６が生成される。
【０１１３】
次に、ゴレイ相補シーケンスの１つのペアが個別に２回、繰り返し交互に配置され、長さＬを有するサイクリックプレフィックスが、ビームトレーニングシーケンスＥ−Ｔ／Ｒを構築するために加えられる。具体的には、ビームトレーニングシーケンスＥ−Ｔ／Ｒは、図６−ｂに基づいて生成されてよい。
【０１１４】
第５実施形態において、推定対象のチャネルの最大遅延拡散Ｔｍが７２ｎｓであると仮定すると、シンボルレートＲｓは、３．５２Ｇｂｐｓ（ＣＢ＝２）であり、ＭＩＭＯアンテナの数ＮＴは２である。
【０１１５】
本実施形態における解決手段に基づいて、
【数４６】
2019525543.tif 000048
であり、ゴレイ相補シーケンスの２つのペアＧａ１２５６／Ｇｂ１２５６及びＧａ２２５６／Ｇｂ２２５６が生成されてよい。
【０１１６】
次に、ゴレイ相補シーケンスの２つのペアが個別に２回、繰り返し交互に配置され、長さＬを有するサイクリックプレフィックスが、ビームトレーニングシーケンスＥ−Ｔ／Ｒを構築するために加えられる。具体的には、ビームトレーニングシーケンスＥ−Ｔ／Ｒは、図６−ｂに基づいて生成されてよい。
【０１１７】
第６実施形態において、推定対象のチャネルの最大遅延拡散Ｔｍが７２ｎｓであると仮定すると、シンボルレートＲｓは、３．５２Ｇｂｐｓ（ＣＢ＝２）であり、ＭＩＭＯアンテナの数ＮＴは４である。
【０１１８】
本実施形態における解決手段に基づいて、
【数４７】
2019525543.tif 000049
であり、ゴレイ相補シーケンスの４つのペアＧａ１２５６／Ｇｂ１２５６、Ｇａ２２５６／Ｇｂ２２５６、Ｇａ３２５６／Ｇｂ３２５６、及び、Ｇａ４２５６／Ｇｂ４２５６が生成されてよい。
【０１１９】
次に、ゴレイ相補シーケンスの２つのペアが個別に２回、繰り返し交互に配置され、長さＬを有するサイクリックプレフィックスが、ビームトレーニングシーケンスＥ−Ｔ／Ｒを構築するために加えられる。具体的には、ビームトレーニングシーケンスＥ−Ｔ／Ｒは、図６−ｂに基づいて生成されてよい。
【０１２０】
第７実施形態において、推定対象のチャネルの最大遅延拡散Ｔｍが７２ｎｓであると仮定すると、シンボルレートＲｓは、３．５２Ｇｂｐｓ（ＣＢ＝２）であり、ＭＩＭＯアンテナの数ＮＴは８である。
【０１２１】
本実施形態における解決手段に基づいて、
【数４８】
2019525543.tif 000050
であり、ゴレイ相補シーケンスの４つのペアＧａ１２５６／Ｇｂ１２５６、Ｇａ２２５６／Ｇｂ２２５６、Ｇａ３２５６／Ｇｂ３２５６、Ｇａ４２５６／Ｇｂ４２５６、Ｇａ５２５６／Ｇｂ５２５６、Ｇａ６２５６／Ｇｂ６２５６、Ｇａ７２５６／Ｇｂ７２５６、及び、Ｇａ８２５６／Ｇｂ８２５６が生成されてよい。
【０１２２】
次に、ゴレイ相補シーケンスの２つのペアが個別に２回、繰り返し交互に配置され、長さＬを有するサイクリックプレフィックスが、ビームトレーニングシーケンスＥ−Ｔ／Ｒを構築するために加えられる。具体的には、ビームトレーニングシーケンスＥ−Ｔ／Ｒは、図６−ｂに基づいて生成されてよい。
【０１２３】
第８実施形態において、推定対象のチャネルの最大遅延拡散Ｔｍが７２ｎｓであると仮定すると、シンボルレートＲｓは、５．２８Ｇｂｐｓ又は７．０４Ｇｂｐｓ（ＣＢ＝３又はＣＢ＝４）であり、ＳＩＳＯアンテナの数ＮＴは１である。
【０１２４】
本実施形態における解決手段に基づいて、
【数４９】
2019525543.tif 000051
でありゴレイ相補シーケンスの１つのペアＧａ１５１２／Ｇｂ１５１２が生成される。
【０１２５】
次に、ゴレイ相補シーケンスの１つのペアが個別に２回、繰り返し交互に配置され、長さＬを有するサイクリックプレフィックスが、ビームトレーニングシーケンスＥ−Ｔ／Ｒを構築するために加えられる。具体的には、ビームトレーニングシーケンスＥ−Ｔ／Ｒは、図６−ｂに基づいて生成されてよい。
【０１２６】
第９実施形態において、推定対象のチャネルの最大遅延拡散Ｔｍが７２ｎｓであると仮定すると、シンボルレートＲｓは、５．２８Ｇｂｐｓ又は７．０４Ｇｂｐｓ（ＣＢ＝３又はＣＢ＝４）であり、ＭＩＭＯアンテナの数ＮＴは２である。
【０１２７】
本実施形態における解決手段に基づいて、
【数５０】
2019525543.tif 000052
であり、ゴレイ相補シーケンスの２つのペアＧａ１５１２／Ｇｂ１５１２及びＧａ２５１２／Ｇｂ２５１２が生成される。
【０１２８】
次に、ゴレイ相補シーケンスの２つのペアが個別に２回、繰り返し交互に配置され、長さＬを有するサイクリックプレフィックスが、ビームトレーニングシーケンスＥ−Ｔ／Ｒを構築するために加えられる。具体的には、ビームトレーニングシーケンスＥ−Ｔ／Ｒは、図６−ｂに基づいて生成されてよい。
【０１２９】
第１０実施形態において、推定対象のチャネルの最大遅延拡散Ｔｍが７２ｎｓであると仮定すると、シンボルレートＲｓは、５．２８Ｇｂｐｓ又は７．０４Ｇｂｐｓ（ＣＢ＝３又はＣＢ＝４）であり、ＭＩＭＯアンテナの数ＮＴは４である。
【０１３０】
本実施形態における解決手段に基づいて、
【数５１】
2019525543.tif 000053
であり、ゴレイ相補シーケンスの４つのペアＧａ１５１２／Ｇｂ１５１２、Ｇａ２５１２／Ｇｂ２５１２、Ｇａ３５１２／Ｇｂ３５１２、及び、Ｇａ４５１２／Ｇｂ４５１２が生成される。
【０１３１】
次に、ゴレイ相補シーケンスの２つのペアが個別に２回、繰り返し交互に配置され、長さＬを有するサイクリックプレフィックスが、ビームトレーニングシーケンスＥ−Ｔ／Ｒを構築するために加えられる。具体的には、ビームトレーニングシーケンスＥ−Ｔ／Ｒは、図６−ｂに基づいて生成されてよい。
【０１３２】
第１１実施形態において、推定対象のチャネルの最大遅延拡散Ｔｍが７２ｎｓであると仮定すると、シンボルレートＲｓは、５．２８Ｇｂｐｓ又は７．０４Ｇｂｐｓ（ＣＢ＝３又はＣＢ＝４）であり、ＭＩＭＯアンテナの数ＮＴは８である。
【０１３３】
本実施形態における解決手段に基づいて、
【数５２】
2019525543.tif 000054
であり、ゴレイ相補シーケンスの８つのペアＧａ１５１２／Ｇｂ１５１２、Ｇａ２５１２／Ｇｂ２５１２、Ｇａ３５１２／Ｇｂ３５１２、Ｇａ４５１２／Ｇｂ４５１２、Ｇａ５５１２／Ｇｂ５５１２、Ｇａ６５１２／Ｇｂ６５１２、Ｇａ７５１２／Ｇｂ７５１２、及び、Ｇａ８５１２／Ｇｂ８５１２が生成される。
【０１３４】
次に、ゴレイ相補シーケンスの８つのペアが個別に２回、繰り返し交互に配置され、長さＬを有するサイクリックプレフィックスが、ビームトレーニングシーケンスＥ−Ｔ／Ｒを構築するために加えられる。具体的には、ビームトレーニングシーケンスＥ−Ｔ／Ｒは、図６−ｂに基づいて生成されてよい。
【０１３５】
第１２実施形態において、推定対象のチャネルの最大遅延拡散Ｔｍが３００ｎｓであると仮定すると、シンボルレートＲｓは、１．７６Ｇｂｐｓ（ＣＢ＝１）であり、ＳＩＳＯアンテナの数ＮＴは１である。
【０１３６】
本実施形態における解決手段に基づいて、
【数５３】
2019525543.tif 000055
であり、ゴレイ相補シーケンスの１つのペアＧａ１５１２／Ｇｂ１５１２が生成される。
【０１３７】
次に、ゴレイ相補シーケンスの１つのペアが個別に２回、繰り返し交互に配置され、長さＬを有するサイクリックプレフィックスが、ビームトレーニングシーケンスＥ−Ｔ／Ｒを構築するために加えられる。具体的には、ビームトレーニングシーケンスＥ−Ｔ／Ｒは、図６−ｂに基づいて生成されてよい。
【０１３８】
第１３実施形態において、推定対象のチャネルの最大遅延拡散Ｔｍが３００ｎｓであると仮定すると、シンボルレートＲｓは、１．７６Ｇｂｐｓ（ＣＢ＝１）であり、ＭＩＭＯアンテナの数ＮＴは２である。
【０１３９】
本実施形態における解決手段に基づいて、
【数５４】
2019525543.tif 000056
であり、ゴレイ相補シーケンスの２つのペアＧａ１５１２／Ｇｂ１５１２及びＧａ２５１２／Ｇｂ２５１２が生成される。
【０１４０】
次に、ゴレイ相補シーケンスの２つのペアが個別に２回、繰り返し交互に配置され、長さＬを有するサイクリックプレフィックスが、ビームトレーニングシーケンスＥ−Ｔ／Ｒを構築するために加えられる。具体的には、ビームトレーニングシーケンスＥ−Ｔ／Ｒは、図６−ｂに基づいて生成されてよい。
【０１４１】
第１４実施形態において、推定対象のチャネルの最大遅延拡散Ｔｍが３００ｎｓであると仮定すると、シンボルレートＲｓは、１．７６Ｇｂｐｓ（ＣＢ＝１）であり、ＭＩＭＯアンテナの数ＮＴは４である。
【０１４２】
本実施形態における解決手段に基づいて、
【数５５】
2019525543.tif 000057
であり、ゴレイ相補シーケンスの４つのペアＧａ１５１２／Ｇｂ１５１２、Ｇａ２５１２／Ｇｂ２５１２、Ｇａ３５１２／Ｇｂ３５１２、及び、Ｇａ４５１２／Ｇｂ４５１２が生成される。
【０１４３】
次に、ゴレイ相補シーケンスの４つのペアが個別に２回、繰り返し交互に配置され、長さＬを有するサイクリックプレフィックスが、ビームトレーニングシーケンスＥ−Ｔ／Ｒを構築するために加えられる。具体的には、ビームトレーニングシーケンスＥ−Ｔ／Ｒは、図６−ｂに基づいて生成されてよい。
【０１４４】
第１５実施形態において、推定対象のチャネルの最大遅延拡散Ｔｍが３００ｎｓであると仮定すると、シンボルレートＲｓは、１．７６Ｇｂｐｓ（ＣＢ＝１）であり、ＭＩＭＯアンテナの数ＮＴは８である。
【０１４５】
本実施形態における解決手段に基づいて、
【数５６】
2019525543.tif 000058
であり、ゴレイ相補シーケンスの８つのペアＧａ１５１２／Ｇｂ１５１２、Ｇａ２５１２／Ｇｂ２５１２、Ｇａ３５１２／Ｇｂ３５１２、Ｇａ４５１２／Ｇｂ４５１２、Ｇａ５５１２／Ｇｂ５５１２、Ｇａ６５１２／Ｇｂ６５１２、Ｇａ７５１２／Ｇｂ７５１２、及び、Ｇａ８５１２／Ｇｂ８５１２が生成される。
【０１４６】
次に、ゴレイ相補シーケンスの８つのペアが個別に２回、繰り返し交互に配置され、長さＬを有するサイクリックプレフィックスが、ビームトレーニングシーケンスＥ−Ｔ／Ｒを構築するために加えられる。具体的には、ビームトレーニングシーケンスＥ−Ｔ／Ｒは、図６−ｂに基づいて生成されてよい。
【０１４７】
第１６実施形態において、推定対象のチャネルの最大遅延拡散Ｔｍが３００ｎｓであると仮定すると、シンボルレートＲｓは、３．５２Ｇｂｐｓ（ＣＢ＝２）であり、ＳＩＳＯアンテナの数ＮＴは１である。
【０１４８】
本実施形態における解決手段に基づいて、
【数５７】
2019525543.tif 000059
であり、ゴレイ相補シーケンスの１つのペアＧａ１１０２４／Ｇｂ１１０２４が生成される。
【０１４９】
次に、ゴレイ相補シーケンスの１つのペアが個別に２回、繰り返し交互に配置され、長さＬを有するサイクリックプレフィックスが、ビームトレーニングシーケンスＥ−Ｔ／Ｒを構築するために加えられる。具体的には、ビームトレーニングシーケンスＥ−Ｔ／Ｒは、図６−ｂに基づいて生成されてよい。
【０１５０】
第１７実施形態において、推定対象のチャネルの最大遅延拡散Ｔｍが３００ｎｓであると仮定すると、シンボルレートＲｓは、３．５２Ｇｂｐｓ（ＣＢ＝２）であり、ＭＩＭＯアンテナの数ＮＴは２である。
【０１５１】
本実施形態における解決手段に基づいて、
【数５８】
2019525543.tif 000060
であり、ゴレイ相補シーケンスの２つのペアＧａ１１０２４／Ｇｂ１１０２４及びＧａ２１０２４／Ｇｂ２１０２４が生成される。
【０１５２】
次に、ゴレイ相補シーケンスの２つのペアが個別に２回、繰り返し交互に配置され、長さＬを有するサイクリックプレフィックスが、ビームトレーニングシーケンスＥ−Ｔ／Ｒを構築するために加えられる。具体的には、ビームトレーニングシーケンスＥ−Ｔ／Ｒは、図６−ｂに基づいて生成されてよい。
【０１５３】
第１８実施形態において、推定対象のチャネルの最大遅延拡散Ｔｍが３００ｎｓであると仮定すると、シンボルレートＲｓは、３．５２Ｇｂｐｓ（ＣＢ＝２）であり、ＭＩＭＯアンテナの数ＮＴは４である。
【０１５４】
本実施形態における解決手段に基づいて、
【数５９】
2019525543.tif 000061
であり、ゴレイ相補シーケンスの４つのペアＧａ１１０２４／Ｇｂ１１０２４、Ｇａ２１０２４／Ｇｂ２１０２４、Ｇａ３１０２４／Ｇｂ３１０２４、及び、Ｇａ４１０２４／Ｇｂ４１０２４が生成される。
【０１５５】
次に、ゴレイ相補シーケンスの４つのペアが個別に２回、繰り返し交互に配置され、長さＬを有するサイクリックプレフィックスが、ビームトレーニングシーケンスＥ−Ｔ／Ｒを構築するために加えられる。具体的には、ビームトレーニングシーケンスＥ−Ｔ／Ｒは、図６−ｂに基づいて生成されてよい。
【０１５６】
第１９実施形態において、推定対象のチャネルの最大遅延拡散Ｔｍが３００ｎｓであると仮定すると、シンボルレートＲｓは、３．５２Ｇｂｐｓ（ＣＢ＝２）であり、ＭＩＭＯアンテナの数ＮＴは８である。
【０１５７】
本実施形態における解決手段に基づいて、
【数６０】
2019525543.tif 000062
であり、ゴレイ相補シーケンスの８つのペアＧａ１１０２４／Ｇｂ１１０２４、Ｇａ２１０２４／Ｇｂ２１０２４、Ｇａ３１０２４／Ｇｂ３１０２４、Ｇａ４１０２４／Ｇｂ４１０２４、Ｇａ５１０２４／Ｇｂ５１０２４、Ｇａ６１０２４／Ｇｂ６１０２４、Ｇａ７１０２４／Ｇｂ７１０２４、及び、Ｇａ８１０２４／Ｇｂ８１０２４が生成される。
【０１５８】
次に、ゴレイ相補シーケンスの８つのペアが個別に２回、繰り返し交互に配置され、長さＬを有するサイクリックプレフィックスが、ビームトレーニングシーケンスＥ−Ｔ／Ｒを構築するために加えられる。具体的には、ビームトレーニングシーケンスＥ−Ｔ／Ｒは、図６−ｂに基づいて生成されてよい。
【０１５９】
第２０実施形態において、推定対象のチャネルの最大遅延拡散Ｔｍが３００ｎｓであると仮定すると、シンボルレートＲｓは、５．２８Ｇｂｐｓ又は７．０４Ｇｂｐｓ（ＣＢ＝３又はＣＢ＝４）であり、ＳＩＳＯアンテナの数ＮＴは１である。
【０１６０】
本実施形態における解決手段に基づいて、
【数６１】
2019525543.tif 000063
であり、ゴレイ相補シーケンスの１つのペアＧａ１２０４８／Ｇｂ１２０４８が生成される。
【０１６１】
次に、ゴレイ相補シーケンスの１つのペアが個別に２回、繰り返し交互に配置され、長さＬを有するサイクリックプレフィックスが、ビームトレーニングシーケンスＥ−Ｔ／Ｒを構築するために加えられる。具体的には、ビームトレーニングシーケンスＥ−Ｔ／Ｒは、図６−ｂに基づいて生成されてよい。
【０１６２】
第２１実施形態において、推定対象のチャネルの最大遅延拡散Ｔｍが３００ｎｓであると仮定すると、シンボルレートＲｓは、５．２８Ｇｂｐｓ又は７．０４Ｇｂｐｓ（ＣＢ＝３又はＣＢ＝４）であり、ＭＩＭＯアンテナの数ＮＴは２である。
【０１６３】
本実施形態における解決手段に基づいて、
【数６２】
2019525543.tif 000064
であり、ゴレイ相補シーケンスの２つのペアＧａ１２０４８／Ｇｂ１２０４８及びＧａ２２０４８／Ｇｂ２２０４８が生成される。
【０１６４】
次に、ゴレイ相補シーケンスの２つのペアが個別に２回、繰り返し交互に配置され、長さＬを有するサイクリックプレフィックスが、ビームトレーニングシーケンスＥ−Ｔ／Ｒを構築するために加えられる。具体的には、ビームトレーニングシーケンスＥ−Ｔ／Ｒは、図６−ｂに基づいて生成されてよい。
【０１６５】
第２２実施形態において、推定対象のチャネルの最大遅延拡散Ｔｍが３００ｎｓであると仮定すると、シンボルレートＲｓは、５．２８Ｇｂｐｓ又は７．０４Ｇｂｐｓ（ＣＢ＝３又はＣＢ＝４）であり、ＭＩＭＯアンテナの数ＮＴは４である。
【０１６６】
本実施形態における解決手段に基づいて、
【数６３】
2019525543.tif 000065
であり、ゴレイ相補シーケンスの４つのペアＧａ１２０４８／Ｇｂ１２０４８、Ｇａ２２０４８／Ｇｂ２２０４８、Ｇａ３２０４８／Ｇｂ３２０４８、及び、Ｇａ４２０４８／Ｇｂ４２０４８が生成される。
【０１６７】
次に、ゴレイ相補シーケンスの４つのペアが個別に２回、繰り返し交互に配置され、長さＬを有するサイクリックプレフィックスが、ビームトレーニングシーケンスＥ−Ｔ／Ｒを構築するために加えられる。具体的には、ビームトレーニングシーケンスＥ−Ｔ／Ｒは、図６−ｂに基づいて生成されてよい。
【０１６８】
第２３実施形態において、推定対象のチャネルの最大遅延拡散Ｔｍが３００ｎｓであると仮定すると、シンボルレートＲｓは、５．２８Ｇｂｐｓ又は７．０４Ｇｂｐｓ（ＣＢ＝３又はＣＢ＝４）であり、ＭＩＭＯアンテナの数ＮＴは８である。
【０１６９】
本実施形態における解決手段に基づいて、
【数６４】
2019525543.tif 000066
であり、ゴレイ相補シーケンスの８つのペアＧａ１２０４８／Ｇｂ１２０４８、Ｇａ２２０４８／Ｇｂ２２０４８、Ｇａ３２０４８／Ｇｂ３２０４８、Ｇａ４２０４８／Ｇｂ４２０４８、Ｇａ５２０４８／Ｇｂ５２０４８、Ｇａ６２０４８／Ｇｂ６２０４８、Ｇａ７２０４８／Ｇｂ７２０４８、及び、Ｇａ８２０４８／Ｇｂ８２０４８が生成される。
【０１７０】
次に、ゴレイ相補シーケンスの８つのペアが個別に２回、繰り返し交互に配置され、長さＬを有するサイクリックプレフィックスが、ビームトレーニングシーケンスＥ−Ｔ／Ｒを構築するために加えられる。具体的には、ビームトレーニングシーケンスＥ−Ｔ／Ｒは、図６−ｂに基づいて生成されてよい。
【０１７１】
本発明の本実施形態において提供される技術的解決手段では、ゴレイ相補シーケンスは、２×Ｎ×Ｌの長さを有するＮＴ個の直交ゴレイシーケンスを取得するために、特定の方式で繰り返し交互に配置されてよく、次に、長さＬを有するサイクリックプレフィックスは、ＮＴ個のアンテナを有するチャネルにおいてビームトレーニングを実行するために用いられるビームトレーニングシーケンスを取得するために、各ゴレイシーケンスの前に加えられ、その結果、ビームトレーニングシーケンスは、もはや、アンテナの数、チャネルの遅延拡散値、及び、マルチチャネルボンディングなどのシナリオにより制限されることがなくなり、様々なチャネルシナリオ構成に適用可能とすることができることが認識され得る。
【０１７２】
図７−ａは、本発明の実施形態に係るビームトレーニングシーケンスの設計方法の第４実施形態の概略フローチャートである。図７−ａに示される方法において、図４、図５又は図６−ａに示される方法の内容と同一又は同様の内容については、図４、図５又は図６−ａにおける詳細な説明を参照されたい。ここで詳細が再び説明されることはない。方法は、以下の段階を含む。
【０１７３】
Ｓ７０１．予め設定されたゴレイＧｏｌａｙ相補シーケンス生成方式で長さＬを有するゴレイ相補シーケンスのＭ個のペアを生成する。
【０１７４】
長さＬを有するゴレイ相補シーケンスのＭ個のペアは、有限体ＺＨフィールドにおいて規定される。長さＬを有するゴレイ相補シーケンスのＭ個のペアのそれぞれは、長さＬを有する２つのゴレイ相補シーケンスを含む。Ｌは、チャネルの最大遅延Ｔｍに対応する信号の長さである。Ｍ及びＬは共に０より大きい正の整数である。
【０１７５】
Ｓ７０２．長さＬを有するゴレイ相補シーケンスのＭ個のペアから、長さＬを有するゴレイ相補シーケンスの
【数６５】
2019525543.tif 000067
個のペアを取得する。
【０１７６】
ＮＴは送信端におけるアンテナの数である。ＮＴは０より大きい正の整数である。Ｎは０より大きい正の整数である。Ｍの値は、ＮＴの値より大きい又はＮＴの値に等しい。
【０１７７】
Ｓ７０３．第２の予め設定された方式でＮ回、長さＬを有するゴレイ相補シーケンスの
【数６６】
2019525543.tif 000068
個のペアのそれぞれを繰り返し交互に配置し、繰り返し交互に配置した後に取得したシーケンスに予め設定された直交行列を乗算して、２×Ｎ×Ｌの長さを有するＮＴ個の直交ゴレイシーケンスを取得し、予め設定された直交行列は、２×Ｎ次の直交行列である。
【０１７８】
好ましくは、Ｎの値は２であり、その結果、予め設定された直交行列は４次の直交行列である。
【０１７９】
Ｓ７０４．２×Ｎ×Ｌの長さを有するＮＴ個の直交ゴレイ相補シーケンスのそれぞれの前に、長さＬを有するゴレイ相補シーケンスサイクリックプレフィックスを加えて、ＮＴ個のアンテナを有するチャネルに適用されるビームトレーニングシーケンスを取得する。
【０１８０】
具体的には、以下では、異なるチャネルシナリオにおいて、本方法を用いることにより、ビームトレーニングシーケンスを生成するための方法の例を説明する。
【０１８１】
第１実施形態において、推定対象のチャネルの最大遅延拡散Ｔｍが７２ｎｓであると仮定すると、シンボルレートＲｓは、１．７６Ｇｂｐｓ（ＣＢ＝１）であり、ＭＩＭＯアンテナの数ＮＴは２である。
【０１８２】
本実施形態における解決手段に基づいて、
【数６７】
2019525543.tif 000069
であり、ゴレイ相補シーケンスの１つのペアＧａ１１２８／Ｇｂ１１２８が生成される。
【０１８３】
次に、ゴレイ相補シーケンスの１つのペアは、２回、繰り返し交互に配置され、繰り返し交互に配置した後に取得したシーケンスは、４つの直交シーケンスを取得するために、４×４直交行列Ｐにより乗算される。
【数６８】
2019525543.tif 000070
【０１８４】
任意の２つのシーケンスが直交シーケンスから選択され、長さＬを有するサイクリックプレフィックスが、ビームトレーニングシーケンスＥ−Ｔ／Ｒを構築するために加えられる。具体的には、ビームトレーニングシーケンスＥ−Ｔ／Ｒは、図７−ｃに基づいて生成されてよい。図７−ｃは、本発明の実施形態に係るビームトレーニングシーケンスの第３の概略図である。
【０１８５】
第２実施形態において、推定対象のチャネルの最大遅延拡散Ｔｍが７２ｎｓであると仮定すると、シンボルレートＲｓは、１．７６Ｇｂｐｓ（ＣＢ＝１）であり、ＭＩＭＯアンテナの数ＮＴは４である。
【０１８６】
本実施形態における解決手段に基づいて、
【数６９】
2019525543.tif 000071
であり、ゴレイ相補シーケンスの１つのペアＧａ１１２８／Ｇｂ１１２８が生成される。
【０１８７】
次に、ゴレイ相補シーケンスの１つのペアは、２回、繰り返し交互に配置され、繰り返し交互に配置した後に取得したシーケンスは、４つの直交シーケンスを取得するために、４×４直交行列Ｐにより乗算される。
【数７０】
2019525543.tif 000072
【０１８８】
直交シーケンスのうちの４つが選択され、長さＬを有するサイクリックプレフィックスが、ビームトレーニングシーケンスＥ−Ｔ／Ｒを構築するために加えられる。具体的には、ビームトレーニングシーケンスＥ−Ｔ／Ｒは、図７−ｄに基づいて生成されてよい。図７−ｃは、本発明の実施形態に係るビームトレーニングシーケンスの第４の概略図である。
【０１８９】
第３実施形態において、推定対象のチャネルの最大遅延拡散Ｔｍが７２ｎｓであると仮定すると、シンボルレートＲｓは、１．７６Ｇｂｐｓ（ＣＢ＝１）であり、ＭＩＭＯアンテナの数ＮＴは８である。
【０１９０】
本実施形態における解決手段に基づいて、
【数７１】
2019525543.tif 000073
であり、ゴレイ相補シーケンスの２つのペアＧａ１１２８／Ｇｂ１１２８及びＧａ２１２８/Ｇｂ２１２８が生成される。
【０１９１】
次に、ゴレイ相補シーケンスの２つのペアは、２回、繰り返し交互に配置され、繰り返し交互に配置した後に取得したシーケンスは、８つの直交シーケンスを取得するために、４×４直交行列Ｐにより乗算される。
【数７２】
2019525543.tif 000074
及び、
【数７３】
2019525543.tif 000075
【０１９２】
直交シーケンスのうちの８つが選択され、長さＬを有するサイクリックプレフィックスが、ビームトレーニングシーケンスＥ−Ｔ／Ｒを構築するために加えられる。具体的には、ビームトレーニングシーケンスＥ−Ｔ／Ｒは、図７−ｅに基づいて生成されてよい。図７−ｅは、本発明の実施形態に係るビームトレーニングシーケンスの第５の概略図である。
【０１９３】
第４実施形態において、推定対象のチャネルの最大遅延拡散Ｔｍが７２ｎｓであると仮定すると、シンボルレートＲｓは、３．５２Ｇｂｐｓ（ＣＢ＝２）であり、ＳＩＳＯアンテナの数ＮＴは１である。
【０１９４】
本実施形態における解決手段に基づいて、
【数７４】
2019525543.tif 000076
であり、ゴレイ相補シーケンスの１つのペアＧａ１２５６／Ｇｂ１２５６が生成される。
【０１９５】
次に、ゴレイ相補シーケンスの１つのペアは、２回、繰り返し交互に配置され、繰り返し交互に配置した後に取得したシーケンスは、４つの直交シーケンスを取得するために、４×４直交行列Ｐにより乗算される。
【数７５】
2019525543.tif 000077
【０１９６】
任意の２つのシーケンスが直交シーケンスから選択され、長さＬを有するサイクリックプレフィックスが、ビームトレーニングシーケンスＥ−Ｔ／Ｒを構築するために加えられる。具体的には、ビームトレーニングシーケンスＥ−Ｔ／Ｒは、図７−ｂに基づいて生成されてよい。図７−ｃは、本発明の実施形態に係るビームトレーニングシーケンスの第２の概略図である。
【０１９７】
第５実施形態において、推定対象のチャネルの最大遅延拡散Ｔｍが７２ｎｓであると仮定すると、シンボルレートＲｓは、３．５２Ｇｂｐｓ（ＣＢ＝２）であり、ＭＩＭＯアンテナの数ＮＴは２である。
【０１９８】
本実施形態における解決手段に基づいて、
【数７６】
2019525543.tif 000078
であり、ゴレイ相補シーケンスの１つのペアＧａ１２５６／Ｇｂ１２５６が生成される。
【０１９９】
次に、ゴレイ相補シーケンスの１つのペアは、２回、繰り返し交互に配置され、繰り返し交互に配置した後に取得したシーケンスは、４つの直交シーケンスを取得するために、４×４直交行列Ｐにより乗算される。
【数７７】
2019525543.tif 000079
【０２００】
任意の２つのシーケンスが直交シーケンスから選択され、長さＬを有するサイクリックプレフィックスが、ビームトレーニングシーケンスＥ−Ｔ／Ｒを構築するために加えられる。具体的には、ビームトレーニングシーケンスＥ−Ｔ／Ｒは、図７−ｃに基づいて生成されてよい。
【０２０１】
第６実施形態において、推定対象のチャネルの最大遅延拡散Ｔｍが７２ｎｓであると仮定すると、シンボルレートＲｓは、３．５２Ｇｂｐｓ（ＣＢ＝２）であり、ＭＩＭＯアンテナの数ＮＴは４である。
【０２０２】
本実施形態における解決手段に基づいて、
【数７８】
2019525543.tif 000080
であり、ゴレイ相補シーケンスの１つのペアＧａ１２５６／Ｇｂ１２５６が生成される。
【０２０３】
次に、ゴレイ相補シーケンスの１つのペアは、２回、繰り返し交互に配置され、繰り返し交互に配置した後に取得したシーケンスは、４つの直交シーケンスを取得するために、４×４直交行列Ｐにより乗算される。
【数７９】
2019525543.tif 000081
【０２０４】
直交シーケンスのうちの４つが選択され、長さＬを有するサイクリックプレフィックスが、ビームトレーニングシーケンスＥ−Ｔ／Ｒを構築するために加えられる。具体的には、ビームトレーニングシーケンスＥ−Ｔ／Ｒは、図７−ｄに基づいて生成されてよい。
【０２０５】
第７実施形態において、推定対象のチャネルの最大遅延拡散Ｔｍが７２ｎｓであると仮定すると、シンボルレートＲｓは、３．５２Ｇｂｐｓ（ＣＢ＝２）であり、ＭＩＭＯアンテナの数ＮＴは８である。
【０２０６】
本実施形態における解決手段に基づいて、
【数８０】
2019525543.tif 000082
であり、ゴレイ相補シーケンスの２つのペアＧａ１２５６／Ｇｂ１２５６及びＧａ２２５６／Ｇｂ２２５６が生成されてよい。
【０２０７】
次に、ゴレイ相補シーケンスの２つのペアは、２回、繰り返し交互に配置され、繰り返し交互に配置した後に取得したシーケンスは、８つの直交シーケンスを取得するために、４×４直交行列Ｐにより乗算される。
【数８１】
2019525543.tif 000083
及び、
【数８２】
2019525543.tif 000084
【０２０８】
８つのシーケンスが直交シーケンスから選択され、長さＬを有するサイクリックプレフィックスが、ビームトレーニングシーケンスＥ−Ｔ／Ｒを構築するために加えられる。具体的には、ビームトレーニングシーケンスＥ−Ｔ／Ｒは、図７−ｅに基づいて生成されてよい。
【０２０９】
第８実施形態において、推定対象のチャネルの最大遅延拡散Ｔｍが７２ｎｓであると仮定すると、シンボルレートＲｓは、５．２８Ｇｂｐｓ又は７．０４Ｇｂｐｓ（ＣＢ＝３又はＣＢ＝４）であり、ＳＩＳＯアンテナの数ＮＴは１である。
【０２１０】
本実施形態における解決手段に基づいて、
【数８３】
2019525543.tif 000085
であり、ゴレイ相補シーケンスの１つのペアＧａ１５１２／Ｇｂ１５１２が生成される。
【０２１１】
次に、ゴレイ相補シーケンスの１つのペアは、２回、繰り返し交互に配置され、繰り返し交互に配置した後に取得したシーケンスは、４つの直交シーケンスを取得するために、４×４直交行列Ｐにより乗算される。
【数８４】
2019525543.tif 000086
【０２１２】
任意の１つのシーケンスが直交シーケンスから選択され、長さＬを有するサイクリックプレフィックスが、ビームトレーニングシーケンスＥ−Ｔ／Ｒを構築するために加えられる。具体的には、ビームトレーニングシーケンスＥ−Ｔ／Ｒは、図７−ｂに基づいて生成されてよい。
【０２１３】
第９実施形態において、推定対象のチャネルの最大遅延拡散Ｔｍが７２ｎｓであると仮定すると、シンボルレートＲｓは、５．２８Ｇｂｐｓ又は７．０４Ｇｂｐｓ（ＣＢ＝３又はＣＢ＝４）であり、ＭＩＭＯアンテナの数ＮＴは２である。
【０２１４】
本実施形態における解決手段に基づいて、
【数８５】
2019525543.tif 000087
であり、ゴレイ相補シーケンスの１つのペアＧａ１５１２／Ｇｂ１５１２が生成される。
【０２１５】
次に、ゴレイ相補シーケンスの１つのペアは、２回、繰り返し交互に配置され、繰り返し交互に配置した後に取得したシーケンスは、４つの直交シーケンスを取得するために、４×４直交行列Ｐにより乗算される。
【数８６】
2019525543.tif 000088
【０２１６】
任意の２つのシーケンスが直交シーケンスから選択され、長さＬを有するサイクリックプレフィックスが、ビームトレーニングシーケンスＥ−Ｔ／Ｒを構築するために加えられる。具体的には、ビームトレーニングシーケンスＥ−Ｔ／Ｒは、図７−ｃに基づいて生成されてよい。
【０２１７】
第１０実施形態において、推定対象のチャネルの最大遅延拡散Ｔｍが７２ｎｓであると仮定すると、シンボルレートＲｓは、５．２８Ｇｂｐｓ又は７．０４Ｇｂｐｓ（ＣＢ＝３又はＣＢ＝４）であり、ＭＩＭＯアンテナの数ＮＴは４である。
【０２１８】
本実施形態における解決手段に基づいて、
【数８７】
2019525543.tif 000089
であり、ゴレイ相補シーケンスの１つのペアＧａ１５１２／Ｇｂ１５１２が生成される。
【０２１９】
次に、ゴレイ相補シーケンスの１つのペアは、２回、繰り返し交互に配置され、繰り返し交互に配置した後に取得したシーケンスは、４つの直交シーケンスを取得するために、４×４直交行列Ｐにより乗算される。
【数８８】
2019525543.tif 000090
【０２２０】
任意の４つのシーケンスが直交シーケンスから選択され、長さＬを有するサイクリックプレフィックスが、ビームトレーニングシーケンスＥ−Ｔ／Ｒを構築するために加えられる。具体的には、ビームトレーニングシーケンスＥ−Ｔ／Ｒは、図７−ｄに基づいて生成されてよい。
【０２２１】
第１１実施形態において、推定対象のチャネルの最大遅延拡散Ｔｍが７２ｎｓであると仮定すると、シンボルレートＲｓは、５．２８Ｇｂｐｓ又は７．０４Ｇｂｐｓ（ＣＢ＝３又はＣＢ＝４）であり、ＭＩＭＯアンテナの数ＮＴは８である。
【０２２２】
本実施形態における解決手段に基づいて、
【数８９】
2019525543.tif 000091
であり、ゴレイ相補シーケンスの２つのペアＧａ１５１２／Ｇｂ１５１２及びＧａ２５１２／Ｇｂ２５１２が生成される。
【０２２３】
次に、ゴレイ相補シーケンスの２つのペアは、２回、繰り返し交互に配置され、繰り返し交互に配置した後に取得したシーケンスは、８つの直交シーケンスを取得するために、４×４直交行列Ｐにより乗算される。
【数９０】
2019525543.tif 000092
及び、
【数９１】
2019525543.tif 000093
【０２２４】
直交シーケンスのうちの８つが選択され、長さＬを有するサイクリックプレフィックスが、ビームトレーニングシーケンスＥ−Ｔ／Ｒを構築するために加えられる。具体的には、ビームトレーニングシーケンスＥ−Ｔ／Ｒは、図７−ｅに基づいて生成されてよい。
【０２２５】
第１２実施形態において、推定対象のチャネルの最大遅延拡散Ｔｍが３００ｎｓであると仮定すると、シンボルレートＲｓは、１．７６Ｇｂｐｓ（ＣＢ＝１）であり、ＳＩＳＯアンテナの数ＮＴは１である。
【０２２６】
本実施形態における解決手段に基づいて、
【数９２】
2019525543.tif 000094
であり、ゴレイ相補シーケンスの１つのペアＧａ１５１２／Ｇｂ１５１２が生成される。
【０２２７】
次に、ゴレイ相補シーケンスの１つのペアは、２回、繰り返し交互に配置され、繰り返し交互に配置した後に取得したシーケンスは、４つの直交シーケンスを取得するために、４×４直交行列Ｐにより乗算される。
【数９３】
2019525543.tif 000095
【０２２８】
任意の１つのシーケンスが直交シーケンスから選択され、長さＬを有するサイクリックプレフィックスが、ビームトレーニングシーケンスＥ−Ｔ／Ｒを構築するために加えられる。具体的には、ビームトレーニングシーケンスＥ−Ｔ／Ｒは、図７−ｂに基づいて生成されてよい。
【０２２９】
第１３実施形態において、推定対象のチャネルの最大遅延拡散Ｔｍが３００ｎｓであると仮定すると、シンボルレートＲｓは、１．７６Ｇｂｐｓ（ＣＢ＝１）であり、ＭＩＭＯアンテナの数ＮＴは２である。
【０２３０】
本実施形態における解決手段に基づいて、
【数９４】
2019525543.tif 000096
であり、ゴレイ相補シーケンスの１つのペアＧａ１５１２／Ｇｂ１５１２が生成される。
【０２３１】
次に、ゴレイ相補シーケンスの１つのペアは、２回、繰り返し交互に配置され、繰り返し交互に配置した後に取得したシーケンスは、４つの直交シーケンスを取得するために、４×４直交行列Ｐにより乗算される。
【数９５】
2019525543.tif 000097
【０２３２】
任意の２つのシーケンスが直交シーケンスから選択され、長さＬを有するサイクリックプレフィックスが、ビームトレーニングシーケンスＥ−Ｔ／Ｒを構築するために加えられる。具体的には、ビームトレーニングシーケンスＥ−Ｔ／Ｒは、図７−ｃに基づいて生成されてよい。
【０２３３】
第１４実施形態において、推定対象のチャネルの最大遅延拡散Ｔｍが３００ｎｓであると仮定すると、シンボルレートＲｓは、１．７６Ｇｂｐｓ（ＣＢ＝１）であり、ＭＩＭＯアンテナの数ＮＴは４である。
【０２３４】
本実施形態における解決手段に基づいて、
【数９６】
2019525543.tif 000098
であり、ゴレイ相補シーケンスの１つのペアＧａ１５１２／Ｇｂ１５１２が生成される。
【０２３５】
次に、ゴレイ相補シーケンスの１つのペアは、２回、繰り返し交互に配置され、繰り返し交互に配置した後に取得したシーケンスは、４つの直交シーケンスを取得するために、４×４直交行列Ｐにより乗算される。
【数９７】
2019525543.tif 000099
【０２３６】
直交シーケンスのうちの４つが選択され、長さＬを有するサイクリックプレフィックスが、ビームトレーニングシーケンスＥ−Ｔ／Ｒを構築するために加えられる。具体的には、ビームトレーニングシーケンスＥ−Ｔ／Ｒは、図７−ｄに基づいて生成されてよい。
【０２３７】
第１５実施形態において、推定対象のチャネルの最大遅延拡散Ｔｍが３００ｎｓであると仮定すると、シンボルレートＲｓは、１．７６Ｇｂｐｓ（ＣＢ＝１）であり、ＭＩＭＯアンテナの数ＮＴは８である。
【０２３８】
本実施形態における解決手段に基づいて、
【数９８】
2019525543.tif 000100
であり、ゴレイ相補シーケンスの２つのペアＧａ１５１２／Ｇｂ１５１２及びＧａ２５１２／Ｇｂ２５１２が生成される。
【０２３９】
次に、ゴレイ相補シーケンスの２つのペアは、２回、繰り返し交互に配置され、繰り返し交互に配置した後に取得したシーケンスは、８つの直交シーケンスを取得するために、４×４直交行列Ｐにより乗算される。
【数９９】
2019525543.tif 000101
及び、
【数１００】
2019525543.tif 000102
【０２４０】
直交シーケンスのうちの８つが選択され、長さＬを有するサイクリックプレフィックスが、ビームトレーニングシーケンスＥ−Ｔ／Ｒを構築するために加えられる。具体的には、ビームトレーニングシーケンスＥ−Ｔ／Ｒは、図７−ｅに基づいて生成されてよい。
【０２４１】
第１６実施形態において、推定対象のチャネルの最大遅延拡散Ｔｍが３００ｎｓであると仮定すると、シンボルレートＲｓは、３．５２Ｇｂｐｓ（ＣＢ＝２）であり、ＳＩＳＯアンテナの数ＮＴは１である。
【０２４２】
本実施形態における解決手段に基づいて、
【数１０１】
2019525543.tif 000103
であり、ゴレイ相補シーケンスの１つのペアＧａ１１０２４／Ｇｂ１１０２４が生成される。
【０２４３】
次に、ゴレイ相補シーケンスの１つのペアは、２回、繰り返し交互に配置され、繰り返し交互に配置した後に取得したシーケンスは、４つの直交シーケンスを取得するために、４×４直交行列Ｐにより乗算される。
【数１０２】
2019525543.tif 000104
【０２４４】
任意の１つのシーケンスが直交シーケンスから選択され、長さＬを有するサイクリックプレフィックスが、ビームトレーニングシーケンスＥ−Ｔ／Ｒを構築するために加えられる。具体的には、ビームトレーニングシーケンスＥ−Ｔ／Ｒは、図７−ｂに基づいて生成されてよい。
【０２４５】
第１７実施形態において、推定対象のチャネルの最大遅延拡散Ｔｍが３００ｎｓであると仮定すると、シンボルレートＲｓは、３．５２Ｇｂｐｓ（ＣＢ＝２）であり、ＭＩＭＯアンテナの数ＮＴは２である。
【０２４６】
本実施形態における解決手段に基づいて、
【数１０３】
2019525543.tif 000105
であり、ゴレイ相補シーケンスの１つのペアＧａ１１０２４／Ｇｂ１１０２４が生成される。
【０２４７】
次に、ゴレイ相補シーケンスの１つのペアは、２回、繰り返し交互に配置され、繰り返し交互に配置した後に取得したシーケンスは、４つの直交シーケンスを取得するために、４×４直交行列Ｐにより乗算される。
【数１０４】
2019525543.tif 000106
【０２４８】
任意の２つのシーケンスが直交シーケンスから選択され、長さＬを有するサイクリックプレフィックスが、ビームトレーニングシーケンスＥ−Ｔ／Ｒを構築するために加えられる。具体的には、ビームトレーニングシーケンスＥ−Ｔ／Ｒは、図７−ｃに基づいて生成されてよい。
【０２４９】
第１８実施形態において、推定対象のチャネルの最大遅延拡散Ｔｍが３００ｎｓであると仮定すると、シンボルレートＲｓは、３．５２Ｇｂｐｓ（ＣＢ＝２）であり、ＭＩＭＯアンテナの数ＮＴは４である。
【０２５０】
本実施形態における解決手段に基づいて、
【数１０５】
2019525543.tif 000107
であり、ゴレイ相補シーケンスの２つのペアＧａ１１０２４／Ｇｂ１１０２４が生成される。
【０２５１】
次に、ゴレイ相補シーケンスの１つのペアは、２回、繰り返し交互に配置され、繰り返し交互に配置した後に取得したシーケンスは、４つの直交シーケンスを取得するために、４×４直交行列Ｐにより乗算される。
【数１０６】
2019525543.tif 000108
【０２５２】
直交シーケンスのうちの４つが選択され、長さＬを有するサイクリックプレフィックスが、ビームトレーニングシーケンスＥ−Ｔ／Ｒを構築するために加えられる。具体的には、ビームトレーニングシーケンスＥ−Ｔ／Ｒは、図７−ｄに基づいて生成されてよい。
【０２５３】
第１９実施形態において、推定対象のチャネルの最大遅延拡散Ｔｍが３００ｎｓであると仮定すると、シンボルレートＲｓは、３．５２Ｇｂｐｓ（ＣＢ＝２）であり、ＭＩＭＯアンテナの数ＮＴは８である。
【０２５４】
本実施形態における解決手段に基づいて、
【数１０７】
2019525543.tif 000109
であり、ゴレイ相補シーケンスの２つのペアＧａ１１０２４／Ｇｂ１１０２４及びＧａ２１０２４／Ｇｂ２１０２４が生成される。
【０２５５】
次に、ゴレイ相補シーケンスの２つのペアは、２回、繰り返し交互に配置され、繰り返し交互に配置した後に取得したシーケンスは、８つの直交シーケンスを取得するために、４×４直交行列Ｐにより乗算される。
【数１０８】
2019525543.tif 000110
及び、
【数１０９】
2019525543.tif 000111
【０２５６】
直交シーケンスのうちの８つが選択され、長さＬを有するサイクリックプレフィックスが、ビームトレーニングシーケンスＥ−Ｔ／Ｒを構築するために加えられる。具体的には、ビームトレーニングシーケンスＥ−Ｔ／Ｒは、図７−ｅに基づいて生成されてよい。
【０２５７】
第２０実施形態において、推定対象のチャネルの最大遅延拡散Ｔｍが３００ｎｓであると仮定すると、シンボルレートＲｓは、５．２８Ｇｂｐｓ又は７．０４Ｇｂｐｓ（ＣＢ＝３又はＣＢ＝４）であり、ＳＩＳＯアンテナの数ＮＴは１である。
【０２５８】
本実施形態における解決手段に基づいて、
【数１１０】
2019525543.tif 000112
であり、ゴレイ相補シーケンスの１つのペアＧａ１２０４８／Ｇｂ１２０４８が生成される。
【０２５９】
次に、ゴレイ相補シーケンスの１つのペアは、２回、繰り返し交互に配置され、繰り返し交互に配置した後に取得したシーケンスは、４つの直交シーケンスを取得するために、４×４直交行列Ｐにより乗算される。
【数１１１】
2019525543.tif 000113
【０２６０】
任意の１つのシーケンスが直交シーケンスから選択され、長さＬを有するサイクリックプレフィックスが、ビームトレーニングシーケンスＥ−Ｔ／Ｒを構築するために加えられる。具体的には、ビームトレーニングシーケンスＥ−Ｔ／Ｒは、図７−ｂに基づいて生成されてよい。
【０２６１】
第２１実施形態において、推定対象のチャネルの最大遅延拡散Ｔｍが３００ｎｓであると仮定すると、シンボルレートＲｓは、５．２８Ｇｂｐｓ又は７．０４Ｇｂｐｓ（ＣＢ＝３又はＣＢ＝４）であり、ＭＩＭＯアンテナの数ＮＴは２である。
【０２６２】
本実施形態における解決手段に基づいて、
【数１１２】
2019525543.tif 000114
であり、ゴレイ相補シーケンスの１つのペアＧａ１２０４８／Ｇｂ１２０４８が生成される。
【０２６３】
次に、ゴレイ相補シーケンスの１つのペアは、２回、繰り返し交互に配置され、繰り返し交互に配置した後に取得したシーケンスは、４つの直交シーケンスを取得するために、４×４直交行列Ｐにより乗算される。
【数１１３】
2019525543.tif 000115
【０２６４】
任意の１つのシーケンスが直交シーケンスから選択され、長さＬを有するサイクリックプレフィックスが、ビームトレーニングシーケンスＥ−Ｔ／Ｒを構築するために加えられる。具体的には、ビームトレーニングシーケンスＥ−Ｔ／Ｒは、図７−ｃに基づいて生成されてよい。
【０２６５】
第２２実施形態において、推定対象のチャネルの最大遅延拡散Ｔｍが３００ｎｓであると仮定すると、シンボルレートＲｓは、５．２８Ｇｂｐｓ又は７．０４Ｇｂｐｓ（ＣＢ＝３又はＣＢ＝４）であり、ＭＩＭＯアンテナの数ＮＴは４である。
【０２６６】
本実施形態における解決手段に基づいて、
【数１１４】
2019525543.tif 000116
であり、ゴレイ相補シーケンスの１つのペアＧａ１２０４８／Ｇｂ１２０４８が生成される。
【０２６７】
次に、ゴレイ相補シーケンスの１つのペアは、２回、繰り返し交互に配置され、繰り返し交互に配置した後に取得したシーケンスは、４つの直交シーケンスを取得するために、４×４直交行列Ｐにより乗算される。
【数１１５】
2019525543.tif 000117
【０２６８】
直交シーケンスのうちの４つが選択され、長さＬを有するサイクリックプレフィックスが、ビームトレーニングシーケンスＥ−Ｔ／Ｒを構築するために加えられる。具体的には、ビームトレーニングシーケンスＥ−Ｔ／Ｒは、図７−ｄに基づいて生成されてよい。
【０２６９】
第２３実施形態において、推定対象のチャネルの最大遅延拡散Ｔｍが３００ｎｓであると仮定すると、シンボルレートＲｓは、５．２８Ｇｂｐｓ又は７．０４Ｇｂｐｓ（ＣＢ＝３又はＣＢ＝４）であり、ＭＩＭＯアンテナの数ＮＴは８である。
【０２７０】
本実施形態における解決手段に基づいて、
【数１１６】
2019525543.tif 000118
であり、ゴレイ相補シーケンスの２つのペアＧａ１２０４８／Ｇｂ１２０４８及びＧａ２２０４８が生成される。
【０２７１】
次に、ゴレイ相補シーケンスの２つのペアは、２回、繰り返し交互に配置され、繰り返し交互に配置した後に取得したシーケンスは、８つの直交シーケンスを取得するために、４×４直交行列Ｐにより乗算される。
【数１１７】
2019525543.tif 000119
及び、
【数１１８】
2019525543.tif 000120
【０２７２】
直交シーケンスのうちの８つが選択され、長さＬを有するサイクリックプレフィックスが、ビームトレーニングシーケンスＥ−Ｔ／Ｒを構築するために加えられる。具体的には、ビームトレーニングシーケンスＥ−Ｔ／Ｒは、図７−ｅに基づいて生成されてよい。
【０２７３】
本発明の本実施形態において提供される技術的解決手段において、２×Ｎ×Ｌの長さを有するＮＴ個の直交ゴレイシーケンスは、直交行列による乗算を通じて取得されてよく、Ｌは、チャネルの最大遅延Ｔｍに対応する信号の長さであり、長さＬを有するサイクリックプレフィックスは、ＮＴ個のアンテナを有するチャネルにおいてビームトレーニングを実行するために用いられるビームトレーニングシーケンスを取得するために、各ゴレイシーケンスの前に加えられ、その結果、ビームトレーニングシーケンスは、もはや、アンテナの数、チャネルの遅延拡散値、及び、マルチチャネルボンディングなどのシナリオにより制限されることがなくなり、様々なチャネルシナリオ構成に適用可能とすることができることが認識され得る。
【０２７４】
図８は、本発明の実施形態に係るビームトレーニングシーケンス装置の第１実施形態の概略構造図である。装置は、先述の送信端デバイスに統合されてよい。図８に示されるように、装置は、生成モジュール８０１及び送信モジュール８０２を含んでよい。送信モジュール８０２は、装置のＮＴ個の送信アンテナを用いることにより、信号を送信してよい。詳細は、以下のとおりである。
【０２７５】
具体的には、生成モジュール８０１は、
ＮＴ個のビームトレーニングシーケンスを生成するように構成され、各ビームトレーニングシーケンスは、２×Ｎ×Ｌの長さを有するゴレイシーケンスと、サイクリックプレフィックスとを含み、ＮＴ個のゴレイシーケンスは直交しており、ＮＴは送信端におけるアンテナの数であり、Ｌは、チャネルの最大遅延Ｔｍに対応する信号の長さであり、ＮＴは正の整数であり、Ｎは正の整数であり、Ｌは正の整数であり、サイクリックプレフィックスの長さはＬであり、
送信モジュール８０２は、送信端におけるＮＴ個の送信アンテナを用いることにより、ビームトレーニングシーケンスを受信端に送信するように構成され、各送信アンテナは、対応するビームトレーニングシーケンスを送信する。
【０２７６】
本発明の本実施形態において、生成モジュール８０１は、具体的には、
予め設定されたゴレイＧｏｌａｙ相補シーケンス生成方式で長さＬを有するゴレイ相補シーケンスのＭ個のペアを生成し、長さＬを有するゴレイ相補シーケンスのＭ個のペアは、有限体ＺＨフィールドにおいて規定され、長さＬを有するゴレイ相補シーケンスのＭ個のペアのそれぞれは、長さＬを有する２つのゴレイ相補シーケンスを含み、Ｌは、チャネルの最大遅延Ｔｍに対応する信号の長さであり、Ｍ及びＬは共に正の整数であり、ＺＨフィールドはＨ次元エリアであり、
長さＬを有するゴレイ相補シーケンスのＭ個のペアに基づいて、２×Ｎ×Ｌの長さを有するＮＴ個の直交ゴレイシーケンスを取得し、ＮＴは送信端におけるアンテナの数であり、ＮＴは正の整数であり、Ｎは正の整数であり、Ｍの値は、ＮＴの値より大きい又はＮＴの値に等しく、
２×Ｎ×Ｌの長さを有するＮＴ個の直交ゴレイシーケンスのそれぞれの前に、長さＬを有するサイクリックプレフィックスを加えて、ＮＴ個のアンテナを有するチャネルに適用されるビームトレーニングシーケンスを取得する
ように構成される。
【０２７７】
任意に、生成モジュール８０１は、具体的には、
長さＬを有するゴレイ相補シーケンスのＭ個のペアから、長さＬを有するゴレイ相補シーケンスのＮＴ個のペアを取得し、
第１の予め設定された方式でＮ回、長さＬを有するゴレイ相補シーケンスのＮＴ個のペアのそれぞれを繰り返し交互に配置して、２×Ｎ×Ｌの長さを有するＮＴ個の直交ゴレイシーケンスを取得する
ように構成される。
【０２７８】
任意に、生成モジュール８０１は、具体的には、
長さＬを有するゴレイ相補シーケンスのＭ個のペアから、長さＬを有するゴレイ相補シーケンスの
【数１１９】
2019525543.tif 000121
個のペアを取得し、
第２の予め設定された方式でＮ回、長さＬを有するゴレイ相補シーケンスの
【数１２０】
2019525543.tif 000122
個のペアのそれぞれを繰り返し交互に配置し、繰り返し交互に配置した後に取得したシーケンスに予め設定された直交行列を乗算して、２×Ｎ×Ｌの長さを有するＮＴ個の直交ゴレイシーケンスを取得するように構成され、予め設定された直交行列は、２×Ｎ次の直交行列である。
【０２７９】
任意に、チャネルの最大遅延Ｔｍに対応する信号の長さＬは、
【数１２１】
2019525543.tif 000123
であり、Ｒｓは、チャネルのシンボルレートである。
【０２８０】
任意に、チャネルのチャネル構成は、以下のチャネル構成のうちのいずれか一つを含む。
チャネルの最大遅延Ｔｍが７２ナノ秒である場合、Ｒｓが１．７６Ｇｂｉｔ／ｓであるように、チャネルボンディングＣＢ数は１であり、送信端におけるアンテナの数ＮＴは２、４又は８である。
チャネル構成は、チャネルの最大遅延Ｔｍであり、チャネルボンディングＣＢ数及び送信端におけるアンテナの数ＮＴは、以下のパラメータ値の任意の組み合わせである。
チャネルの最大遅延Ｔｍが７２ナノ秒又は３００ナノ秒である、
チャネルボンディングＣＢ数は１、２、３又は４であり、その結果、Ｒｓが１．７６Ｇｂｉｔ／ｓ、３．５２Ｇｂｉｔ／ｓ、５．２８Ｇｂｉｔ／ｓ又は７．０４ＧＢｉｔ／ｓである、及び
送信端におけるアンテナの数ＮＴが１、２、４又は８である。
【０２８１】
任意に、サイクリックプレフィックスはゴレイシーケンスである。
【０２８２】
本発明の本実施形態において提供される技術的解決手段では、生成モジュール８０１は、ＮＴ個のビームトレーニングシーケンスを生成し、次に、送信モジュール８０２は、送信端におけるＮＴ個の送信アンテナを用いることにより、ＮＴ個のビームトレーニングシーケンスを受信端に送信し、受信端が、ＮＴ個のビームトレーニングシーケンスを受信した後に、受信端における各アンテナは、ＮＴ個のビームトレーニングシーケンスに基づいてチャネル推定を実行して、ＮＴ×１個のリンクのチャネル利得を取得することが認識され得る。各ビームトレーニングシーケンスは、２×Ｎ×Ｌの長さを有するゴレイシーケンスと、サイクリックプレフィックスとを含む。ＮＴ個のゴレイシーケンスは直交している。ＮＴは送信端におけるアンテナの数である。Ｌは、チャネルの最大遅延Ｔｍに対応する信号の長さである。ＮＴは正の整数である。Ｎは正の整数である。Ｌは正の整数である。このことは、ビームトレーニングシーケンスが先述の条件を満たすのであれば、ビームトレーニングシーケンスは、もはやアンテナの数、チャネルの遅延拡散値、及び、マルチチャネルボンディングなどのシナリオにより制限されることはなく、その結果、ビームトレーニングシーケンスは、様々なチャネルシナリオ構成に適用可能とすることができるということを実現する。
【０２８３】
装置は、先述の方法の実施形態を実行するように構成される。装置の実装方式は、方法の実施形態の実装方式と同様である。ここで詳細が再び説明されることはない。
【０２８４】
図９は、本発明の実施形態に係るビームトレーニングシーケンス装置の第１実施形態の概略構造図である。装置は、先述の送信端デバイスに統合されてよい。図９に示されるように、装置は、
メモリ９０１、プロセッサ９０２及びＮＴ個の送信アンテナ９０３（図９における送信アンテナのブロック図はＮＴ個の送信アンテナを表す）を含んでよく、メモリ９０１、プロセッサ９０２及びＮＴ個の送信アンテナ９０３は、バス９０４を用いることにより共に結合されてよいが、このことは、制限として解釈されることはなく、データバスに加えて、バス９０４は、本実施形態においてバスと総称される電力供給バス、制御バス、ステータス信号バスなどをさらに含んでよい。
【０２８５】
メモリ９０１は、プログラム命令を格納するように構成される。
【０２８６】
プロセッサ９０２は、メモリ９０１に格納されたプログラム命令を呼び出して、
ＮＴ個のビームトレーニングシーケンスを生成する手順であって、各ビームトレーニングシーケンスは、２×Ｎ×Ｌの長さを有するゴレイシーケンスと、サイクリックプレフィックスとを含み、ＮＴ個のゴレイシーケンスは直交しており、ＮＴは送信端におけるアンテナの数であり、Ｌは、チャネルの最大遅延Ｔｍに対応する信号の長さであり、ＮＴは正の整数であり、Ｎは正の整数であり、Ｌは正の整数であり、サイクリックプレフィックスの長さはＬである、手順と、
送信端におけるＮＴ個の送信アンテナを用いることにより、ＮＴ個のビームトレーニングシーケンスを受信端に送信する手順であって、各送信アンテナは、対応するビームトレーニングシーケンスを送信する、手順と
を実行するように構成される。
【０２８７】
本発明の本実施形態において、プロセッサ９０２は、具体的には、
予め設定されたゴレイＧｏｌａｙ相補シーケンス生成方式で長さＬを有するゴレイ相補シーケンスのＭ個のペアを生成し、長さＬを有するゴレイ相補シーケンスのＭ個のペアは、有限体ＺＨフィールドにおいて規定され、長さＬを有するゴレイ相補シーケンスのＭ個のペアのそれぞれは、長さＬを有する２つのゴレイ相補シーケンスを含み、Ｌは、チャネルの最大遅延Ｔｍに対応する信号の長さであり、Ｍ及びＬは共に正の整数であり、ＺＨフィールドはＨ次元エリアであり、
長さＬを有するゴレイ相補シーケンスのＭ個のペアに基づいて、２×Ｎ×Ｌの長さを有するＮＴ個の直交ゴレイシーケンスを取得し、ＮＴは送信端におけるアンテナの数であり、ＮＴは正の整数であり、Ｎは正の整数であり、Ｍの値は、ＮＴの値より大きい又はＮＴの値に等しく、
２×Ｎ×Ｌの長さを有するＮＴ個の直交ゴレイシーケンスのそれぞれの前に、長さＬを有するサイクリックプレフィックスを加えて、ＮＴ個のアンテナを有するチャネルに適用されるビームトレーニングシーケンスを取得する
ように構成される。
【０２８８】
任意に、プロセッサ９０２は、具体的には、
長さＬを有するゴレイ相補シーケンスのＭ個のペアから、長さＬを有するゴレイ相補シーケンスのＮＴ個のペアを取得し、
第１の予め設定された方式でＮ回、長さＬを有するゴレイ相補シーケンスのＮＴ個のペアのそれぞれを繰り返し交互に配置して、２×Ｎ×Ｌの長さを有するＮＴ個の直交ゴレイシーケンスを取得する
ように構成される。
【０２８９】
任意に、プロセッサ９０２は、具体的には、
長さＬを有するゴレイ相補シーケンスのＭ個のペアから、長さＬを有するゴレイ相補シーケンスの
【数１２２】
2019525543.tif 000124
個のペアを取得し、
第２の予め設定された方式でＮ回、長さＬを有するゴレイ相補シーケンスの
【数１２３】
2019525543.tif 000125
個のペアのそれぞれを繰り返し交互に配置し、繰り返し交互に配置した後に取得されたシーケンスに予め設定された直交行列を乗算して、２×Ｎ×Ｌの長さを有するＮＴ個の直交ゴレイシーケンスを取得するように構成され、予め設定された直交行列は、２×Ｎ次の直交行列である。
【０２９０】
任意に、チャネルの最大遅延Ｔｍに対応する信号の長さＬは、
【数１２４】
2019525543.tif 000126
であり、Ｒｓは、チャネルのシンボルレートである。
【０２９１】
任意に、チャネルのチャネル構成は、以下のチャネル構成のうちのいずれか一つを含む。
チャネルの最大遅延Ｔｍが７２ナノ秒である場合、Ｒｓが１．７６Ｇｂｉｔ／ｓであるように、チャネルボンディングＣＢ数は１であり、送信端におけるアンテナの数ＮＴは２、４又は８である。
チャネル構成は、チャネルの最大遅延Ｔｍであり、チャネルボンディングＣＢ数及び送信端におけるアンテナの数ＮＴは、以下のパラメータ値の任意の組み合わせである。
チャネルの最大遅延Ｔｍが７２ナノ秒又は３００ナノ秒である、
チャネルボンディングＣＢ数は１、２、３又は４であり、その結果、Ｒｓが１．７６Ｇｂｉｔ／ｓ、３．５２Ｇｂｉｔ／ｓ、５．２８Ｇｂｉｔ／ｓ又は７．０４ＧＢｉｔ／ｓである、及び
送信端におけるアンテナの数ＮＴが１、２、４又は８である。
【０２９２】
任意に、サイクリックプレフィックスはゴレイシーケンスである。
【０２９３】
本発明の本実施形態において提供される技術的解決手段では、ビームトレーニングシーケンス装置９００は、ＮＴ個のビームトレーニングシーケンスを生成し、次に、送信端におけるＮＴ個の送信アンテナを用いることにより、ＮＴ個のビームトレーニングシーケンスを受信端に送信し、受信端が、ＮＴ個のビームトレーニングシーケンスを受信した後に、受信端における各アンテナは、ＮＴ個のビームトレーニングシーケンスに基づいてチャネル推定を実行して、ＮＴ×１個のリンクのチャネル利得を取得することが認識され得る。各ビームトレーニングシーケンスは、２×Ｎ×Ｌの長さを有するゴレイシーケンスと、サイクリックプレフィックスとを含む。ＮＴ個のゴレイシーケンスは直交している。ＮＴは送信端におけるアンテナの数である。Ｌは、チャネルの最大遅延Ｔｍに対応する信号の長さである。ＮＴは正の整数である。Ｎは正の整数である。Ｌは正の整数である。このことは、ビームトレーニングシーケンスが先述の条件を満たすのであれば、ビームトレーニングシーケンスは、もはやアンテナの数、チャネルの遅延拡散値、及び、マルチチャネルボンディングなどのシナリオにより制限されることはなく、その結果、ビームトレーニングシーケンスは、様々なチャネルシナリオ構成に適用可能とすることができるということを実現する。
【０２９４】
装置は、先述の方法の実施形態を実行するように構成される。装置の実装方式は、方法の実施形態の実装方式と同様である。ここで詳細が再び説明されることはない。
【０２９５】
本発明の実施形態は、コンピュータ記憶媒体をさらに提供する。コンピュータ記憶媒体は、プログラムを格納してよい。プログラムが実行されるときに、先述の方法の実施形態において説明された任意のビームトレーニングシーケンスの設計方法の段階の一部又はすべてが実行される。
【０２９６】
説明を簡潔にすべく、先述の方法の実施形態は、一連の動作として表されていることに留意されたい。しかしながら、当業者であれば、本発明によれば、一部の段階が他のシーケンスにおいて実行されてよい、又は、同時に実行されてよいので、本発明が、説明された動作シーケンスに限定されないことを知っておくべきである。さらに、当業者であれば、明細書において説明されるすべての実施形態は、例示的な実施形態であり、関連する動作及びモジュールが必ずしも本発明に必須ではないことも知っておくべきである。
【０２９７】
先述の実施形態において、各実施形態についての説明は、それぞれ焦点を有する。実施形態において詳細に説明されていない部分については、他の実施形態において関連する説明を参照されたい。
【０２９８】
本願において提供されるいくつかの実施形態では、開示された装置が他の方式で実施されてよいことを理解されたい。例えば、説明された装置の実施形態は、単なる例に過ぎない。例えば、ユニット区分は、単に論理的な区分に過ぎず、実際の実装では他の区分であってよい。例えば、複数のユニット又はコンポーネントは、別のシステムに組み合わせられ又は統合されてよい、又は、一部の特徴は、無視されてよく又は実行されなくてよい。さらに、示され又は説明された相互結合若しくは直接結合又は通信接続は、一部のインタフェースを通じて実装されてよい。装置又はユニット間の間接的な結合又は通信接続は、電気的な又は他の形式で実装されてよい。
【０２９９】
別個の部分として説明されたユニットは、物理的に分離されてもされなくてもよく、ユニットとして示される部分は、物理ユニットであってもなくてもよく、１ヶ所に配置されてよく、又は、複数のネットワークユニット上に分散されてよい。ユニットの一部又はすべては、実施形態の解決手段の目的を達成するために、実際の要件に応じて選択されてよい。
【０３００】
さらに、本発明の実施形態における機能ユニットが１つの処理ユニットに統合されてよい、又は、ユニットのそれぞれが物理的に単独で存在してもよい、又は、２又はそれより多くのユニットが１つのユニットに統合されてよい。統合ユニットは、ハードウェアの形式で実装されてよい、又は、ソフトウェア機能ユニットの形式で実装されてよい。
【０３０１】
統合ユニットがソフトウェア機能ユニットの形式で実装され、独立した製品として販売又は使用される場合、統合ユニットは、コンピュータ可読記憶媒体に格納されてよい。そのような理解に基づいて、本発明の技術的解決手段は基本的に、又は、従来技術に対して貢献する部分は、又は、技術的解決手段のすべて又は一部は、ソフトウェア製品の形式で実装されてよい。コンピュータソフトウェア製品は、記憶媒体に格納され、（パーソナルコンピュータ、サーバ、ネットワークデバイスなどであってよい）コンピュータデバイスに、本発明の実施形態において説明される方法の段階のすべて又は一部を実行するよう命令するいくつかの命令を含む。記憶媒体は、ＵＳＢフラッシュドライブ、リードオンリメモリ（ＲＯＭ、Ｒｅａｄ‐Ｏｎｌｙ  Ｍｅｍｏｒｙ）、ランダムアクセスメモリ（ＲＡＭ、Ｒａｎｄｏｍ  Ａｃｃｅｓｓ  Ｍｅｍｏｒｙ）、リムーバブルハードディスク、磁気ディスク又は光ディスクなど、プログラムコードを格納できる任意の媒体を含む。
【０３０２】
先述の実施形態は、単に本発明の技術的解決手段を説明することを目的としたものに過ぎず、本発明を限定するものではない。先述の実施形態を参照しつつ本発明が詳細に説明されているが、当業者であれば、本発明の実施形態の技術的解決手段の範囲から逸脱することなく、先述の実施形態において説明された技術的解決手段にさらに修正を加えてもよく、又は、これらの一部の技術的特徴に対する均等な置換を行ってよいことを理解されたい。
【図１】
2019525543.tif 000133
【図２】
2019525543.tif 000134
【図３−ａ】
2019525543.tif 000135
【図３−ｂ】
2019525543.tif 000136
【図４】
2019525543.tif 000137
【図５】
2019525543.tif 000138
【図６−ａ】
2019525543.tif 000139
【図６−ｂ】
2019525543.tif 000140
【図７−ａ】
2019525543.tif 000141
【図７−ｂ】
2019525543.tif 000142
【図７−ｃ】
2019525543.tif 000143
【図７−ｄ】
2019525543.tif 000144
【図７−ｅ】
2019525543.tif 000145
【図８】
2019525543.tif 000146
【図９】
2019525543.tif 000147
【手続補正書】
【提出日】平成31年2月20日(2019.2.20)
【手続補正１】
【補正対象書類名】特許請求の範囲
【補正対象項目名】全文
【補正方法】変更
【補正の内容】
【特許請求の範囲】
【請求項１】
ビームトレーニングシーケンスの設計方法であって、
送信端により、ＮＴ個のビームトレーニングシーケンスを生成する段階であって、各ビームトレーニングシーケンスは、サイクリックプレフィックスと、２×Ｎ×Ｌの長さを有するゴレイシーケンスとを有し、前記ＮＴ個のゴレイシーケンスは互いに直交しており、ＮＴは前記送信端におけるアンテナの数であり、ＮＴは正の整数であり、Ｎは正の整数であり、Ｌは正の整数であり、Ｌは前記サイクリックプレフィックスの長さである、段階と、
前記送信端により、前記送信端における前記ＮＴ個の送信アンテナを用いることにより、前記ＮＴ個のビームトレーニングシーケンスを受信端に送信する段階であって、各送信アンテナは、１つの対応するビームトレーニングシーケンスを送信する、段階と
を備える方法。
【請求項２】
ビームトレーニングシーケンスの設計方法であって、
受信端により、ＮＴ個のビームトレーニングシーケンスを受信する段階であって、各ビームトレーニングシーケンスは、サイクリックプレフィックスと、２×Ｎ×Ｌの長さを有するゴレイシーケンスとを有し、前記ＮＴ個のゴレイシーケンスは、互いに直交しており、ＮＴは送信端におけるアンテナの数であり、ＮＴは正の整数であり、Ｎは正の整数であり、Ｌは正の整数であり、Ｌは前記サイクリックプレフィックスの長さである、段階と、
前記受信端により、前記ＮＴ個のビームトレーニングシーケンスに基づいて、チャネル推定を実行して、ＮＴ個のリンクのチャネル利得を取得する段階と
を備える方法。
【請求項３】
ＮＴ個のビームトレーニングシーケンスのうちの１つは、Ｇａ２１２８を含み、前記Ｇａ２１２８＝[1 -1 -1 1 -1 1 -1 1 -1 -1 -1 -1 1 1 -1 -1 1 -1 -1 1 1 -1 1 -1 -1 -1 -1 -1 -1 -1 1 1 -1 1 1 -1 1 -1 1 -1 1 1 1 1 -1 -1 1 1 1 -1 -1 1 1 -1 1 -1 -1 -1 -1 -1 -1 -1 1 1 1 -1 -1 1 -1 1 -1 1 -1 -1 -1 -1 1 1 -1 -1 1 -1 -1 1 1 -1 1 -1 -1 -1 -1 -1 -1 -1 1 1 1 -1 -1 1 -1 1 -1 1 -1 -1 -1 -1 1 1 -1 -1 -1 1 1 -1 -1 1 -1 1 1 1 1 1 1 1 -1 -1 ]
である、請求項１又は２に記載の方法。
【請求項４】
ＮＴ個のビームトレーニングシーケンスのうちの１つは、Ｇｂ２１２８を含み、前記Ｇｂ２１２８＝[-1 1 1 -1 1 -1 1 -1 1 1 1 1 -1 -1 1 1 -1 1 1 -1 -1 1 -1 1 1 1 1 1 1 1 -1 -1 1 -1 -1 1 -1 1 -1 1 -1 -1 -1 -1 1 1 -1 -1 -1 1 1 -1 -1 1 -1 1 1 1 1 1 1 1 -1 -1 1 -1 -1 1 -1 1 -1 1 -1 -1 -1 -1 1 1 -1 -1 1  -1 -1 1 1 -1 1 -1 -1 -1 -1 -1 -1 -1 1 1 1 -1 -1 1 -1 1 -1 1 -1 -1 -1 -1 1 1 -1 -1 -1 1 1 -1 -1 1 -1 1 1 1 1 1 1 1 -1 -1 ]
である、請求項１又は２に記載の方法。
【請求項５】
ＮＴ個のビームトレーニングシーケンスのうちの前記１つは、Ｇｂ２１２８をさらに含み、前記Ｇｂ２１２８＝[-1 1 1 -1 1 -1 1 -1 1 1 1 1 -1 -1 1 1 -1 1 1 -1 -1 1 -1 1 1 1 1 1 1 1 -1 -1 1 -1 -1 1 -1 1 -1 1 -1 -1 -1 -1 1 1 -1 -1 -1 1 1 -1 -1 1 -1 1 1 1 1 1 1 1 -1 -1 1 -1 -1 1 -1 1 -1 1 -1 -1 -1 -1 1 1 -1 -1 1  -1 -1 1 1 -1 1 -1 -1 -1 -1 -1 -1 -1 1 1 1 -1 -1 1 -1 1 -1 1 -1 -1 -1 -1 1 1 -1 -1 -1 1 1 -1 -1 1 -1 1 1 1 1 1 1 1 -1 -1 ]
である、請求項３に記載の方法。
【請求項６】
ＮＴ＝１であり、前記ビームトレーニングシーケンスは、［Ｇａ２１２８、−Ｇｂ２１２８、Ｇａ２１２８、Ｇｂ２１２８、Ｇａ２１２８］を含む、又は、
前記ビームトレーニングシーケンスは、［Ｇａ１１２８、−Ｇｂ１１２８、Ｇａ１１２８、Ｇｂ１１２８、Ｇａ１１２８］として配列される、請求項１又は２に記載の方法。
【請求項７】
ＮＴ＝２であり、前記ビームトレーニングシーケンスは、［Ｇａ２１２８、−Ｇｂ２１２８、Ｇａ２１２８、Ｇｂ２１２８、Ｇａ２１２８］及び［Ｇａ１１２８、−Ｇｂ１１２８、Ｇａ１１２８、Ｇｂ１１２８、Ｇａ１１２８］を含む、請求項１又は２に記載の方法。
【請求項８】
送信端により、ＮＴ個のビームトレーニングシーケンスを生成する前記段階は、
前記送信端により、予め設定されたゴレイ相補シーケンス生成方式で長さＬを有するゴレイ相補シーケンスのＭ個のペアを生成する段階であって、長さＬを有するゴレイ相補シーケンスの前記Ｍ個のペアの各ペアは、長さＬを有する２つのゴレイ相補シーケンスを有し、Ｍは正の整数である、段階と、
前記送信端により、長さＬを有するゴレイ相補シーケンスの前記Ｍ個のペアに基づいて、２×Ｎ×Ｌの長さを有するＮＴ個の直交ゴレイシーケンスを取得する段階であって、Ｍの値は、ＮＴの値より大きい又はＮＴの値に等しい、段階と、
前記送信端により、２×Ｎ×Ｌの長さを有する前記ＮＴ個の直交ゴレイシーケンスのそれぞれの前に、長さＬを有する前記サイクリックプレフィックスを加え、ＮＴ個のアンテナを有するチャネルに適用される前記ビームトレーニングシーケンスを取得する段階と
を有する、請求項１に記載の方法。
【請求項９】
前記送信端により、長さＬを有するゴレイ相補シーケンスの前記Ｍ個のペアに基づいて、２×Ｎ×Ｌの長さを有するＮＴ個の直交ゴレイシーケンスを取得する前記段階は、
前記送信端により、長さＬを有するゴレイ相補シーケンスの前記Ｍ個のペアから、長さＬを有するゴレイ相補シーケンスのＮＴ個のペアを取得する段階と、
前記送信端により、第１の予め設定された方式でＮ回、長さＬを有するゴレイ相補シーケンスの前記ＮＴ個のペアの各ペアを繰り返し交互に配置して、２×Ｎ×Ｌの長さを有する前記ＮＴ個の直交ゴレイシーケンスを取得する段階と
を有する、請求項８に記載の方法。
【請求項１０】
前記送信端により、長さＬを有するゴレイ相補シーケンスの前記Ｍ個のペアに基づいて、２×Ｎ×Ｌの長さを有するＮＴ個の直交ゴレイシーケンスを取得する前記段階は、
前記送信端により、長さＬを有するゴレイ相補シーケンスの前記Ｍ個のペアから、長さＬを有するゴレイ相補シーケンスの
【数１２５】
2019525543.tif 000148
個のペアを取得する段階と、
前記送信端により、第２の予め設定された方式でＮ回、長さＬを有するゴレイ相補シーケンスの前記
【数１２６】
2019525543.tif 000149
個のペアの各ペアを繰り返し交互に配置し、前記繰り返し交互に配置した後に取得したシーケンスに予め設定された直交行列を乗算して、２×Ｎ×Ｌの長さを有する前記ＮＴ個の直交ゴレイシーケンスを取得する段階であって、前記予め設定された直交行列は、２Ｎ次の直交行列である、段階と
を有する、請求項８に記載の方法。
【請求項１１】
前記チャネルの最大遅延Ｔｍに対応する信号の長さＬは、
【数１２７】
2019525543.tif 000150
であり、Ｒｓは、前記チャネルのシンボルレートである、請求項８から１０のいずれか一項に記載の方法。
【請求項１２】
前記サイクリックプレフィックスはゴレイシーケンスである、請求項１から１１のいずれか一項に記載の方法。
【請求項１３】
請求項１から１２のいずれか一項に記載の方法を実行するためのユニットを備えるビームトレーニングシーケンスの設計装置。
【請求項１４】
コンピュータに、請求項１から１２のいずれか一項に記載の方法を実行させるためのプログラム。
【請求項１５】
プログラムが記録されるコンピュータ可読記録媒体であって、前記プログラムは、実行されるときに、コンピュータが請求項１から１２のいずれか一項に記載の方法を実行できるようにする、コンピュータ可読記録媒体。
【請求項１６】
処理回路と、前記処理回路と通信するインタフェース回路を備え、
前記処理回路は、ＮＴ個のビームトレーニングシーケンスを生成するように構成され、各ビームトレーニングシーケンスは、サイクリックプレフィックスと、２×Ｎ×Ｌの長さを有するゴレイシーケンスとを有し、前記ＮＴ個のゴレイシーケンスは互いに直交しており、ＮＴは送信端におけるアンテナの数であり、ＮＴは正の整数であり、Ｎは正の整数であり、Ｌは正の整数であり、Ｌはサイクリックプレフィックスの長さであり、
前記インタフェース回路は、前記送信端における前記ＮＴ個の送信アンテナを用いることにより、前記ＮＴ個のビームトレーニングシーケンスを受信端に送信するように構成され、各送信アンテナは、１つの対応するビームトレーニングシーケンスを送信する、ビームトレーニングシーケンスの設計装置。
【請求項１７】
処理回路と、前記処理回路と通信するインタフェース回路とを備え、前記インタフェース回路は、ＮＴ個のビームトレーニングシーケンスを受信するように構成され、各ビームトレーニングシーケンスは、サイクリックプレフィックスと、２×Ｎ×Ｌの長さを有するゴレイシーケンスとを有し、前記ＮＴ個のゴレイシーケンスは互いに直交しており、ＮＴは送信端におけるアンテナの数であり、ＮＴは、正の整数であり、Ｎは正の整数であり、Ｌは正の整数であり、Ｌは、サイクリックプレフィックスの長さであり、
前記処理回路は、前記ＮＴ個のビームトレーニングシーケンスに基づいて、チャネル推定を実行して、ＮＴ個のリンクのチャネル利得を取得するように構成される、ビームトレーニングシーケンスの設計装置。
【手続補正２】
【補正対象書類名】明細書
【補正対象項目名】全文
【補正方法】変更
【補正の内容】
【発明の詳細な説明】
【技術分野】
【０００１】
本願は、２０１６年６月３０日付けに中国特許庁に出願され、「ビームトレーニングシーケンスの設計方法及び装置」と題するＣＮ特許出願第２０１６１０５１２５３７．５号に対する優先権を主張し、その全体が参照により本明細書に組み込まれる。
【０００２】
本発明は、通信分野、特に、ビームトレーニングシーケンスの設計方法及び装置に関する。
【背景技術】
【０００３】
ビームフォーミングトレーニングでは、１又は複数のアンテナが送信端と受信端との間に構成される。ビームトレーニングシーケンスは、送信端と受信端との間の通信チャネル上でのチャネル推定のために、送信端と受信端との間で送信される。次に、チャネル推定の結果を用いることにより、通信チャネルの通信性能が判定される。
【０００４】
ビームフォーミングトレーニングでは、異なるビームトレーニングシーケンスが、異なる通信チャネルシナリオ（例えば、通信チャネルの異なる最大遅延拡散、異なるチャネルボンディング数及びアンテナの異なる数に対応する異なるシナリオ）においてビームフォーミングトレーニングを実行するために必要である。しかしながら、既存のビームトレーニングシーケンスの設計方法は、非常に限られた通信チャネルシナリオにしか適用可能ではなく、通信システムにおける様々な通信チャネルトレーニングの要件を満たすことができない。結果的に、現行のビームトレーニングシーケンスの設計方法には制限がある。
【発明の概要】
【０００５】
本発明の実施形態は、ビームトレーニングシーケンスの設計方法及び装置を提供し、その結果、ビームトレーニングシーケンスが異なるシナリオにおいて構成された様々な通信チャネルに適用され得る。
【０００６】
第１態様によれば、本発明の実施形態は、ビームトレーニングシーケンスの設計方法を提供し、送信端により、ＮＴ個のビームトレーニングシーケンスを生成する段階であって、各ビームトレーニングシーケンスは、サイクリックプレフィックスと、２×Ｎ×Ｌの長さを有するゴレイシーケンスとを含み、ＮＴ個のゴレイシーケンスは互いに直交しており、ＮＴは送信端におけるアンテナの数であり、Ｌは、チャネルの最大遅延Ｔｍに対応する信号の長さであり、ＮＴは正の整数であり、Ｎは正の整数であり、Ｌは正の整数であり、サイクリックプレフィックスの長さはＬである、段階と、送信端により、送信端におけるＮＴ個の送信アンテナを用いることにより、ＮＴ個のビームトレーニングシーケンスを受信端に送信する段階であって、各送信アンテナは、１つの対応するビームトレーニングシーケンスを送信する、段階とを含む。
【０００７】
したがって、ビームトレーニングシーケンスが先述の条件を満たすのであれば、ビームトレーニングシーケンスは、もはやアンテナの数、チャネルの遅延拡散値、及び、マルチチャネルボンディングなどのシナリオにより制限されることはなく、その結果、ビームトレーニングシーケンスは、様々なチャネルシナリオ構成に適用可能である。
【０００８】
任意に、送信端により、ＮＴ個のビームトレーニングシーケンスを生成する段階は、
送信端により、予め設定されたゴレイ相補シーケンス生成方式で長さＬを有するゴレイ相補シーケンスのＭ個のペアを生成する段階であって、長さＬを有するゴレイ相補シーケンスのＭ個のペアの各ペアは、有限ＺＨフィールドにおいて規定され、長さＬを有するゴレイ相補シーケンスのＭ個のペアのそれぞれは、長さＬを有する２つのゴレイ相補シーケンスを含み、Ｌは、チャネルの最大遅延Ｔｍに対応する信号の長さであり、Ｍ及びＬは共に正の整数であり、ＺＨフィールドはＨ次元エリアである、段階と、
送信端により、長さＬを有するゴレイ相補シーケンスのＭ個のペアに基づいて、２×Ｎ×Ｌの長さを有するＮＴ個の直交ゴレイシーケンスを取得する段階であって、ＮＴは送信端におけるアンテナの数であり、ＮＴは正の整数であり、Ｎは正の整数であり、Ｍの値は、ＮＴの値より大きい又はＮＴの値に等しい、段階と、
送信端により、２×Ｎ×Ｌの長さを有するＮＴ個の直交ゴレイシーケンスのそれぞれの前に、長さＬを有するサイクリックプレフィックスを加えて、ＮＴ個のアンテナを有するチャネルに適用されるビームトレーニングシーケンスを取得する段階と
を含む。
【０００９】
任意に、送信端により、長さＬを有するゴレイ相補シーケンスのＭ個のペアに基づいて、２×Ｎ×Ｌの長さを有するＮＴ個の直交ゴレイシーケンスを取得する段階は、
送信端により、長さＬを有するゴレイ相補シーケンスのＭ個のペアから、長さＬを有するゴレイ相補シーケンスのＮＴ個のペアを取得する段階と、
送信端により、第１の予め設定された方式でＮ回、長さＬを有するゴレイ相補シーケンスのＮＴ個のペアの各ペアを繰り返し交互に配置して、２×Ｎ×Ｌの長さを有するＮＴ個の直交ゴレイシーケンスを取得する段階と
を含む。
【００１０】
２×Ｎ×Ｌの長さのＮＴ個の直交ゴレイ相補シーケンスは、直交行列による乗算を通じて取得されてよく、Ｌは、チャネルの最大遅延Ｔｍに対応する信号の長さであり、長さＬを有するサイクリックプレフィックスは、ＮＴ個のアンテナを有するチャネル上のビームトレーニングのためのビームトレーニングシーケンスを取得するために、各ゴレイシーケンスの前に加えられ、その結果、ビームトレーニングシーケンスは、もはや、アンテナの数、チャネルの遅延拡散値、及び、マルチチャネルボンディングなどのシナリオにより制限されることがなくなり、様々なチャネルシナリオ構成に適用可能である。
【００１１】
任意に、送信端により、長さＬを有するゴレイ相補シーケンスのＭ個のペアに基づいて、２×Ｎ×Ｌの長さを有するＮＴ個の直交ゴレイシーケンスを取得する段階は、
送信端により、長さＬを有するゴレイ相補シーケンスのＭ個のペアから、長さＬを有するゴレイ相補シーケンスの
【数１】
2019525543.tif 000151
個のペアを取得する段階と、
送信端により、第２の予め設定された方式でＮ回、長さＬを有するゴレイ相補シーケンスの
【数２】
2019525543.tif 000152
個のペアの各ペアを繰り返し交互に配置し、繰り返し交互に配置した後に取得したシーケンスに予め設定された直交行列を乗算して、２×Ｎ×Ｌの長さを有するＮＴ個の直交ゴレイシーケンスを取得する段階であって、予め設定された直交行列は、２Ｎ次の直交行列である、段階と
を含む。
【００１２】
２×Ｎ×Ｌの長さを有するＮＴ個の直交ゴレイ相補シーケンスは、直交行列による乗算を通じて取得されてよく、Ｌは、チャネルの最大遅延Ｔｍに対応する信号の長さであり、長さＬを有するサイクリックプレフィックスは、ＮＴ個のアンテナを有するチャネル上のビームトレーニングのためのビームトレーニングシーケンスを取得するために、各ゴレイシーケンスの前に加えられ、その結果、ビームトレーニングシーケンスは、もはや、アンテナの数、チャネルの遅延拡散値、及び、マルチチャネルボンディングなどのシナリオにより制限されることがなくなり、様々なチャネルシナリオ構成に適用可能である。
【００１３】
任意に、チャネルの最大遅延Ｔｍに対応する信号の長さＬは、以下のとおりである。
【数３】
2019525543.tif 000153
ここで、Ｒｓは、チャネルのシンボルレートである。
【００１４】
任意に、チャネルのチャネル構成は、以下のチャネル構成のうちのいずれか一つを含む。
チャネルの最大遅延Ｔｍが７２ナノ秒である場合、Ｒｓが１．７６Ｇｂｉｔ／ｓであるようにチャネルボンディングＣＢ数は１であり、送信端におけるアンテナの数ＮＴは２、４又は８である。
チャネル構成において、チャネルの最大遅延Ｔｍ、チャネルボンディングＣＢ数及び送信端におけるアンテナの数ＮＴは、以下のパラメータ値の任意の組み合わせである。
チャネルの最大遅延Ｔｍが７２ナノ秒又は３００ナノ秒である、
チャネルボンディングＣＢ数は１、２、３又は４であり、その結果、Ｒｓが１．７６Ｇｂｉｔ／ｓ、３．５２Ｇｂｉｔ／ｓ、５．２８Ｇｂｉｔ／ｓ又は７．０４ＧＢｉｔ／ｓである、及び
送信端におけるアンテナの数ＮＴが１、２、４又は８である。
【００１５】
任意に、サイクリックプレフィックスはゴレイシーケンスである。
【００１６】
第２態様によれば、本発明の実施形態は、ビームトレーニングシーケンスの設計装置を提供し、第１態様における方法を実行するように構成されるモジュールを含む。
【００１７】
第３態様によれば、本発明の実施形態あ、ビームトレーニングシーケンスの設計装置をさらに提供する。装置は、メモリ、プロセッサ及びＮＴ個の送信アンテナを含む。メモリは、プログラム命令を格納するように構成され、プロセッサは、第１態様において提供されるビームトレーニングシーケンスの設計方法に対応する機能を実行する際にビームトレーニングシーケンスの設計装置をサポートするように構成される。
【００１８】
第４態様によれば、本発明は、コンピュータ記憶媒体を提供し、第３態様において提供される装置により用いられるコンピュータソフトウェア命令を格納するように構成される。コンピュータ記憶媒体は、先述の態様を実行するために設計されたプログラムを含む。
【００１９】
本発明の実施形態において提供される技術的解決手段では、送信端は、ＮＴ個のビームトレーニングシーケンスを生成し、次に、送信端は、送信端におけるＮＴ個の送信アンテナを用いることにより、ＮＴ個のビームトレーニングシーケンスを受信端に送信し、受信端が、ＮＴ個のビームトレーニングシーケンスを受信した後に、受信端における各アンテナは、ＮＴ個のビームトレーニングシーケンスに基づいてチャネル推定を実行して、ＮＴ×１個のリンクのチャネル利得を取得することが認識され得る。各ビームトレーニングシーケンスは、サイクリックプレフィックスと、２×Ｎ×Ｌの長さを有するゴレイシーケンスとを含む。ＮＴ個のゴレイシーケンスは互いに直交している。ＮＴは送信端におけるアンテナの数である。Ｌは、チャネルの最大遅延Ｔｍに対応する信号の長さである。ＮＴは正の整数である。Ｎは正の整数である。Ｌは正の整数である。したがって、ビームトレーニングシーケンスが先述の条件を満たすのであれば、ビームトレーニングシーケンスは、もはやアンテナの数、チャネルの遅延拡散値、及び、マルチチャネルボンディングなどのシナリオにより制限されることはなく、その結果、ビームトレーニングシーケンスは、様々なチャネルシナリオ構成に適用可能である。
【図面の簡単な説明】
【００２０】
本発明の実施形態における技術的解決手段をより明確に説明するために、以下では、実施形態を説明するのに必要とされる添付の図面を簡潔に説明する。以下の説明における添付の図面が単に本発明の一部の実施形態を示しているに過ぎず、当業者であれば、創造的な努力なしに、これらの添付の図面から他の図面をさらに導き出し得ることは明らかである。
【００２１】
【図１】本発明に係るシーケンスベースのチャネル推定方法の適用シナリオの概略図である。
【００２２】
【図２】本発明の実施形態に係るゴレイ相補シーケンスのペアの概略図である。
【００２３】
【図３−ａ】本発明の実施形態に係るビームトレーニングシーケンスのＢＲＰフレームの概略構造図である。
【００２４】
【図３−ｂ】本発明の実施形態に係るビームトレーニングシーケンスＴ／Ｒ構造の概略図である。
【００２５】
【図４】本発明の実施形態に係るビームトレーニングシーケンスの設計方法の第１実施形態の概略フローチャートである。
【００２６】
【図５】本発明の実施形態に係るビームトレーニングシーケンスの設計方法の第２実施形態の概略フローチャートである。
【００２７】
【図６−ａ】本発明の実施形態に係るビームトレーニングシーケンスの設計方法の第３実施形態の概略フローチャートである。
【００２８】
【図６−ｂ】本発明の実施形態に係るビームトレーニングシーケンスの第１の概略図である。
【００２９】
【図７−ａ】本発明の実施形態に係るビームトレーニングシーケンスの設計方法の第４実施形態の概略フローチャートである。
【００３０】
【図７−ｂ】本発明の実施形態に係るビームトレーニングシーケンスの第２の概略図である。
【００３１】
【図７−ｃ】本発明の実施形態に係るビームトレーニングシーケンスの第３の概略図である。
【００３２】
【図７−ｄ】本発明の実施形態に係るビームトレーニングシーケンスの第４の概略図である。
【００３３】
【図７−ｅ】本発明の実施形態に係るビームトレーニングシーケンスの第５の概略図である。
【００３４】
【図８】本発明の実施形態に係るビームトレーニングシーケンスの設計装置の第１実施形態の概略構造図である。
【００３５】
【図９】本発明の実施形態に係るビームトレーニングシーケンスの設計装置の第２実施形態の概略構造図である。
【発明を実施するための形態】
【００３６】
本発明の実施形態は、ビームトレーニングシーケンスの設計方法及び装置を提供し、その結果、ビームトレーニングシーケンスが、異なるシナリオにおいて構成された様々な通信チャネルに適用され得る。
【００３７】
当業者が本発明の技術的解決手段をより良く理解できるように、以下では、本発明の実施形態における添付の図面を参照して本発明の実施形態の技術的解決手段を明確に説明する。説明される実施形態は、単に本発明の実施形態の一部に過ぎず、そのすべてでないことは明らかである。創造的な努力なく本発明の実施形態に基づいて当業者により得られる他のすべての実施形態が、本発明の保護範囲に含まれるものとする。
【００３８】
本発明の明細書、特許請求の範囲及び添付の図面において、「第１」、「第２」、「第３」などの用語は、異なる対象を区別することを目的としたものであるが、特定の順序を示すものではない。さらに、「含む」という用語又はこれらの任意の異綴語は、非排他的な包含をカバーすることを目的としたものである。例えば、一連の段階又はユニットを含む処理、方法、システム、製品又はデバイスは、列挙された段階又はユニットに限定されないが、任意に、列挙されていない段階又はユニットをさらに含み、又は、任意に、処理、方法、製品又はデバイスについての別の固有の段階又はユニットをさらに含む。
【００３９】
本発明の実施形態は、ビームトレーニングシーケンスの設計方法を提供し、当該方法は、
送信端により、ＮＴ個のビームトレーニングシーケンスを生成する段階であって、各ビームトレーニングシーケンスは、サイクリックプレフィックスと、２×Ｎ×Ｌの長さを有するゴレイシーケンスとを含み、ＮＴ個のゴレイシーケンスは互いに直交しており、ＮＴは送信端におけるアンテナの数であり、Ｌは、チャネルの最大遅延Ｔｍに対応する信号の長さであり、ＮＴは正の整数であり、Ｎは正の整数であり、Ｌは正の整数である、段階と
送信端により、送信端におけるＮＴ個の送信アンテナを用いることにより、ＮＴ個のビームトレーニングシーケンスを受信端に送信する段階であって、各送信アンテナは、１つの対応するビームトレーニングシーケンスを送信する、段階と
を含む。
【００４０】
本発明の本実施形態において、送信端は、アンテナの数、チャネルの最大遅延及びチャネルボンディング数に関連するビームトレーニングシーケンス、を生成し、その結果、本発明の本実施形態におけるビームトレーニングシーケンスの設計方法は、もはやアンテナの数、チャネルの遅延拡散値及びマルチチャネルボンディングなどのシナリオにより制限されることはなく、ビームトレーニングシーケンスは、様々なチャネルシナリオ構成に適用可能である。
【００４１】
まず、図１は、本発明に係るシーケンスベースのチャネル推定方法の適用シナリオの概略図である。本発明の本実施形態は、ＭＩＭＯマルチチャネル条件下でチャネル推定に適用可能であり、シングルチャネル条件下でもチャネル推定に適用可能である。
【００４２】
図１に示されるＭＩＭＯシステムは、送信端及び受信端を含む。例えば、送信端及び受信端はそれぞれ、２つのアンテナを含む。図１を参照すると、送信端は、送信アンテナＭ‐１Ｔ及び送信アンテナＭ‐２Ｔを含み、受信端は、受信アンテナＭ‐１Ｒ及び受信アンテナＭ‐２Ｒを含む。
【００４３】
２つの送信アンテナと２つの受信アンテナとの間には、合計４つのチャネル、すなわち、１−１（Ｍ‐１ＴとＭ‐１Ｒとの間のチャネル）、１−２（Ｍ‐１ＴとＭ‐２Ｒとの間のチャネル）、２−１（Ｍ‐２ＴとＭ‐１Ｒとの間のチャネル）及び２−２（Ｍ‐２ＴとＭ‐２Ｒとの間のチャネル）がある。
【００４４】
ＭＩＭＯシステムにおいて、送信アンテナにより送信された信号がチャネルを通じて伝送された後に取得されるターゲット信号は、すべての受信アンテナにより受信され得る。例えば、Ｍ‐１Ｔは送信元信号を送信し、送信元信号が１‐１チャネルを通じて伝送された後に取得されるターゲット信号は、Ｍ‐１Ｒにより受信されてよく、送信元信号が１‐２チャネルを通じて伝送された後に取得されるターゲット信号は、Ｍ‐２Ｒにより受信されてよい。
【００４５】
図２は、本発明の実施形態に係るゴレイ相補シーケンスのペアの概略図である。図３−ａは、本発明の実施形態に係るビームトレーニングシーケンスのＢＲＰフレームの概略構造図である。図３−ｂは、本発明の実施形態に係るビームトレーニングシーケンスＴ／Ｒ構造の概略図である。
【００４６】
本発明の本実施形態において提供されるビームトレーニングシーケンス（Ｔ／Ｒシーケンス）は、ＩＥＥＥ  ８０２．１１ａｄ規格において用いられるビーム微細調整プロトコル（ｂｅａｍ  ｒｅｆｉｎｅｍｅｎｔ  ｐｒｏｔｏｃｏｌ、略してＢＲＰ）フレーム構造に基づいて設計される。図３−ａに示されるように、ＢＲＰフレーム構造におけるビームトレーニングＴＲＮフィールドは、Ｎ（Ｎ＜１７）個のＴＲＮユニットを含み、各ＴＲＮユニットは、２つのパート、すなわち、ＣＥ及びＴ／Ｒに分けられる。従来技術では、ＣＥは、長さ１２８を有する８つのゴレイ相補シーケンス（Ｇａ１２８及びＧｂ１２８）と、それぞれゴレイ相補シーケンスの前後に配置されるサイクリックプレフィックス及びサイクリックサフィックスとを含み、７２ｎｓの遅延拡散範囲内のマルチパスチャネル推定要件を満たすことができる。図３−ｂに示されるように、Ｔ／Ｒフィールドは、長さ１２８を有する４つのゴレイ相補シーケンス（Ｇａ１２８及びＧｂ１２８）と、ゴレイ相補シーケンスの前に配置されるサイクリックプレフィックスとを含み、その結果、チャネル測定は、時間領域測定方法を用いることにより大まかに実行され得、正確なチャネル推定は、周波数領域で実行され得る。しかしながら、ビームトレーニングシーケンスは、７２ｎｓの遅延のみを満たすことができ、単入力単出力（Ｓｉｎｇｌｅ  Ｉｎｐｕｔ  Ｓｉｎｇｌｅ  Ｏｕｔｐｕｔ、略してＳＩＳＯ）チャネルシナリオのみに固有のものであるが、対応する設計は、より大きい遅延、及び、多入力多出力（Ｍｕｌｔｉｐｌｅ  Ｉｎｐｕｔ  Ｍｕｌｔｉｐｌｅ  Ｏｕｔｐｕｔ、略してＭＩＭＯ）チャネルシナリオのために提供されるものではない。本発明の本実施形態は、ＩＥＥＥ  ８０２．１１ａｄ規格により提供される、図３−ｂに示されるＴ／Ｒシーケンス構造に基づいてさらに設計される。
【００４７】
図４は、本発明の実施形態に係るビームトレーニングシーケンスの設計方法の第１実施形態の概略フローチャートである。図４に示されるように、方法は、以下の段階を含む。
【００４８】
Ｓ４０１．送信端は、ＮＴ個のビームトレーニングシーケンスを生成する。
【００４９】
本発明の本実施形態において、各送信端は、ＮＴ個の送信アンテナを有し、各アンテナは、１つのビームトレーニングシーケンスを送信する。
【００５０】
具体的には、ビームトレーニングシーケンスを送信するときに、アンテナは、ビームトレーニングシーケンスを含み、かつ、図３−ａに示されるＢＲＰフレーム構造に基づくＢＲＰフレームを送信する。
【００５１】
図３−ｂを参照すると、各ビームトレーニングシーケンスは、サイクリックプレフィックスと、２×Ｎ×Ｌの長さを有するゴレイシーケンスとを含む。ＮＴ個のゴレイシーケンスは直交している。ＮＴは送信端におけるアンテナの数である。Ｌは、チャネルの最大遅延Ｔｍに対応する信号の長さである。ＮＴは正の整数である。Ｎは正の整数である。Ｌは正の整数である。サイクリックプレフィックスの長さはＬである。
【００５２】
好ましくは、サイクリックプレフィックスはゴレイシーケンスである。
【００５３】
ビームトレーニングシーケンスの数は、アンテナの数ＮＴであり、ビームトレーニングシーケンスの長さは、チャネルの最大遅延Ｔｍに対応する信号の長さであるので、ビームトレーニングシーケンスは、チャネルボンディング数に関連し、ビームトレーニングシーケンスは、様々なアンテナの数及びチャネルの異なる最大遅延に関する要件を満たすことができることが理解され得る。
【００５４】
任意に、推定対象のチャネルの最大遅延Ｔｍは、７２ナノ秒（ｎｓ）より大きい又は７２ナノ秒（ｎｓ）に等しくてよく、もちろん７２ｎｓより小さくてもよい。このことは、本明細書において限定されない。
【００５５】
任意に、単一のアンテナがあってよい、又は、複数のアンテナがあってよい。
【００５６】
Ｓ４０２．送信端は、送信端におけるＮＴ個の送信アンテナを用いることにより、ＮＴ個のビームトレーニングシーケンスを受信端に送信し、各送信アンテナは、１つの対応するビームトレーニングシーケンスを送信する。
【００５７】
Ｓ４０３．受信端は、送信端により送信されたＮＴ個のチャネル推定トレーニングシーケンスパケットを受信する。
【００５８】
具体的には、受信端がＮＲ個の受信アンテナを有すると仮定すると、各受信アンテナは、ＮＴ個のチャネル推定トレーニングシーケンスパケットを受信し、ＮＲは、１より大きい又は１に等しい正の整数である。
【００５９】
Ｓ４０４．受信端における各受信アンテナは、ＮＴ個のチャネル推定トレーニングシーケンスパケットに基づいてチャネル推定を実行して、ＮＴ×１個のリンクのチャネル利得を取得する。
【００６０】
任意に、ＮＴ個のチャネル推定トレーニングシーケンスパケットを受信した後に、受信端における各受信アンテナは、ＮＴ個のチャネル推定トレーニングシーケンスに対応するＮＴ個の相関器を用いることにより相関演算を実行して、ＮＴ×１個のリンクのチャネル利得、すなわち、チャネル推定結果を取得する。
【００６１】
さらに、ＮＲ個の受信アンテナの完全なチャネル推定結果は、ＮＴ×ＮＲチャネル推定結果である。
【００６２】
本発明の本実施形態において提供される技術的解決手段では、送信端は、ＮＴ個のビームトレーニングシーケンスを生成し、次に、送信端は、送信端におけるＮＴ個の送信アンテナを用いることにより、ＮＴ個のビームトレーニングシーケンスを受信端に送信し、受信端がＮＴ個のビームトレーニングシーケンスを受信した後に、受信端における各アンテナは、ＮＴ個のビームトレーニングシーケンスに基づいてチャネル推定を実行して、ＮＴ×１個のリンクのチャネル利得を取得することが認識され得る。各ビームトレーニングシーケンスは、サイクリックプレフィックスと、２×Ｎ×Ｌの長さを有するゴレイシーケンスとを含む。ＮＴ個のゴレイシーケンスは互いに直交している。ＮＴは送信端におけるアンテナの数である。Ｌは、チャネルの最大遅延Ｔｍに対応する信号の長さである。ＮＴは正の整数である。Ｎは正の整数である。Ｌは正の整数である。したがって、ビームトレーニングシーケンスが先述の条件を満たすのであれば、ビームトレーニングシーケンスは、もはやアンテナの数、チャネルの遅延拡散値、及び、マルチチャネルボンディングなどのシナリオにより制限されることはなく、その結果、ビームトレーニングシーケンスは、様々なチャネルシナリオ構成に適用可能である。
【００６３】
チャネルの最大遅延Ｔｍに対応する信号の長さＬは、最大遅延Ｔｍの下のチャネルのシンボルレートに基づいて伝送され得る信号の長さとして理解されてよい。
【００６４】
好ましくは、本発明の一部の可能な実施例では、チャネルの最大遅延Ｔｍに対応する信号の長さＬは、以下のとおりである。
【数４】
2019525543.tif 000154
ここで、Ｒｓはチャネルのシンボルレートである。
【００６５】
チャネルの最大遅延に関連する信号の長さを有するゴレイシーケンスは、チャネルのビームトレーニングシーケンスとして設計され、かつ、用いられ、その結果、ビームトレーニングシーケンスは、チャネルの異なる最大遅延に適用可能であることが理解され得る。
【００６６】
任意に、本発明の一部の可能な実施例では、設計されるゴレイ相補シーケンスに適用され得るチャネルのチャネル構成は、チャネル構成のうちのいずれか一つを含む。
チャネルの最大遅延Ｔｍが７２ナノ秒である場合、Ｒｓが１．７６Ｇｂｉｔ／ｓであるようにチャネルボンディングＣＢ数は１であり、送信端におけるアンテナの数ＮＴは２、４又は８である。
チャネル構成において、チャネルの最大遅延Ｔｍ、チャネルボンディングＣＢ数及び送信端におけるアンテナの数ＮＴは、以下のパラメータ値の任意の組み合わせである。
チャネルの最大遅延Ｔｍが７２ナノ秒又は３００ナノ秒である、
チャネルボンディングＣＢ数は１、２、３又は４であり、その結果、Ｒｓが１．７６Ｇｂｉｔ／ｓ、３．５２Ｇｂｉｔ／ｓ、５．２８Ｇｂｉｔ／ｓ又は７．０４ＧＢｉｔ／ｓである、及び
送信端におけるアンテナの数ＮＴが１、２、４又は８である。
【００６７】
チャネルボンディング（Ｃｈａｎｎｅｌ  Ｂｏｎｄｉｎｇ、略してＣＢ）数は、送信端と受信端との間で結合されるチャネルの数である。
【００６８】
ビームトレーニングシーケンスは、異なるチャネル遅延、アンテナの数及びチャネルボンディング数を満たすことができ、その結果、通信構成が先述のシナリオのうちのいずれか一つを満たすことができるということが理解され得る。
【００６９】
図５は、本発明の実施形態に係るビームトレーニングシーケンスの設計方法の第２実施形態の概略フローチャートである。図５に示される方法において、図４に示される方法の内容と同一又は同様の内容に関しては、図４における詳細な説明を参照されたい。ここで詳細が再び説明されることはない。図５に示されるように、方法は、以下の段階を含む。
【００７０】
Ｓ５０１．送信端は、予め設定されたゴレイ相補シーケンス生成方式で長さＬを有するゴレイ相補シーケンスのＭ個のペアを生成する。
【００７１】
長さＬを有するゴレイ相補シーケンスのＭ個のペアは、有限ＺＨフィールドにおいて規定される。長さＬを有するゴレイ相補シーケンスのＭ個のペアの各ペアは、長さＬを有する２つのゴレイ相補シーケンスを含む。Ｌは、チャネルの最大遅延Ｔｍに対応する信号の長さである。Ｍ及びＬは共に正の整数である。
【００７２】
好ましくは、本発明の一部の可能な実施例では、予め設定されたゴレイ相補シーケンス生成方式で長さＬを有するゴレイ相補シーケンスのＭ個のペアを生成する段階は、
ゴレイ相補シーケンスがＧａｉＬ＝ａ及びＧｂｉＬ＝ｂを含むと仮定すると、以下の式を用いることにより、長さＬを有するゴレイ相補シーケンスのＭ個のペアを生成する段階を含み、
【数５】
2019525543.tif 000155
及び、
【数６】
2019525543.tif 000156
であると仮定すると、
【数７】
2019525543.tif 000157
であり、
【数８】
2019525543.tif 000158
又は、
【数９】
2019525543.tif 000159
であり、
【数１０】
2019525543.tif 000160
であり、値は、１からＭの範囲にある正の整数であり、
【数１１】
2019525543.tif 000161
であり、πは、｛１，・・・，ｍ｝が、予め設定されたマッピング方式でマッピングされた後に取得される値であり、ｃｋは、ＺＨフィールドにおいて規定される任意の値である。
【００７３】
例えば、本発明の例において、ゴレイ相補シーケンスのペアは、先述の式を用いることにより取得されてよい。
【数１２】
2019525543.tif 000162
及び、
【数１３】
2019525543.tif 000163
【００７４】
これに基づいて、ここでは、ゴレイ相補シーケンスの７つの他のペアは、以下の式を用いることによりさらに取得され得る。
【数１４】
2019525543.tif 000164
【数１５】
2019525543.tif 000165
【数１６】
2019525543.tif 000166
【数１７】
2019525543.tif 000167
【数１８】
2019525543.tif 000168
【数１９】
2019525543.tif 000169
【数２０】
2019525543.tif 000170
【数２１】
2019525543.tif 000171
【数２２】
2019525543.tif 000172
【数２３】
2019525543.tif 000173
【数２４】
2019525543.tif 000174
【数２５】
2019525543.tif 000175
【数２６】
2019525543.tif 000176
【数２７】
2019525543.tif 000177
【００７５】
さらに、２５６、５１２、１０２４及び２０４８の長さを有するシーケンスの４つの他のグループが規定される。
【数２８】
2019525543.tif 000178
【数２９】
2019525543.tif 000179
【数３０】
2019525543.tif 000180
及び、
【数３１】
2019525543.tif 000181
【００７６】
任意に、本発明の他の可能な実施例では、ゴレイ相補シーケンスは、別の方式で生成されてよい。
【００７７】
Ｓ５０２．送信端は、長さＬを有するゴレイ相補シーケンスのＭ個のペアに基づいて、２×Ｎ×Ｌの長さを有するＮＴ個の直交ゴレイシーケンスを取得する。
【００７８】
ＮＴは送信端におけるアンテナの数である。ＮＴは０より大きい正の整数である。Ｎは０より大きい正の整数である。Ｍの値は、ＮＴの値より大きい又はＮＴの値に等しい。
【００７９】
Ｓ５０３．送信端は、２×Ｎ×Ｌの長さを有するＮＴ個の直交ゴレイ相補シーケンスのそれぞれの前に、長さＬを有するサイクリックプレフィックスを加えて、ＮＴ個のアンテナを有するチャネルに適用されるビームトレーニングシーケンスを取得する。
【００８０】
任意に、サイクリックプレフィックスはゴレイシーケンスであってよい。
【００８１】
任意に、本発明の一部の可能な実施例では、長さＬを有するゴレイ相補シーケンスのＭ個のペアに基づいて、２×Ｎ×Ｌの長さを有するＮＴ個の直交ゴレイシーケンスを取得する段階は、
長さＬを有するゴレイ相補シーケンスのＭ個のペアから、長さＬを有するゴレイ相補シーケンスのＮＴ個のペアを取得する段階と、
第１の予め設定された方式でＮ回、長さＬを有するゴレイ相補シーケンスのＮＴ個のペアの各ペアを繰り返し交互に配置して、２×Ｎ×Ｌの長さを有するＮＴ個の直交ゴレイシーケンスを取得する段階と
を含む。
【００８２】
第１の予め設定された方式でＮ回、長さＬを有する各ゴレイ相補シーケンスを繰り返し交互に配置することは、長さＬを有する各ゴレイ相補シーケンスを繰り返し配置するときに、長さＬを有する各ゴレイシーケンスの前に、正符号又は負符号を加えて、２×Ｎ×Ｌの長さを有するＮＴ個の直交ゴレイ相補シーケンスを最終的に取得することを意味する。ゴレイシーケンスの前に負符号を加えることは、ゴレイシーケンスの各シンボルのネゲーションを意味する。ゴレイシーケンスの前に正符号を加えることは、ゴレイシーケンスの各シンボルを変化させない状態にあることを意味する。
【００８３】
本発明の本実施形態において、最終的に取得される２×Ｎ×Ｌの長さを有するＮＴ個のゴレイシーケンスが互いに直交しているならば、ゴレイ相補シーケンスを繰り返し交互に配置する第１の予め設定された方式は固有のものではない。
【００８４】
好ましくは、繰り返し交互に配置される回数の数Ｎの値は２である。
【００８５】
例えば、本発明の例において、チャネルの最大遅延Ｔｍが７２ｎｓであるとき、当該チャネルのシンボルレートは、１．７６Ｇｂｐであり（この場合、チャネルアグリゲーションがない、具体的には、チャネルボンディングＣＢ数が１である）、ＭＩＭＯアンテナの数は２であり、まず、ゴレイ相補シーケンスの任意の２つのペアＧａ１１２８／Ｇｂ１１２８及びＧａ２１２８／Ｇｂ２１２８は、段階Ｓ２０１において生成されたゴレイ相補シーケンスのＭ個のペアから取得され、ゴレイ相補シーケンスの２つのペアは、２つのシーケンス、［‐Ｇｂ１１２８、Ｇａ１１２８、Ｇｂ１１２８、Ｇａ１１２８］及び［‐Ｇｂ２１２８、Ｇａ２１２８、Ｇｂ２１２８、Ｇａ２１２８］を取得するために、個別に２回繰り返し交互に配置され、又は、［‐Ｇｂ１１２８、‐Ｇａ１１２８、Ｇｂ１１２８、‐Ｇａ１１２８］及び［‐Ｇｂ２１２８、Ｇａ２１２８、Ｇｂ２１２８、Ｇａ２１２８］を取得するために、別の方式で２回、繰り返し交互に配置されてよい。２つのケースにおいて、２つのシーケンスは互いに直交している。
【００８６】
ゴレイ相補シーケンスは、２×Ｎ×Ｌの長さを有するＮＴ個の直交ゴレイシーケンスを取得するために、特定の方式で繰り返し交互に配置されてよく、次に、長さＬを有するサイクリックプレフィックスは、ＮＴ個のアンテナを有するチャネル上のビームトレーニングのためのビームトレーニングシーケンスを取得するために、各ゴレイシーケンスの前に加えられ、その結果、ビームトレーニングシーケンスは、もはや、アンテナの数、チャネルの遅延拡散値、及び、マルチチャネルボンディングなどのシナリオにより制限されることがなくなり、様々なチャネルシナリオ構成に適用可能であることが理解され得る。
【００８７】
任意に、本発明の他の可能な実施例では、長さＬを有するゴレイ相補シーケンスのＭ個のペアに基づいて、２×Ｎ×Ｌの長さを有するＮＴ個の直交ゴレイシーケンスを取得する段階は、
長さＬを有するゴレイ相補シーケンスのＭ個のペアから、長さＬを有するゴレイ相補シーケンスの
【数３２】
2019525543.tif 000182
個のペアを取得する段階と、
第２の予め設定された方式でＮ回、長さＬを有するゴレイ相補シーケンスの
【数３３】
2019525543.tif 000183
個のペアの各ペアを繰り返し交互に配置し、繰り返し交互に配置した後に取得したシーケンスに予め設定された直交行列を乗算して、２×Ｎ×Ｌの長さを有するＮＴ個の直交ゴレイシーケンスを取得する段階であって、予め設定された直交行列は、２Ｎ次の直交行列である、段階と
を含む。
【００８８】
好ましくは、Ｎの値は２であり、その結果、予め設定された直交行列は４次の直交行列である。
【００８９】
第２の予め設定された方式でＮ回、長さＬを有するゴレイ相補シーケンスの
【数３４】
2019525543.tif 000184
個のペアの各ペアを繰り返し交互に配置する段階は、２×Ｎ×Ｌの長さを有する
【数３５】
2019525543.tif 000185
個のゴレイシーケンスを取得するために、任意の方式でゴレイ相補シーケンスの間の長さＬを有するゴレイ相補シーケンスの各ペアを繰り返し交互に配置してよい。第２の予め設定された方式で配置した後に取得される２×Ｎ×Ｌの長さを有する
【数３６】
2019525543.tif 000186
個のゴレイシーケンスは、必ずしも互いに直交しているわけではない。
【００９０】
好ましくは、Ｎの値が２であるとき、予め設定された直交行列は４次の直交行列である。したがって、２×Ｎ×Ｌの長さを有する
【数３７】
2019525543.tif 000187
個のゴレイシーケンスは、２×Ｎ×Ｌの長さを有する
【数３８】
2019525543.tif 000188
個の直交ゴレイシーケンスを取得するために、４次の直交行列で乗算され、次に、ＮＴ個のゴレイシーケンスは、２×Ｎ×Ｌの長さを有するＮＴ個の直交ゴレイシーケンスを取得するために、２×Ｎ×Ｌの長さを有する
【数３９】
2019525543.tif 000189
個の直交ゴレイシーケンスから選択される。
【００９１】
例えば、本発明の例において、チャネルの最大遅延Ｔｍが７２ｎｓであるとき、当該チャネルのシンボルレートは、３．５２Ｇｂｐであり（この場合、チャネルボンディングＣＢ数が２である）、ＭＩＭＯアンテナの数は８であり、まず、ゴレイ相補シーケンスＧａ１２５６／Ｇｂ１２５６及びＧａ２２５６／Ｇｂ２２５６のうちの任意の２つのペアが段階Ｓ３０１において生成されたゴレイ相補シーケンスのＭ個のペアから取得され、ゴレイ相補シーケンスの２つのペアは、シーケンス［‐Ｇｂ１２５６、Ｇａ１２５６、Ｇｂ１２５６、Ｇａ１２５６］及び［‐Ｇｂ２２５６、Ｇａ２２５６、Ｇｂ２２５６、Ｇａ２２５６］を取得すべく、２回繰り返し交互に配置される。次に、シーケンスの２つのペアは、４次の直交行列Ｐで乗算され、８つの直交ゴレイシーケンスを取得する。具体的には、以下のとおりである。
【数４０】
2019525543.tif 000190
及び、
【数４１】
2019525543.tif 000191
である。
【００９２】
２×Ｎ×Ｌの長さを有するＮＴ個の直交ゴレイ相補シーケンスは、直交行列による乗算を通じて取得されてよく、Ｌは、チャネルの最大遅延Ｔｍに対応する信号の長さであり、長さＬを有するサイクリックプレフィックスは、ＮＴ個のアンテナを有するチャネル上のビームトレーニングのためのビームトレーニングシーケンスを取得するために、各ゴレイシーケンスの前に加えられ、その結果、ビームトレーニングシーケンスは、もはや、アンテナの数、チャネルの遅延拡散値、及び、マルチチャネルボンディングなどのシナリオにより制限されることがなくなり、様々なチャネルシナリオ構成に適用可能であることが理解され得る。
【００９３】
本発明の本実施形態において提供される技術的解決手段では、アンテナの数、チャネルの最大遅延及びチャネルボンディング数に関連するビームトレーニングシーケンスが生成されることが認識され得る。したがって、ビームトレーニングシーケンスが先述の条件を満たすのであれば、ビームトレーニングシーケンスは、もはやアンテナの数、チャネルの遅延拡散値、及び、マルチチャネルボンディングなどのシナリオにより制限されることはなく、その結果、ビームトレーニングシーケンスは、様々なチャネルシナリオ構成に適用可能である。
【００９４】
図６−ａは、本発明の実施形態に係るビームトレーニングシーケンスの設計方法の第３実施形態の概略フローチャートである。図６−ａに示される方法において、図４又は図５に示される方法の内容と同一又は同様の内容については、図４又は図５における詳細な説明を参照されたい。ここで詳細が再び説明されることはない。図６−ａに示されるように、方法は、以下の段階を含む。
【００９５】
Ｓ６０１．予め設定されたゴレイ相補シーケンス生成方式で長さＬを有するゴレイ相補シーケンスのＭ個のペアを生成する。
【００９６】
長さＬを有するゴレイ相補シーケンスのＭ個のペアは、有限ＺＨフィールドにおいて規定される。長さＬを有するゴレイ相補シーケンスのＭ個のペアの各ペアは、長さＬを有する２つのゴレイ相補シーケンスを含む。Ｌは、チャネルの最大遅延Ｔｍに対応する信号の長さである。Ｍ及びＬは共に０より大きい正の整数である。
【００９７】
Ｓ６０２．長さＬを有するゴレイ相補シーケンスのＭ個のペアから、長さＬを有するゴレイ相補シーケンスのＮＴ個のペアを取得する。
【００９８】
ＮＴは送信端におけるアンテナの数である。ＮＴは０より大きい正の整数である。Ｎは０より大きい正の整数である。Ｍの値は、ＮＴの値より大きい又はＮＴの値に等しい。
【００９９】
Ｓ６０３．第１の予め設定された方式でＮ回、長さＬを有するゴレイ相補シーケンスのＮＴ個のペアの各ペアを繰り返し交互に配置して、２×Ｎ×Ｌの長さを有するＮＴ個の直交ゴレイシーケンスを取得する。
【０１００】
Ｓ６０４．２×Ｎ×Ｌの長さを有するＮＴ個の直交ゴレイ相補シーケンスのそれぞれの前に、長さＬを有するゴレイ相補シーケンスサイクリックプレフィックスを加えて、ＮＴ個のアンテナを有するチャネルに適用されるビームトレーニングシーケンスを取得する。
【０１０１】
具体的には、以下では、異なるチャネルシナリオにおいて、ビームトレーニングシーケンスの生成方法の例を説明する。
【０１０２】
第１実施形態において、推定対象のチャネルの最大遅延Ｔｍが７２ｎｓであると仮定すると、シンボルレートＲｓは、１．７６Ｇｂｐｓ（ＣＢ＝１）であり、ＭＩＭＯアンテナの数ＮＴは２である。
【０１０３】
本実施形態における解決手段に基づいて、
【数４２】
2019525543.tif 000192
であり、ゴレイ相補シーケンスの２つのペアＧａ１１２８／Ｇｂ１１２８及びＧａ２１２８/Ｇｂ２１２８が生成されてよい。
【０１０４】
次に、ゴレイ相補シーケンスの２つのペアが個別に２回、繰り返し交互に配置され、長さＬを有するサイクリックプレフィックスが、ビームトレーニングシーケンスＥ−Ｔ／Ｒを構築するために加えられる。詳細については、図６−ｂを参照する。図６−ｂは、本発明の第３実施形態に係るビームトレーニングシーケンスの第１の概略図である。
【０１０５】
第２実施形態において、推定対象のチャネルの最大遅延Ｔｍが７２ｎｓであると仮定すると、シンボルレートＲｓは、１．７６Ｇｂｐｓ（ＣＢ＝１）であり、ＭＩＭＯアンテナの数ＮＴは４である。
【０１０６】
本実施形態における解決手段に基づいて、
【数４３】
2019525543.tif 000193
であり、ゴレイ相補シーケンスの４つのペアＧａ１１２８／Ｇｂ１１２８、Ｇａ２１２８／Ｇｂ２１２８、Ｇａ３１２８／Ｇｂ３１２８、及び、Ｇａ４１２８／Ｇｂ４１２８が生成されてよい。
【０１０７】
次に、ゴレイ相補シーケンスの４つのペアが個別に２回、繰り返し交互に配置され、長さＬを有するサイクリックプレフィックスが、ビームトレーニングシーケンスＥ−Ｔ／Ｒを構築するために加えられる。具体的には、ビームトレーニングシーケンスＥ−Ｔ／Ｒは、図６−ｂに基づいて生成されてよい。図６−ｂは、本発明の実施形態に係るビームトレーニングシーケンスの第１の概略図である。
【０１０８】
第３実施形態において、推定対象のチャネルの最大遅延Ｔｍが７２ｎｓであると仮定すると、シンボルレートＲｓは、１．７６Ｇｂｐｓ（ＣＢ＝１）であり、ＭＩＭＯアンテナの数ＮＴは８である。
【０１０９】
本実施形態における解決手段に基づいて、
【数４４】
2019525543.tif 000194
であり、ゴレイ相補シーケンスの８つのペアＧａ１１２８／Ｇｂ１１２８、Ｇａ２１２８／Ｇｂ２１２８、Ｇａ３１２８／Ｇｂ３１２８、Ｇａ４１２８／Ｇｂ４１２８、Ｇａ５１２８／Ｇｂ５１２８、Ｇａ６１２８／Ｇｂ６１２８、Ｇａ７１２８／Ｇｂ７１２８、及び、Ｇａ８１２８／Ｇｂ８１２８が生成されてよい。
【０１１０】
次に、ゴレイ相補シーケンスの８つのペアが個別に２回、繰り返し交互に配置され、長さＬを有するサイクリックプレフィックスが、ビームトレーニングシーケンスＥ−Ｔ／Ｒを構築するために加えられる。具体的には、ビームトレーニングシーケンスＥ−Ｔ／Ｒは、図６−ｂに基づいて生成されてよい。
【０１１１】
第４実施形態において、推定対象のチャネルの最大遅延Ｔｍが７２ｎｓであると仮定すると、シンボルレートＲｓは、３．５２Ｇｂｐｓ（ＣＢ＝２）であり、ＳＩＳＯアンテナの数ＮＴは１である。
【０１１２】
本実施形態における解決手段に基づいて、
【数４５】
2019525543.tif 000195
であり、ゴレイ相補シーケンスの１つのペアＧａ１２５６／Ｇｂ１２５６が生成される。
【０１１３】
次に、ゴレイ相補シーケンスの１つのペアが個別に２回、繰り返し交互に配置され、長さＬを有するサイクリックプレフィックスが、ビームトレーニングシーケンスＥ−Ｔ／Ｒを構築するために加えられる。具体的には、ビームトレーニングシーケンスＥ−Ｔ／Ｒは、図６−ｂに基づいて生成されてよい。
【０１１４】
第５実施形態において、推定対象のチャネルの最大遅延Ｔｍが７２ｎｓであると仮定すると、シンボルレートＲｓは、３．５２Ｇｂｐｓ（ＣＢ＝２）であり、ＭＩＭＯアンテナの数ＮＴは２である。
【０１１５】
本実施形態における解決手段に基づいて、
【数４６】
2019525543.tif 000196
であり、ゴレイ相補シーケンスの２つのペアＧａ１２５６／Ｇｂ１２５６及びＧａ２２５６／Ｇｂ２２５６が生成されてよい。
【０１１６】
次に、ゴレイ相補シーケンスの２つのペアが個別に２回、繰り返し交互に配置され、長さＬを有するサイクリックプレフィックスが、ビームトレーニングシーケンスＥ−Ｔ／Ｒを構築するために加えられる。具体的には、ビームトレーニングシーケンスＥ−Ｔ／Ｒは、図６−ｂに基づいて生成されてよい。
【０１１７】
第６実施形態において、推定対象のチャネルの最大遅延Ｔｍが７２ｎｓであると仮定すると、シンボルレートＲｓは、３．５２Ｇｂｐｓ（ＣＢ＝２）であり、ＭＩＭＯアンテナの数ＮＴは４である。
【０１１８】
本実施形態における解決手段に基づいて、
【数４７】
2019525543.tif 000197
であり、ゴレイ相補シーケンスの４つのペアＧａ１２５６／Ｇｂ１２５６、Ｇａ２２５６／Ｇｂ２２５６、Ｇａ３２５６／Ｇｂ３２５６、及び、Ｇａ４２５６／Ｇｂ４２５６が生成されてよい。
【０１１９】
次に、ゴレイ相補シーケンスの２つのペアが個別に２回、繰り返し交互に配置され、長さＬを有するサイクリックプレフィックスが、ビームトレーニングシーケンスＥ−Ｔ／Ｒを構築するために加えられる。具体的には、ビームトレーニングシーケンスＥ−Ｔ／Ｒは、図６−ｂに基づいて生成されてよい。
【０１２０】
第７実施形態において、推定対象のチャネルの最大遅延Ｔｍが７２ｎｓであると仮定すると、シンボルレートＲｓは、３．５２Ｇｂｐｓ（ＣＢ＝２）であり、ＭＩＭＯアンテナの数ＮＴは８である。
【０１２１】
本実施形態における解決手段に基づいて、
【数４８】
2019525543.tif 000198
であり、ゴレイ相補シーケンスの８つのペアＧａ１２５６／Ｇｂ１２５６、Ｇａ２２５６／Ｇｂ２２５６、Ｇａ３２５６／Ｇｂ３２５６、Ｇａ４２５６／Ｇｂ４２５６、Ｇａ５２５６／Ｇｂ５２５６、Ｇａ６２５６／Ｇｂ６２５６、Ｇａ７２５６／Ｇｂ７２５６、及び、Ｇａ８２５６／Ｇｂ８２５６が生成されてよい。
【０１２２】
次に、ゴレイ相補シーケンスの２つのペアが個別に２回、繰り返し交互に配置され、長さＬを有するサイクリックプレフィックスが、ビームトレーニングシーケンスＥ−Ｔ／Ｒを構築するために加えられる。具体的には、ビームトレーニングシーケンスＥ−Ｔ／Ｒは、図６−ｂに基づいて生成されてよい。
【０１２３】
第８実施形態において、推定対象のチャネルの最大遅延Ｔｍが７２ｎｓであると仮定すると、シンボルレートＲｓは、５．２８Ｇｂｐｓ又は７．０４Ｇｂｐｓ（ＣＢ＝３又はＣＢ＝４）であり、ＳＩＳＯアンテナの数ＮＴは１である。
【０１２４】
本実施形態における解決手段に基づいて、
【数４９】
2019525543.tif 000199
でありゴレイ相補シーケンスの１つのペアＧａ１５１２／Ｇｂ１５１２が生成される。
【０１２５】
次に、ゴレイ相補シーケンスの１つのペアが個別に２回、繰り返し交互に配置され、長さＬを有するサイクリックプレフィックスが、ビームトレーニングシーケンスＥ−Ｔ／Ｒを構築するために加えられる。具体的には、ビームトレーニングシーケンスＥ−Ｔ／Ｒは、図６−ｂに基づいて生成されてよい。
【０１２６】
第９実施形態において、推定対象のチャネルの最大遅延Ｔｍが７２ｎｓであると仮定すると、シンボルレートＲｓは、５．２８Ｇｂｐｓ又は７．０４Ｇｂｐｓ（ＣＢ＝３又はＣＢ＝４）であり、ＭＩＭＯアンテナの数ＮＴは２である。
【０１２７】
本実施形態における解決手段に基づいて、
【数５０】
2019525543.tif 000200
であり、ゴレイ相補シーケンスの２つのペアＧａ１５１２／Ｇｂ１５１２及びＧａ２５１２／Ｇｂ２５１２が生成される。
【０１２８】
次に、ゴレイ相補シーケンスの２つのペアが個別に２回、繰り返し交互に配置され、長さＬを有するサイクリックプレフィックスが、ビームトレーニングシーケンスＥ−Ｔ／Ｒを構築するために加えられる。具体的には、ビームトレーニングシーケンスＥ−Ｔ／Ｒは、図６−ｂに基づいて生成されてよい。
【０１２９】
第１０実施形態において、推定対象のチャネルの最大遅延Ｔｍが７２ｎｓであると仮定すると、シンボルレートＲｓは、５．２８Ｇｂｐｓ又は７．０４Ｇｂｐｓ（ＣＢ＝３又はＣＢ＝４）であり、ＭＩＭＯアンテナの数ＮＴは４である。
【０１３０】
本実施形態における解決手段に基づいて、
【数５１】
2019525543.tif 000201
であり、ゴレイ相補シーケンスの４つのペアＧａ１５１２／Ｇｂ１５１２、Ｇａ２５１２／Ｇｂ２５１２、Ｇａ３５１２／Ｇｂ３５１２、及び、Ｇａ４５１２／Ｇｂ４５１２が生成される。
【０１３１】
次に、ゴレイ相補シーケンスの２つのペアが個別に２回、繰り返し交互に配置され、長さＬを有するサイクリックプレフィックスが、ビームトレーニングシーケンスＥ−Ｔ／Ｒを構築するために加えられる。具体的には、ビームトレーニングシーケンスＥ−Ｔ／Ｒは、図６−ｂに基づいて生成されてよい。
【０１３２】
第１１実施形態において、推定対象のチャネルの最大遅延Ｔｍが７２ｎｓであると仮定すると、シンボルレートＲｓは、５．２８Ｇｂｐｓ又は７．０４Ｇｂｐｓ（ＣＢ＝３又はＣＢ＝４）であり、ＭＩＭＯアンテナの数ＮＴは８である。
【０１３３】
本実施形態における解決手段に基づいて、
【数５２】
2019525543.tif 000202
であり、ゴレイ相補シーケンスの８つのペアＧａ１５１２／Ｇｂ１５１２、Ｇａ２５１２／Ｇｂ２５１２、Ｇａ３５１２／Ｇｂ３５１２、Ｇａ４５１２／Ｇｂ４５１２、Ｇａ５５１２／Ｇｂ５５１２、Ｇａ６５１２／Ｇｂ６５１２、Ｇａ７５１２／Ｇｂ７５１２、及び、Ｇａ８５１２／Ｇｂ８５１２が生成される。
【０１３４】
次に、ゴレイ相補シーケンスの８つのペアが個別に２回、繰り返し交互に配置され、長さＬを有するサイクリックプレフィックスが、ビームトレーニングシーケンスＥ−Ｔ／Ｒを構築するために加えられる。具体的には、ビームトレーニングシーケンスＥ−Ｔ／Ｒは、図６−ｂに基づいて生成されてよい。
【０１３５】
第１２実施形態において、推定対象のチャネルの最大遅延Ｔｍが３００ｎｓであると仮定すると、シンボルレートＲｓは、１．７６Ｇｂｐｓ（ＣＢ＝１）であり、ＳＩＳＯアンテナの数ＮＴは１である。
【０１３６】
本実施形態における解決手段に基づいて、
【数５３】
2019525543.tif 000203
であり、ゴレイ相補シーケンスの１つのペアＧａ１５１２／Ｇｂ１５１２が生成される。
【０１３７】
次に、ゴレイ相補シーケンスの１つのペアが個別に２回、繰り返し交互に配置され、長さＬを有するサイクリックプレフィックスが、ビームトレーニングシーケンスＥ−Ｔ／Ｒを構築するために加えられる。具体的には、ビームトレーニングシーケンスＥ−Ｔ／Ｒは、図６−ｂに基づいて生成されてよい。
【０１３８】
第１３実施形態において、推定対象のチャネルの最大遅延Ｔｍが３００ｎｓであると仮定すると、シンボルレートＲｓは、１．７６Ｇｂｐｓ（ＣＢ＝１）であり、ＭＩＭＯアンテナの数ＮＴは２である。
【０１３９】
本実施形態における解決手段に基づいて、
【数５４】
2019525543.tif 000204
であり、ゴレイ相補シーケンスの２つのペアＧａ１５１２／Ｇｂ１５１２及びＧａ２５１２／Ｇｂ２５１２が生成される。
【０１４０】
次に、ゴレイ相補シーケンスの２つのペアが個別に２回、繰り返し交互に配置され、長さＬを有するサイクリックプレフィックスが、ビームトレーニングシーケンスＥ−Ｔ／Ｒを構築するために加えられる。具体的には、ビームトレーニングシーケンスＥ−Ｔ／Ｒは、図６−ｂに基づいて生成されてよい。
【０１４１】
第１４実施形態において、推定対象のチャネルの最大遅延Ｔｍが３００ｎｓであると仮定すると、シンボルレートＲｓは、１．７６Ｇｂｐｓ（ＣＢ＝１）であり、ＭＩＭＯアンテナの数ＮＴは４である。
【０１４２】
本実施形態における解決手段に基づいて、
【数５５】
2019525543.tif 000205
であり、ゴレイ相補シーケンスの４つのペアＧａ１５１２／Ｇｂ１５１２、Ｇａ２５１２／Ｇｂ２５１２、Ｇａ３５１２／Ｇｂ３５１２、及び、Ｇａ４５１２／Ｇｂ４５１２が生成される。
【０１４３】
次に、ゴレイ相補シーケンスの４つのペアが個別に２回、繰り返し交互に配置され、長さＬを有するサイクリックプレフィックスが、ビームトレーニングシーケンスＥ−Ｔ／Ｒを構築するために加えられる。具体的には、ビームトレーニングシーケンスＥ−Ｔ／Ｒは、図６−ｂに基づいて生成されてよい。
【０１４４】
第１５実施形態において、推定対象のチャネルの最大遅延Ｔｍが３００ｎｓであると仮定すると、シンボルレートＲｓは、１．７６Ｇｂｐｓ（ＣＢ＝１）であり、ＭＩＭＯアンテナの数ＮＴは８である。
【０１４５】
本実施形態における解決手段に基づいて、
【数５６】
2019525543.tif 000206
であり、ゴレイ相補シーケンスの８つのペアＧａ１５１２／Ｇｂ１５１２、Ｇａ２５１２／Ｇｂ２５１２、Ｇａ３５１２／Ｇｂ３５１２、Ｇａ４５１２／Ｇｂ４５１２、Ｇａ５５１２／Ｇｂ５５１２、Ｇａ６５１２／Ｇｂ６５１２、Ｇａ７５１２／Ｇｂ７５１２、及び、Ｇａ８５１２／Ｇｂ８５１２が生成される。
【０１４６】
次に、ゴレイ相補シーケンスの８つのペアが個別に２回、繰り返し交互に配置され、長さＬを有するサイクリックプレフィックスが、ビームトレーニングシーケンスＥ−Ｔ／Ｒを構築するために加えられる。具体的には、ビームトレーニングシーケンスＥ−Ｔ／Ｒは、図６−ｂに基づいて生成されてよい。
【０１４７】
第１６実施形態において、推定対象のチャネルの最大遅延Ｔｍが３００ｎｓであると仮定すると、シンボルレートＲｓは、３．５２Ｇｂｐｓ（ＣＢ＝２）であり、ＳＩＳＯアンテナの数ＮＴは１である。
【０１４８】
本実施形態における解決手段に基づいて、
【数５７】
2019525543.tif 000207
であり、ゴレイ相補シーケンスの１つのペアＧａ１１０２４／Ｇｂ１１０２４が生成される。
【０１４９】
次に、ゴレイ相補シーケンスの１つのペアが個別に２回、繰り返し交互に配置され、長さＬを有するサイクリックプレフィックスが、ビームトレーニングシーケンスＥ−Ｔ／Ｒを構築するために加えられる。具体的には、ビームトレーニングシーケンスＥ−Ｔ／Ｒは、図６−ｂに基づいて生成されてよい。
【０１５０】
第１７実施形態において、推定対象のチャネルの最大遅延Ｔｍが３００ｎｓであると仮定すると、シンボルレートＲｓは、３．５２Ｇｂｐｓ（ＣＢ＝２）であり、ＭＩＭＯアンテナの数ＮＴは２である。
【０１５１】
本実施形態における解決手段に基づいて、
【数５８】
2019525543.tif 000208
であり、ゴレイ相補シーケンスの２つのペアＧａ１１０２４／Ｇｂ１１０２４及びＧａ２１０２４／Ｇｂ２１０２４が生成される。
【０１５２】
次に、ゴレイ相補シーケンスの２つのペアが個別に２回、繰り返し交互に配置され、長さＬを有するサイクリックプレフィックスが、ビームトレーニングシーケンスＥ−Ｔ／Ｒを構築するために加えられる。具体的には、ビームトレーニングシーケンスＥ−Ｔ／Ｒは、図６−ｂに基づいて生成されてよい。
【０１５３】
第１８実施形態において、推定対象のチャネルの最大遅延Ｔｍが３００ｎｓであると仮定すると、シンボルレートＲｓは、３．５２Ｇｂｐｓ（ＣＢ＝２）であり、ＭＩＭＯアンテナの数ＮＴは４である。
【０１５４】
本実施形態における解決手段に基づいて、
【数５９】
2019525543.tif 000209
であり、ゴレイ相補シーケンスの４つのペアＧａ１１０２４／Ｇｂ１１０２４、Ｇａ２１０２４／Ｇｂ２１０２４、Ｇａ３１０２４／Ｇｂ３１０２４、及び、Ｇａ４１０２４／Ｇｂ４１０２４が生成される。
【０１５５】
次に、ゴレイ相補シーケンスの４つのペアが個別に２回、繰り返し交互に配置され、長さＬを有するサイクリックプレフィックスが、ビームトレーニングシーケンスＥ−Ｔ／Ｒを構築するために加えられる。具体的には、ビームトレーニングシーケンスＥ−Ｔ／Ｒは、図６−ｂに基づいて生成されてよい。
【０１５６】
第１９実施形態において、推定対象のチャネルの最大遅延Ｔｍが３００ｎｓであると仮定すると、シンボルレートＲｓは、３．５２Ｇｂｐｓ（ＣＢ＝２）であり、ＭＩＭＯアンテナの数ＮＴは８である。
【０１５７】
本実施形態における解決手段に基づいて、
【数６０】
2019525543.tif 000210
であり、ゴレイ相補シーケンスの８つのペアＧａ１１０２４／Ｇｂ１１０２４、Ｇａ２１０２４／Ｇｂ２１０２４、Ｇａ３１０２４／Ｇｂ３１０２４、Ｇａ４１０２４／Ｇｂ４１０２４、Ｇａ５１０２４／Ｇｂ５１０２４、Ｇａ６１０２４／Ｇｂ６１０２４、Ｇａ７１０２４／Ｇｂ７１０２４、及び、Ｇａ８１０２４／Ｇｂ８１０２４が生成される。
【０１５８】
次に、ゴレイ相補シーケンスの８つのペアが個別に２回、繰り返し交互に配置され、長さＬを有するサイクリックプレフィックスが、ビームトレーニングシーケンスＥ−Ｔ／Ｒを構築するために加えられる。具体的には、ビームトレーニングシーケンスＥ−Ｔ／Ｒは、図６−ｂに基づいて生成されてよい。
【０１５９】
第２０実施形態において、推定対象のチャネルの最大遅延Ｔｍが３００ｎｓであると仮定すると、シンボルレートＲｓは、５．２８Ｇｂｐｓ又は７．０４Ｇｂｐｓ（ＣＢ＝３又はＣＢ＝４）であり、ＳＩＳＯアンテナの数ＮＴは１である。
【０１６０】
本実施形態における解決手段に基づいて、
【数６１】
2019525543.tif 000211
であり、ゴレイ相補シーケンスの１つのペアＧａ１２０４８／Ｇｂ１２０４８が生成される。
【０１６１】
次に、ゴレイ相補シーケンスの１つのペアが個別に２回、繰り返し交互に配置され、長さＬを有するサイクリックプレフィックスが、ビームトレーニングシーケンスＥ−Ｔ／Ｒを構築するために加えられる。具体的には、ビームトレーニングシーケンスＥ−Ｔ／Ｒは、図６−ｂに基づいて生成されてよい。
【０１６２】
第２１実施形態において、推定対象のチャネルの最大遅延Ｔｍが３００ｎｓであると仮定すると、シンボルレートＲｓは、５．２８Ｇｂｐｓ又は７．０４Ｇｂｐｓ（ＣＢ＝３又はＣＢ＝４）であり、ＭＩＭＯアンテナの数ＮＴは２である。
【０１６３】
本実施形態における解決手段に基づいて、
【数６２】
2019525543.tif 000212
であり、ゴレイ相補シーケンスの２つのペアＧａ１２０４８／Ｇｂ１２０４８及びＧａ２２０４８／Ｇｂ２２０４８が生成される。
【０１６４】
次に、ゴレイ相補シーケンスの２つのペアが個別に２回、繰り返し交互に配置され、長さＬを有するサイクリックプレフィックスが、ビームトレーニングシーケンスＥ−Ｔ／Ｒを構築するために加えられる。具体的には、ビームトレーニングシーケンスＥ−Ｔ／Ｒは、図６−ｂに基づいて生成されてよい。
【０１６５】
第２２実施形態において、推定対象のチャネルの最大遅延Ｔｍが３００ｎｓであると仮定すると、シンボルレートＲｓは、５．２８Ｇｂｐｓ又は７．０４Ｇｂｐｓ（ＣＢ＝３又はＣＢ＝４）であり、ＭＩＭＯアンテナの数ＮＴは４である。
【０１６６】
本実施形態における解決手段に基づいて、
【数６３】
2019525543.tif 000213
であり、ゴレイ相補シーケンスの４つのペアＧａ１２０４８／Ｇｂ１２０４８、Ｇａ２２０４８／Ｇｂ２２０４８、Ｇａ３２０４８／Ｇｂ３２０４８、及び、Ｇａ４２０４８／Ｇｂ４２０４８が生成される。
【０１６７】
次に、ゴレイ相補シーケンスの４つのペアが個別に２回、繰り返し交互に配置され、長さＬを有するサイクリックプレフィックスが、ビームトレーニングシーケンスＥ−Ｔ／Ｒを構築するために加えられる。具体的には、ビームトレーニングシーケンスＥ−Ｔ／Ｒは、図６−ｂに基づいて生成されてよい。
【０１６８】
第２３実施形態において、推定対象のチャネルの最大遅延Ｔｍが３００ｎｓであると仮定すると、シンボルレートＲｓは、５．２８Ｇｂｐｓ又は７．０４Ｇｂｐｓ（ＣＢ＝３又はＣＢ＝４）であり、ＭＩＭＯアンテナの数ＮＴは８である。
【０１６９】
本実施形態における解決手段に基づいて、
【数６４】
2019525543.tif 000214
であり、ゴレイ相補シーケンスの８つのペアＧａ１２０４８／Ｇｂ１２０４８、Ｇａ２２０４８／Ｇｂ２２０４８、Ｇａ３２０４８／Ｇｂ３２０４８、Ｇａ４２０４８／Ｇｂ４２０４８、Ｇａ５２０４８／Ｇｂ５２０４８、Ｇａ６２０４８／Ｇｂ６２０４８、Ｇａ７２０４８／Ｇｂ７２０４８、及び、Ｇａ８２０４８／Ｇｂ８２０４８が生成される。
【０１７０】
次に、ゴレイ相補シーケンスの８つのペアが個別に２回、繰り返し交互に配置され、長さＬを有するサイクリックプレフィックスが、ビームトレーニングシーケンスＥ−Ｔ／Ｒを構築するために加えられる。具体的には、ビームトレーニングシーケンスＥ−Ｔ／Ｒは、図６−ｂに基づいて生成されてよい。
【０１７１】
本発明の本実施形態において提供される技術的解決手段では、ゴレイ相補シーケンスは、２×Ｎ×Ｌの長さを有するＮＴ個の直交ゴレイシーケンスを取得するために、特定の方式で繰り返し交互に配置されてよく、次に、長さＬを有するサイクリックプレフィックスは、ＮＴ個のアンテナを有するチャネル上のビームトレーニングのためのビームトレーニングシーケンスを取得するために、各ゴレイシーケンスの前に加えられ、その結果、ビームトレーニングシーケンスは、もはや、アンテナの数、チャネルの遅延拡散値、及び、マルチチャネルボンディングなどのシナリオにより制限されることがなくなり、様々なチャネルシナリオ構成に適用可能であることが認識され得る。
【０１７２】
図７−ａは、本発明の実施形態に係るビームトレーニングシーケンスの設計方法の第４実施形態の概略フローチャートである。図７−ａに示される方法において、図４、図５又は図６−ａに示される方法の内容と同一又は同様の内容については、図４、図５又は図６−ａにおける詳細な説明を参照されたい。ここで詳細が再び説明されることはない。方法は、以下の段階を含む。
【０１７３】
Ｓ７０１．予め設定されたゴレイ相補シーケンス生成方式で長さＬを有するゴレイ相補シーケンスのＭ個のペアを生成する。
【０１７４】
長さＬを有するゴレイ相補シーケンスのＭ個のペアは、有限ＺＨフィールドにおいて規定される。長さＬを有するゴレイ相補シーケンスのＭ個のペアの各ペアは、長さＬを有する２つのゴレイ相補シーケンスを含む。Ｌは、チャネルの最大遅延Ｔｍに対応する信号の長さである。Ｍ及びＬは共に０より大きい正の整数である。
【０１７５】
Ｓ７０２．長さＬを有するゴレイ相補シーケンスのＭ個のペアから、長さＬを有するゴレイ相補シーケンスの
【数６５】
2019525543.tif 000215
個のペアを取得する。
【０１７６】
ＮＴは送信端におけるアンテナの数である。ＮＴは０より大きい正の整数である。Ｎは０より大きい正の整数である。Ｍの値は、ＮＴの値より大きい又はＮＴの値に等しい。
【０１７７】
Ｓ７０３．第２の予め設定された方式でＮ回、長さＬを有するゴレイ相補シーケンスの
【数６６】
2019525543.tif 000216
個のペアの各ペアを繰り返し交互に配置し、繰り返し交互に配置した後に取得したシーケンスに予め設定された直交行列を乗算して、２×Ｎ×Ｌの長さを有するＮＴ個の直交ゴレイシーケンスを取得し、予め設定された直交行列は、２Ｎ次の直交行列である。
【０１７８】
好ましくは、Ｎの値は２であり、その結果、予め設定された直交行列は４次の直交行列である。
【０１７９】
Ｓ７０４．２×Ｎ×Ｌの長さを有するＮＴ個の直交ゴレイ相補シーケンスのそれぞれの前に、長さＬを有するゴレイ相補シーケンスサイクリックプレフィックスを加えて、ＮＴ個のアンテナを有するチャネルに適用されるビームトレーニングシーケンスを取得する。
【０１８０】
具体的には、以下では、異なるチャネルシナリオにおいて、本方法を用いることにより、ビームトレーニングシーケンスを生成するための方法の例を説明する。
【０１８１】
第１実施形態において、推定対象のチャネルの最大遅延Ｔｍが７２ｎｓであると仮定すると、シンボルレートＲｓは、１．７６Ｇｂｐｓ（ＣＢ＝１）であり、ＭＩＭＯアンテナの数ＮＴは２である。
【０１８２】
本実施形態における解決手段に基づいて、
【数６７】
2019525543.tif 000217
であり、ゴレイ相補シーケンスの１つのペアＧａ１１２８／Ｇｂ１１２８が生成される。
【０１８３】
次に、ゴレイ相補シーケンスの１つのペアは、２回、繰り返し交互に配置され、繰り返し交互に配置した後に取得したシーケンスは、４つの直交シーケンスを取得するために、４×４直交行列Ｐにより乗算される。
【数６８】
2019525543.tif 000218
【０１８４】
任意の２つのシーケンスが直交シーケンスから選択され、長さＬを有するサイクリックプレフィックスが、ビームトレーニングシーケンスＥ−Ｔ／Ｒを構築するために加えられる。具体的には、ビームトレーニングシーケンスＥ−Ｔ／Ｒは、図７−ｃに基づいて生成されてよい。図７−ｃは、本発明の実施形態に係るビームトレーニングシーケンスの第３の概略図である。
【０１８５】
第２実施形態において、推定対象のチャネルの最大遅延Ｔｍが７２ｎｓであると仮定すると、シンボルレートＲｓは、１．７６Ｇｂｐｓ（ＣＢ＝１）であり、ＭＩＭＯアンテナの数ＮＴは４である。
【０１８６】
本実施形態における解決手段に基づいて、
【数６９】
2019525543.tif 000219
であり、ゴレイ相補シーケンスの１つのペアＧａ１１２８／Ｇｂ１１２８が生成される。
【０１８７】
次に、ゴレイ相補シーケンスの１つのペアは、２回、繰り返し交互に配置され、繰り返し交互に配置した後に取得したシーケンスは、４つの直交シーケンスを取得するために、４×４直交行列Ｐにより乗算される。
【数７０】
2019525543.tif 000220
【０１８８】
直交シーケンスのうちの４つが選択され、長さＬを有するサイクリックプレフィックスが、ビームトレーニングシーケンスＥ−Ｔ／Ｒを構築するために加えられる。具体的には、ビームトレーニングシーケンスＥ−Ｔ／Ｒは、図７−ｄに基づいて生成されてよい。図７−ｄは、本発明の実施形態に係るビームトレーニングシーケンスの第４の概略図である。
【０１８９】
第３実施形態において、推定対象のチャネルの最大遅延Ｔｍが７２ｎｓであると仮定すると、シンボルレートＲｓは、１．７６Ｇｂｐｓ（ＣＢ＝１）であり、ＭＩＭＯアンテナの数ＮＴは８である。
【０１９０】
本実施形態における解決手段に基づいて、
【数７１】
2019525543.tif 000221
であり、ゴレイ相補シーケンスの２つのペアＧａ１１２８／Ｇｂ１１２８及びＧａ２１２８/Ｇｂ２１２８が生成される。
【０１９１】
次に、ゴレイ相補シーケンスの２つのペアは、２回、繰り返し交互に配置され、繰り返し交互に配置した後に取得したシーケンスは、８つの直交シーケンスを取得するために、４×４直交行列Ｐにより乗算される。
【数７２】
2019525543.tif 000222
及び、
【数７３】
2019525543.tif 000223
【０１９２】
直交シーケンスのうちの８つが選択され、長さＬを有するサイクリックプレフィックスが、ビームトレーニングシーケンスＥ−Ｔ／Ｒを構築するために加えられる。具体的には、ビームトレーニングシーケンスＥ−Ｔ／Ｒは、図７−ｅに基づいて生成されてよい。図７−ｅは、本発明の実施形態に係るビームトレーニングシーケンスの第５の概略図である。
【０１９３】
第４実施形態において、推定対象のチャネルの最大遅延Ｔｍが７２ｎｓであると仮定すると、シンボルレートＲｓは、３．５２Ｇｂｐｓ（ＣＢ＝２）であり、ＳＩＳＯアンテナの数ＮＴは１である。
【０１９４】
本実施形態における解決手段に基づいて、
【数７４】
2019525543.tif 000224
であり、ゴレイ相補シーケンスの１つのペアＧａ１２５６／Ｇｂ１２５６が生成される。
【０１９５】
次に、ゴレイ相補シーケンスの１つのペアは、２回、繰り返し交互に配置され、繰り返し交互に配置した後に取得したシーケンスは、４つの直交シーケンスを取得するために、４×４直交行列Ｐにより乗算される。
【数７５】
2019525543.tif 000225
【０１９６】
任意の２つのシーケンスが直交シーケンスから選択され、長さＬを有するサイクリックプレフィックスが、ビームトレーニングシーケンスＥ−Ｔ／Ｒを構築するために加えられる。具体的には、ビームトレーニングシーケンスＥ−Ｔ／Ｒは、図７−ｂに基づいて生成されてよい。図７−ｂは、本発明の実施形態に係るビームトレーニングシーケンスの第２の概略図である。
【０１９７】
第５実施形態において、推定対象のチャネルの最大遅延Ｔｍが７２ｎｓであると仮定すると、シンボルレートＲｓは、３．５２Ｇｂｐｓ（ＣＢ＝２）であり、ＭＩＭＯアンテナの数ＮＴは２である。
【０１９８】
本実施形態における解決手段に基づいて、
【数７６】
2019525543.tif 000226
であり、ゴレイ相補シーケンスの１つのペアＧａ１２５６／Ｇｂ１２５６が生成される。
【０１９９】
次に、ゴレイ相補シーケンスの１つのペアは、２回、繰り返し交互に配置され、繰り返し交互に配置した後に取得したシーケンスは、４つの直交シーケンスを取得するために、４×４直交行列Ｐにより乗算される。
【数７７】
2019525543.tif 000227
【０２００】
任意の２つのシーケンスが直交シーケンスから選択され、長さＬを有するサイクリックプレフィックスが、ビームトレーニングシーケンスＥ−Ｔ／Ｒを構築するために加えられる。具体的には、ビームトレーニングシーケンスＥ−Ｔ／Ｒは、図７−ｃに基づいて生成されてよい。
【０２０１】
第６実施形態において、推定対象のチャネルの最大遅延Ｔｍが７２ｎｓであると仮定すると、シンボルレートＲｓは、３．５２Ｇｂｐｓ（ＣＢ＝２）であり、ＭＩＭＯアンテナの数ＮＴは４である。
【０２０２】
本実施形態における解決手段に基づいて、
【数７８】
2019525543.tif 000228
であり、ゴレイ相補シーケンスの１つのペアＧａ１２５６／Ｇｂ１２５６が生成される。
【０２０３】
次に、ゴレイ相補シーケンスの１つのペアは、２回、繰り返し交互に配置され、繰り返し交互に配置した後に取得したシーケンスは、４つの直交シーケンスを取得するために、４×４直交行列Ｐにより乗算される。
【数７９】
2019525543.tif 000229
【０２０４】
直交シーケンスのうちの４つが選択され、長さＬを有するサイクリックプレフィックスが、ビームトレーニングシーケンスＥ−Ｔ／Ｒを構築するために加えられる。具体的には、ビームトレーニングシーケンスＥ−Ｔ／Ｒは、図７−ｄに基づいて生成されてよい。
【０２０５】
第７実施形態において、推定対象のチャネルの最大遅延Ｔｍが７２ｎｓであると仮定すると、シンボルレートＲｓは、３．５２Ｇｂｐｓ（ＣＢ＝２）であり、ＭＩＭＯアンテナの数ＮＴは８である。
【０２０６】
本実施形態における解決手段に基づいて、
【数８０】
2019525543.tif 000230
であり、ゴレイ相補シーケンスの２つのペアＧａ１２５６／Ｇｂ１２５６及びＧａ２２５６／Ｇｂ２２５６が生成されてよい。
【０２０７】
次に、ゴレイ相補シーケンスの２つのペアは、２回、繰り返し交互に配置され、繰り返し交互に配置した後に取得したシーケンスは、８つの直交シーケンスを取得するために、４×４直交行列Ｐにより乗算される。
【数８１】
2019525543.tif 000231
及び、
【数８２】
2019525543.tif 000232
【０２０８】
８つのシーケンスが直交シーケンスから選択され、長さＬを有するサイクリックプレフィックスが、ビームトレーニングシーケンスＥ−Ｔ／Ｒを構築するために加えられる。具体的には、ビームトレーニングシーケンスＥ−Ｔ／Ｒは、図７−ｅに基づいて生成されてよい。
【０２０９】
第８実施形態において、推定対象のチャネルの最大遅延Ｔｍが７２ｎｓであると仮定すると、シンボルレートＲｓは、５．２８Ｇｂｐｓ又は７．０４Ｇｂｐｓ（ＣＢ＝３又はＣＢ＝４）であり、ＳＩＳＯアンテナの数ＮＴは１である。
【０２１０】
本実施形態における解決手段に基づいて、
【数８３】
2019525543.tif 000233
であり、ゴレイ相補シーケンスの１つのペアＧａ１５１２／Ｇｂ１５１２が生成される。
【０２１１】
次に、ゴレイ相補シーケンスの１つのペアは、２回、繰り返し交互に配置され、繰り返し交互に配置した後に取得したシーケンスは、４つの直交シーケンスを取得するために、４×４直交行列Ｐにより乗算される。
【数８４】
2019525543.tif 000234
【０２１２】
任意の１つのシーケンスが直交シーケンスから選択され、長さＬを有するサイクリックプレフィックスが、ビームトレーニングシーケンスＥ−Ｔ／Ｒを構築するために加えられる。具体的には、ビームトレーニングシーケンスＥ−Ｔ／Ｒは、図７−ｂに基づいて生成されてよい。
【０２１３】
第９実施形態において、推定対象のチャネルの最大遅延Ｔｍが７２ｎｓであると仮定すると、シンボルレートＲｓは、５．２８Ｇｂｐｓ又は７．０４Ｇｂｐｓ（ＣＢ＝３又はＣＢ＝４）であり、ＭＩＭＯアンテナの数ＮＴは２である。
【０２１４】
本実施形態における解決手段に基づいて、
【数８５】
2019525543.tif 000235
であり、ゴレイ相補シーケンスの１つのペアＧａ１５１２／Ｇｂ１５１２が生成される。
【０２１５】
次に、ゴレイ相補シーケンスの１つのペアは、２回、繰り返し交互に配置され、繰り返し交互に配置した後に取得したシーケンスは、４つの直交シーケンスを取得するために、４×４直交行列Ｐにより乗算される。
【数８６】
2019525543.tif 000236
【０２１６】
任意の２つのシーケンスが直交シーケンスから選択され、長さＬを有するサイクリックプレフィックスが、ビームトレーニングシーケンスＥ−Ｔ／Ｒを構築するために加えられる。具体的には、ビームトレーニングシーケンスＥ−Ｔ／Ｒは、図７−ｃに基づいて生成されてよい。
【０２１７】
第１０実施形態において、推定対象のチャネルの最大遅延Ｔｍが７２ｎｓであると仮定すると、シンボルレートＲｓは、５．２８Ｇｂｐｓ又は７．０４Ｇｂｐｓ（ＣＢ＝３又はＣＢ＝４）であり、ＭＩＭＯアンテナの数ＮＴは４である。
【０２１８】
本実施形態における解決手段に基づいて、
【数８７】
2019525543.tif 000237
であり、ゴレイ相補シーケンスの１つのペアＧａ１５１２／Ｇｂ１５１２が生成される。
【０２１９】
次に、ゴレイ相補シーケンスの１つのペアは、２回、繰り返し交互に配置され、繰り返し交互に配置した後に取得したシーケンスは、４つの直交シーケンスを取得するために、４×４直交行列Ｐにより乗算される。
【数８８】
2019525543.tif 000238
【０２２０】
任意の４つのシーケンスが直交シーケンスから選択され、長さＬを有するサイクリックプレフィックスが、ビームトレーニングシーケンスＥ−Ｔ／Ｒを構築するために加えられる。具体的には、ビームトレーニングシーケンスＥ−Ｔ／Ｒは、図７−ｄに基づいて生成されてよい。
【０２２１】
第１１実施形態において、推定対象のチャネルの最大遅延Ｔｍが７２ｎｓであると仮定すると、シンボルレートＲｓは、５．２８Ｇｂｐｓ又は７．０４Ｇｂｐｓ（ＣＢ＝３又はＣＢ＝４）であり、ＭＩＭＯアンテナの数ＮＴは８である。
【０２２２】
本実施形態における解決手段に基づいて、
【数８９】
2019525543.tif 000239
であり、ゴレイ相補シーケンスの２つのペアＧａ１５１２／Ｇｂ１５１２及びＧａ２５１２／Ｇｂ２５１２が生成される。
【０２２３】
次に、ゴレイ相補シーケンスの２つのペアは、２回、繰り返し交互に配置され、繰り返し交互に配置した後に取得したシーケンスは、８つの直交シーケンスを取得するために、４×４直交行列Ｐにより乗算される。
【数９０】
2019525543.tif 000240
及び、
【数９１】
2019525543.tif 000241
【０２２４】
直交シーケンスのうちの８つが選択され、長さＬを有するサイクリックプレフィックスが、ビームトレーニングシーケンスＥ−Ｔ／Ｒを構築するために加えられる。具体的には、ビームトレーニングシーケンスＥ−Ｔ／Ｒは、図７−ｅに基づいて生成されてよい。
【０２２５】
第１２実施形態において、推定対象のチャネルの最大遅延Ｔｍが３００ｎｓであると仮定すると、シンボルレートＲｓは、１．７６Ｇｂｐｓ（ＣＢ＝１）であり、ＳＩＳＯアンテナの数ＮＴは１である。
【０２２６】
本実施形態における解決手段に基づいて、
【数９２】
2019525543.tif 000242
であり、ゴレイ相補シーケンスの１つのペアＧａ１５１２／Ｇｂ１５１２が生成される。
【０２２７】
次に、ゴレイ相補シーケンスの１つのペアは、２回、繰り返し交互に配置され、繰り返し交互に配置した後に取得したシーケンスは、４つの直交シーケンスを取得するために、４×４直交行列Ｐにより乗算される。
【数９３】
2019525543.tif 000243
【０２２８】
任意の１つのシーケンスが直交シーケンスから選択され、長さＬを有するサイクリックプレフィックスが、ビームトレーニングシーケンスＥ−Ｔ／Ｒを構築するために加えられる。具体的には、ビームトレーニングシーケンスＥ−Ｔ／Ｒは、図７−ｂに基づいて生成されてよい。
【０２２９】
第１３実施形態において、推定対象のチャネルの最大遅延Ｔｍが３００ｎｓであると仮定すると、シンボルレートＲｓは、１．７６Ｇｂｐｓ（ＣＢ＝１）であり、ＭＩＭＯアンテナの数ＮＴは２である。
【０２３０】
本実施形態における解決手段に基づいて、
【数９４】
2019525543.tif 000244
であり、ゴレイ相補シーケンスの１つのペアＧａ１５１２／Ｇｂ１５１２が生成される。
【０２３１】
次に、ゴレイ相補シーケンスの１つのペアは、２回、繰り返し交互に配置され、繰り返し交互に配置した後に取得したシーケンスは、４つの直交シーケンスを取得するために、４×４直交行列Ｐにより乗算される。
【数９５】
2019525543.tif 000245
【０２３２】
任意の２つのシーケンスが直交シーケンスから選択され、長さＬを有するサイクリックプレフィックスが、ビームトレーニングシーケンスＥ−Ｔ／Ｒを構築するために加えられる。具体的には、ビームトレーニングシーケンスＥ−Ｔ／Ｒは、図７−ｃに基づいて生成されてよい。
【０２３３】
第１４実施形態において、推定対象のチャネルの最大遅延Ｔｍが３００ｎｓであると仮定すると、シンボルレートＲｓは、１．７６Ｇｂｐｓ（ＣＢ＝１）であり、ＭＩＭＯアンテナの数ＮＴは４である。
【０２３４】
本実施形態における解決手段に基づいて、
【数９６】
2019525543.tif 000246
であり、ゴレイ相補シーケンスの１つのペアＧａ１５１２／Ｇｂ１５１２が生成される。
【０２３５】
次に、ゴレイ相補シーケンスの１つのペアは、２回、繰り返し交互に配置され、繰り返し交互に配置した後に取得したシーケンスは、４つの直交シーケンスを取得するために、４×４直交行列Ｐにより乗算される。
【数９７】
2019525543.tif 000247
【０２３６】
直交シーケンスのうちの４つが選択され、長さＬを有するサイクリックプレフィックスが、ビームトレーニングシーケンスＥ−Ｔ／Ｒを構築するために加えられる。具体的には、ビームトレーニングシーケンスＥ−Ｔ／Ｒは、図７−ｄに基づいて生成されてよい。
【０２３７】
第１５実施形態において、推定対象のチャネルの最大遅延Ｔｍが３００ｎｓであると仮定すると、シンボルレートＲｓは、１．７６Ｇｂｐｓ（ＣＢ＝１）であり、ＭＩＭＯアンテナの数ＮＴは８である。
【０２３８】
本実施形態における解決手段に基づいて、
【数９８】
2019525543.tif 000248
であり、ゴレイ相補シーケンスの２つのペアＧａ１５１２／Ｇｂ１５１２及びＧａ２５１２／Ｇｂ２５１２が生成される。
【０２３９】
次に、ゴレイ相補シーケンスの２つのペアは、２回、繰り返し交互に配置され、繰り返し交互に配置した後に取得したシーケンスは、８つの直交シーケンスを取得するために、４×４直交行列Ｐにより乗算される。
【数９９】
2019525543.tif 000249
及び、
【数１００】
2019525543.tif 000250
【０２４０】
直交シーケンスのうちの８つが選択され、長さＬを有するサイクリックプレフィックスが、ビームトレーニングシーケンスＥ−Ｔ／Ｒを構築するために加えられる。具体的には、ビームトレーニングシーケンスＥ−Ｔ／Ｒは、図７−ｅに基づいて生成されてよい。
【０２４１】
第１６実施形態において、推定対象のチャネルの最大遅延Ｔｍが３００ｎｓであると仮定すると、シンボルレートＲｓは、３．５２Ｇｂｐｓ（ＣＢ＝２）であり、ＳＩＳＯアンテナの数ＮＴは１である。
【０２４２】
本実施形態における解決手段に基づいて、
【数１０１】
2019525543.tif 000251
であり、ゴレイ相補シーケンスの１つのペアＧａ１１０２４／Ｇｂ１１０２４が生成される。
【０２４３】
次に、ゴレイ相補シーケンスの１つのペアは、２回、繰り返し交互に配置され、繰り返し交互に配置した後に取得したシーケンスは、４つの直交シーケンスを取得するために、４×４直交行列Ｐにより乗算される。
【数１０２】
2019525543.tif 000252
【０２４４】
任意の１つのシーケンスが直交シーケンスから選択され、長さＬを有するサイクリックプレフィックスが、ビームトレーニングシーケンスＥ−Ｔ／Ｒを構築するために加えられる。具体的には、ビームトレーニングシーケンスＥ−Ｔ／Ｒは、図７−ｂに基づいて生成されてよい。
【０２４５】
第１７実施形態において、推定対象のチャネルの最大遅延Ｔｍが３００ｎｓであると仮定すると、シンボルレートＲｓは、３．５２Ｇｂｐｓ（ＣＢ＝２）であり、ＭＩＭＯアンテナの数ＮＴは２である。
【０２４６】
本実施形態における解決手段に基づいて、
【数１０３】
2019525543.tif 000253
であり、ゴレイ相補シーケンスの１つのペアＧａ１１０２４／Ｇｂ１１０２４が生成される。
【０２４７】
次に、ゴレイ相補シーケンスの１つのペアは、２回、繰り返し交互に配置され、繰り返し交互に配置した後に取得したシーケンスは、４つの直交シーケンスを取得するために、４×４直交行列Ｐにより乗算される。
【数１０４】
2019525543.tif 000254
【０２４８】
任意の２つのシーケンスが直交シーケンスから選択され、長さＬを有するサイクリックプレフィックスが、ビームトレーニングシーケンスＥ−Ｔ／Ｒを構築するために加えられる。具体的には、ビームトレーニングシーケンスＥ−Ｔ／Ｒは、図７−ｃに基づいて生成されてよい。
【０２４９】
第１８実施形態において、推定対象のチャネルの最大遅延Ｔｍが３００ｎｓであると仮定すると、シンボルレートＲｓは、３．５２Ｇｂｐｓ（ＣＢ＝２）であり、ＭＩＭＯアンテナの数ＮＴは４である。
【０２５０】
本実施形態における解決手段に基づいて、
【数１０５】
2019525543.tif 000255
であり、ゴレイ相補シーケンスの１つのペアＧａ１１０２４／Ｇｂ１１０２４が生成される。
【０２５１】
次に、ゴレイ相補シーケンスの１つのペアは、２回、繰り返し交互に配置され、繰り返し交互に配置した後に取得したシーケンスは、４つの直交シーケンスを取得するために、４×４直交行列Ｐにより乗算される。
【数１０６】
2019525543.tif 000256
【０２５２】
直交シーケンスのうちの４つが選択され、長さＬを有するサイクリックプレフィックスが、ビームトレーニングシーケンスＥ−Ｔ／Ｒを構築するために加えられる。具体的には、ビームトレーニングシーケンスＥ−Ｔ／Ｒは、図７−ｄに基づいて生成されてよい。
【０２５３】
第１９実施形態において、推定対象のチャネルの最大遅延Ｔｍが３００ｎｓであると仮定すると、シンボルレートＲｓは、３．５２Ｇｂｐｓ（ＣＢ＝２）であり、ＭＩＭＯアンテナの数ＮＴは８である。
【０２５４】
本実施形態における解決手段に基づいて、
【数１０７】
2019525543.tif 000257
であり、ゴレイ相補シーケンスの２つのペアＧａ１１０２４／Ｇｂ１１０２４及びＧａ２１０２４／Ｇｂ２１０２４が生成される。
【０２５５】
次に、ゴレイ相補シーケンスの２つのペアは、２回、繰り返し交互に配置され、繰り返し交互に配置した後に取得したシーケンスは、８つの直交シーケンスを取得するために、４×４直交行列Ｐにより乗算される。
【数１０８】
2019525543.tif 000258
及び、
【数１０９】
2019525543.tif 000259
【０２５６】
直交シーケンスのうちの８つが選択され、長さＬを有するサイクリックプレフィックスが、ビームトレーニングシーケンスＥ−Ｔ／Ｒを構築するために加えられる。具体的には、ビームトレーニングシーケンスＥ−Ｔ／Ｒは、図７−ｅに基づいて生成されてよい。
【０２５７】
第２０実施形態において、推定対象のチャネルの最大遅延Ｔｍが３００ｎｓであると仮定すると、シンボルレートＲｓは、５．２８Ｇｂｐｓ又は７．０４Ｇｂｐｓ（ＣＢ＝３又はＣＢ＝４）であり、ＳＩＳＯアンテナの数ＮＴは１である。
【０２５８】
本実施形態における解決手段に基づいて、
【数１１０】
2019525543.tif 000260
であり、ゴレイ相補シーケンスの１つのペアＧａ１２０４８／Ｇｂ１２０４８が生成される。
【０２５９】
次に、ゴレイ相補シーケンスの１つのペアは、２回、繰り返し交互に配置され、繰り返し交互に配置した後に取得したシーケンスは、４つの直交シーケンスを取得するために、４×４直交行列Ｐにより乗算される。
【数１１１】
2019525543.tif 000261
【０２６０】
任意の１つのシーケンスが直交シーケンスから選択され、長さＬを有するサイクリックプレフィックスが、ビームトレーニングシーケンスＥ−Ｔ／Ｒを構築するために加えられる。具体的には、ビームトレーニングシーケンスＥ−Ｔ／Ｒは、図７−ｂに基づいて生成されてよい。
【０２６１】
第２１実施形態において、推定対象のチャネルの最大遅延Ｔｍが３００ｎｓであると仮定すると、シンボルレートＲｓは、５．２８Ｇｂｐｓ又は７．０４Ｇｂｐｓ（ＣＢ＝３又はＣＢ＝４）であり、ＭＩＭＯアンテナの数ＮＴは２である。
【０２６２】
本実施形態における解決手段に基づいて、
【数１１２】
2019525543.tif 000262
であり、ゴレイ相補シーケンスの１つのペアＧａ１２０４８／Ｇｂ１２０４８が生成される。
【０２６３】
次に、ゴレイ相補シーケンスの１つのペアは、２回、繰り返し交互に配置され、繰り返し交互に配置した後に取得したシーケンスは、４つの直交シーケンスを取得するために、４×４直交行列Ｐにより乗算される。
【数１１３】
2019525543.tif 000263
【０２６４】
任意の１つのシーケンスが直交シーケンスから選択され、長さＬを有するサイクリックプレフィックスが、ビームトレーニングシーケンスＥ−Ｔ／Ｒを構築するために加えられる。具体的には、ビームトレーニングシーケンスＥ−Ｔ／Ｒは、図７−ｃに基づいて生成されてよい。
【０２６５】
第２２実施形態において、推定対象のチャネルの最大遅延Ｔｍが３００ｎｓであると仮定すると、シンボルレートＲｓは、５．２８Ｇｂｐｓ又は７．０４Ｇｂｐｓ（ＣＢ＝３又はＣＢ＝４）であり、ＭＩＭＯアンテナの数ＮＴは４である。
【０２６６】
本実施形態における解決手段に基づいて、
【数１１４】
2019525543.tif 000264
であり、ゴレイ相補シーケンスの１つのペアＧａ１２０４８／Ｇｂ１２０４８が生成される。
【０２６７】
次に、ゴレイ相補シーケンスの１つのペアは、２回、繰り返し交互に配置され、繰り返し交互に配置した後に取得したシーケンスは、４つの直交シーケンスを取得するために、４×４直交行列Ｐにより乗算される。
【数１１５】
2019525543.tif 000265
【０２６８】
直交シーケンスのうちの４つが選択され、長さＬを有するサイクリックプレフィックスが、ビームトレーニングシーケンスＥ−Ｔ／Ｒを構築するために加えられる。具体的には、ビームトレーニングシーケンスＥ−Ｔ／Ｒは、図７−ｄに基づいて生成されてよい。
【０２６９】
第２３実施形態において、推定対象のチャネルの最大遅延Ｔｍが３００ｎｓであると仮定すると、シンボルレートＲｓは、５．２８Ｇｂｐｓ又は７．０４Ｇｂｐｓ（ＣＢ＝３又はＣＢ＝４）であり、ＭＩＭＯアンテナの数ＮＴは８である。
【０２７０】
本実施形態における解決手段に基づいて、
【数１１６】
2019525543.tif 000266
であり、ゴレイ相補シーケンスの２つのペアＧａ１２０４８／Ｇｂ１２０４８及びＧａ２２０４８／Ｇｂ２２０４８が生成される。
【０２７１】
次に、ゴレイ相補シーケンスの２つのペアは、２回、繰り返し交互に配置され、繰り返し交互に配置した後に取得したシーケンスは、８つの直交シーケンスを取得するために、４×４直交行列Ｐにより乗算される。
【数１１７】
2019525543.tif 000267
及び、
【数１１８】
2019525543.tif 000268
【０２７２】
直交シーケンスのうちの８つが選択され、長さＬを有するサイクリックプレフィックスが、ビームトレーニングシーケンスＥ−Ｔ／Ｒを構築するために加えられる。具体的には、ビームトレーニングシーケンスＥ−Ｔ／Ｒは、図７−ｅに基づいて生成されてよい。
【０２７３】
本発明の本実施形態において提供される技術的解決手段において、２×Ｎ×Ｌの長さを有するＮＴ個の直交ゴレイ相補シーケンスは、直交行列による乗算を通じて取得されてよく、Ｌは、チャネルの最大遅延Ｔｍに対応する信号の長さであり、長さＬを有するサイクリックプレフィックスは、ＮＴ個のアンテナを有するチャネル上のビームトレーニングのためのビームトレーニングシーケンスを取得するために、各ゴレイシーケンスの前に加えられ、その結果、ビームトレーニングシーケンスは、もはや、アンテナの数、チャネルの遅延拡散値、及び、マルチチャネルボンディングなどのシナリオにより制限されることがなくなり、様々なチャネルシナリオ構成に適用可能であることが認識され得る。
【０２７４】
図８は、本発明の実施形態に係るビームトレーニングシーケンスの設計装置の第１実施形態の概略構造図である。装置は、先述の送信端デバイスに統合されてよい。図８に示されるように、装置は、生成モジュール８０１及び送信モジュール８０２を含んでよい。送信モジュール８０２は、装置のＮＴ個の送信アンテナを用いることにより、信号を送信してよい。詳細は、以下のとおりである。
【０２７５】
具体的には、生成モジュール８０１は、
ＮＴ個のビームトレーニングシーケンスを生成するように構成され、各ビームトレーニングシーケンスは、サイクリックプレフィックスと、２×Ｎ×Ｌの長さを有するゴレイシーケンスとを含み、ＮＴ個のゴレイシーケンスは互いに直交しており、ＮＴは送信端におけるアンテナの数であり、Ｌは、チャネルの最大遅延Ｔｍに対応する信号の長さであり、ＮＴは正の整数であり、Ｎは正の整数であり、Ｌは正の整数であり、サイクリックプレフィックスの長さはＬであり、
送信モジュール８０２は、送信端におけるＮＴ個の送信アンテナを用いることにより、ビームトレーニングシーケンスを受信端に送信するように構成され、各送信アンテナは、１つの対応するビームトレーニングシーケンスを送信する。
【０２７６】
本発明の本実施形態において、生成モジュール８０１は、具体的には、
予め設定されたゴレイ相補シーケンス生成方式で長さＬを有するゴレイ相補シーケンスのＭ個のペアを生成し、長さＬを有するゴレイ相補シーケンスのＭ個のペアは、有限ＺＨフィールドにおいて規定され、長さＬを有するゴレイ相補シーケンスのＭ個のペアの各ペアは、長さＬを有する２つのゴレイ相補シーケンスを含み、Ｌは、チャネルの最大遅延Ｔｍに対応する信号の長さであり、Ｍ及びＬは共に正の整数であり、ＺＨフィールドはＨ次元エリアであり、
長さＬを有するゴレイ相補シーケンスのＭ個のペアに基づいて、２×Ｎ×Ｌの長さを有するＮＴ個の直交ゴレイシーケンスを取得し、ＮＴは送信端におけるアンテナの数であり、ＮＴは正の整数であり、Ｎは正の整数であり、Ｍの値は、ＮＴの値より大きい又はＮＴの値に等しく、
２×Ｎ×Ｌの長さを有するＮＴ個の直交ゴレイシーケンスのそれぞれの前に、長さＬを有するサイクリックプレフィックスを加えて、ＮＴ個のアンテナを有するチャネルに適用されるビームトレーニングシーケンスを取得する
ように構成される。
【０２７７】
任意に、生成モジュール８０１は、具体的には、
長さＬを有するゴレイ相補シーケンスのＭ個のペアから、長さＬを有するゴレイ相補シーケンスのＮＴ個のペアを取得し、
第１の予め設定された方式でＮ回、長さＬを有するゴレイ相補シーケンスのＮＴ個のペアの各ペアを繰り返し交互に配置して、２×Ｎ×Ｌの長さを有するＮＴ個の直交ゴレイシーケンスを取得する
ように構成される。
【０２７８】
任意に、生成モジュール８０１は、具体的には、
長さＬを有するゴレイ相補シーケンスのＭ個のペアから、長さＬを有するゴレイ相補シーケンスの
【数１１９】
2019525543.tif 000269
個のペアを取得し、
第２の予め設定された方式でＮ回、長さＬを有するゴレイ相補シーケンスの
【数１２０】
2019525543.tif 000270
個のペアの各ペアを繰り返し交互に配置し、繰り返し交互に配置した後に取得したシーケンスに予め設定された直交行列を乗算して、２×Ｎ×Ｌの長さを有するＮＴ個の直交ゴレイシーケンスを取得するように構成され、予め設定された直交行列は、２Ｎ次の直交行列である。
【０２７９】
任意に、チャネルの最大遅延Ｔｍに対応する信号の長さＬは、以下のとおりである。
【数１２１】
2019525543.tif 000271
ここで、Ｒｓは、チャネルのシンボルレートである。
【０２８０】
任意に、チャネルのチャネル構成は、以下のチャネル構成のうちのいずれか一つを含む。
チャネルの最大遅延Ｔｍが７２ナノ秒である場合、Ｒｓが１．７６Ｇｂｉｔ／ｓであるように、チャネルボンディングＣＢ数は１であり、送信端におけるアンテナの数ＮＴは２、４又は８である。
チャネル構成において、チャネルの最大遅延Ｔｍ、チャネルボンディングＣＢ数及び送信端におけるアンテナの数ＮＴは、以下のパラメータ値の任意の組み合わせである。
チャネルの最大遅延Ｔｍが７２ナノ秒又は３００ナノ秒である、
チャネルボンディングＣＢ数は１、２、３又は４であり、その結果、Ｒｓが１．７６Ｇｂｉｔ／ｓ、３．５２Ｇｂｉｔ／ｓ、５．２８Ｇｂｉｔ／ｓ又は７．０４ＧＢｉｔ／ｓである、及び
送信端におけるアンテナの数ＮＴが１、２、４又は８である。
【０２８１】
任意に、サイクリックプレフィックスはゴレイシーケンスである。
【０２８２】
本発明の本実施形態において提供される技術的解決手段では、生成モジュール８０１は、ＮＴ個のビームトレーニングシーケンスを生成し、次に、送信モジュール８０２は、送信端におけるＮＴ個の送信アンテナを用いることにより、ＮＴ個のビームトレーニングシーケンスを受信端に送信し、受信端が、ＮＴ個のビームトレーニングシーケンスを受信した後に、受信端における各アンテナは、ＮＴ個のビームトレーニングシーケンスに基づいてチャネル推定を実行して、ＮＴ×１個のリンクのチャネル利得を取得することが認識され得る。各ビームトレーニングシーケンスは、サイクリックプレフィックスと、２×Ｎ×Ｌの長さを有するゴレイシーケンスとを含む。ＮＴ個のゴレイシーケンスは互いに直交している。ＮＴは送信端におけるアンテナの数である。Ｌは、チャネルの最大遅延Ｔｍに対応する信号の長さである。ＮＴは正の整数である。Ｎは正の整数である。Ｌは正の整数である。したがって、ビームトレーニングシーケンスが先述の条件を満たすのであれば、ビームトレーニングシーケンスは、もはやアンテナの数、チャネルの遅延拡散値、及び、マルチチャネルボンディングなどのシナリオにより制限されることはなく、その結果、ビームトレーニングシーケンスは、様々なチャネルシナリオ構成に適用可能である。
【０２８３】
装置は、先述の方法の実施形態を実行するように構成される。装置の実装方式は、方法の実施形態の実装方式と同様である。ここで詳細が再び説明されることはない。
【０２８４】
図９は、本発明の実施形態に係るビームトレーニングシーケンスの設計装置の第２実施形態の概略構造図である。装置は、先述の送信端デバイスに統合されてよい。図９に示されるように、装置は、
メモリ９０１、プロセッサ９０２及びＮＴ個の送信アンテナ９０３（図９における送信アンテナのブロックはＮＴ個の送信アンテナを表す）を含んでよい。メモリ９０１、プロセッサ９０２及びＮＴ個の送信アンテナ９０３は、バス９０４を用いることにより共に結合されてよいが、このことは、制限として解釈されることはない。データバスに加えて、バス９０４は、本実施形態においてバスと総称される電力供給バス、制御バス、ステータス信号バスなどをさらに含んでよい。
【０２８５】
メモリ９０１は、プログラム命令を格納するように構成される。
【０２８６】
プロセッサ９０２は、メモリ９０１に格納されたプログラム命令を呼び出して、
ＮＴ個のビームトレーニングシーケンスを生成する手順であって、各ビームトレーニングシーケンスは、サイクリックプレフィックスと、２×Ｎ×Ｌの長さを有するゴレイシーケンスとを含み、ＮＴ個のゴレイシーケンスは互いに直交しており、ＮＴは送信端におけるアンテナの数であり、Ｌは、チャネルの最大遅延Ｔｍに対応する信号の長さであり、ＮＴは正の整数であり、Ｎは正の整数であり、Ｌは正の整数であり、サイクリックプレフィックスの長さはＬである、手順と、
送信端におけるＮＴ個の送信アンテナを用いることにより、ＮＴ個のビームトレーニングシーケンスを受信端に送信する手順であって、各送信アンテナは、１つの対応するビームトレーニングシーケンスを送信する、手順と
を実行するように構成される。
【０２８７】
本発明の本実施形態において、プロセッサ９０２は、具体的には、
予め設定されたゴレイ相補シーケンス生成方式で長さＬを有するゴレイ相補シーケンスのＭ個のペアを生成し、長さＬを有するゴレイ相補シーケンスのＭ個のペアは、有限ＺＨフィールドにおいて規定され、長さＬを有するゴレイ相補シーケンスのＭ個のペアの各ペアは、長さＬを有する２つのゴレイ相補シーケンスを含み、Ｌは、チャネルの最大遅延Ｔｍに対応する信号の長さであり、Ｍ及びＬは共に正の整数であり、ＺＨフィールドはＨ次元エリアであり、
長さＬを有するゴレイ相補シーケンスのＭ個のペアに基づいて、２×Ｎ×Ｌの長さを有するＮＴ個の直交ゴレイシーケンスを取得し、ＮＴは送信端におけるアンテナの数であり、ＮＴは正の整数であり、Ｎは正の整数であり、Ｍの値は、ＮＴの値より大きい又はＮＴの値に等しく、
２×Ｎ×Ｌの長さを有するＮＴ個の直交ゴレイシーケンスのそれぞれの前に、長さＬを有するサイクリックプレフィックスを加えて、ＮＴ個のアンテナを有するチャネルに適用されるビームトレーニングシーケンスを取得する
ように構成される。
【０２８８】
任意に、プロセッサ９０２は、具体的には、
長さＬを有するゴレイ相補シーケンスのＭ個のペアから、長さＬを有するゴレイ相補シーケンスのＮＴ個のペアを取得し、
第１の予め設定された方式でＮ回、長さＬを有するゴレイ相補シーケンスのＮＴ個のペアの各ペアを繰り返し交互に配置して、２×Ｎ×Ｌの長さを有するＮＴ個の直交ゴレイシーケンスを取得する
ように構成される。
【０２８９】
任意に、プロセッサ９０２は、具体的には、
長さＬを有するゴレイ相補シーケンスのＭ個のペアから、長さＬを有するゴレイ相補シーケンスの
【数１２２】
2019525543.tif 000272
個のペアを取得し、
第２の予め設定された方式でＮ回、長さＬを有するゴレイ相補シーケンスの
【数１２３】
2019525543.tif 000273
個のペアの各ペアを繰り返し交互に配置し、繰り返し交互に配置した後に取得されたシーケンスに予め設定された直交行列を乗算して、２×Ｎ×Ｌの長さを有するＮＴ個の直交ゴレイシーケンスを取得するように構成され、予め設定された直交行列は、２×Ｎ次の直交行列である。
【０２９０】
任意に、チャネルの最大遅延Ｔｍに対応する信号の長さＬは、以下のとおりである。
【数１２４】
2019525543.tif 000274
ここで、Ｒｓは、チャネルのシンボルレートである。
【０２９１】
任意に、チャネルのチャネル構成は、以下のチャネル構成のうちのいずれか一つを含む。
チャネルの最大遅延Ｔｍが７２ナノ秒である場合、Ｒｓが１．７６Ｇｂｉｔ／ｓであるように、チャネルボンディングＣＢ数は１であり、送信端におけるアンテナの数ＮＴは２、４又は８である。
チャネル構成において、チャネルの最大遅延Ｔｍ、チャネルボンディングＣＢ数及び送信端におけるアンテナの数ＮＴは、以下のパラメータ値の任意の組み合わせである。
チャネルの最大遅延Ｔｍが７２ナノ秒又は３００ナノ秒である、
チャネルボンディングＣＢ数は１、２、３又は４であり、その結果、Ｒｓが１．７６Ｇｂｉｔ／ｓ、３．５２Ｇｂｉｔ／ｓ、５．２８Ｇｂｉｔ／ｓ又は７．０４ＧＢｉｔ／ｓである、及び
送信端におけるアンテナの数ＮＴが１、２、４又は８である。
【０２９２】
任意に、サイクリックプレフィックスはゴレイシーケンスである。
【０２９３】
本発明の本実施形態において提供される技術的解決手段では、ビームトレーニングシーケンスの設計装置９００は、ＮＴ個のビームトレーニングシーケンスを生成し、次に、送信端におけるＮＴ個の送信アンテナを用いることにより、ＮＴ個のビームトレーニングシーケンスを受信端に送信し、受信端が、ＮＴ個のビームトレーニングシーケンスを受信した後に、受信端における各アンテナは、ＮＴ個のビームトレーニングシーケンスに基づいてチャネル推定を実行して、ＮＴ×１個のリンクのチャネル利得を取得することが認識され得る。各ビームトレーニングシーケンスは、サイクリックプレフィックスと、２×Ｎ×Ｌの長さを有するゴレイシーケンスとを含む。ＮＴ個のゴレイシーケンスは互いに直交している。ＮＴは送信端におけるアンテナの数である。Ｌは、チャネルの最大遅延Ｔｍに対応する信号の長さである。ＮＴは正の整数である。Ｎは正の整数である。Ｌは正の整数である。したがって、ビームトレーニングシーケンスが先述の条件を満たすのであれば、ビームトレーニングシーケンスは、もはやアンテナの数、チャネルの遅延拡散値、及び、マルチチャネルボンディングなどのシナリオにより制限されることはなく、その結果、ビームトレーニングシーケンスは、様々なチャネルシナリオ構成に適用可能である。
【０２９４】
装置は、先述の方法の実施形態を実行するように構成される。装置の実装方式は、方法の実施形態の実装方式と同様である。ここで詳細が再び説明されることはない。
【０２９５】
本発明の実施形態は、コンピュータ記憶媒体をさらに提供する。コンピュータ記憶媒体は、プログラムを格納してよい。プログラムが実行されるときに、先述の方法の実施形態において説明された任意のビームトレーニングシーケンスの設計方法の段階の一部又はすべてが実行される。
【０２９６】
説明を簡潔にすべく、先述の方法の実施形態は、一連の動作として表されていることに留意されたい。しかしながら、当業者であれば、本発明によれば、一部の段階が他のシーケンスにおいて実行されてよい、又は、同時に実行されてよいので、本発明が、説明された動作シーケンスに限定されないことを知っておくべきである。さらに、当業者であれば、明細書において説明されるすべての実施形態は、例示的な実施形態であり、関連する動作及びモジュールが必ずしも本発明に必須ではないことも知っておくべきである。
【０２９７】
先述の実施形態において、各実施形態についての説明は、それぞれ焦点を有する。実施形態において詳細に説明されていない部分については、他の実施形態において関連する説明を参照されたい。
【０２９８】
本願において提供されるいくつかの実施形態では、開示された装置が他の方式で実施されてよいことを理解されたい。例えば、説明された装置の実施形態は、単なる例に過ぎない。例えば、ユニット区分は、単に論理的な区分に過ぎず、実際の実装では他の区分であってよい。例えば、複数のユニット又はコンポーネントは、別のシステムに組み合わせられ又は統合されてよい、又は、一部の特徴は、無視されてよく又は実行されなくてよい。さらに、示され又は説明された相互結合若しくは直接結合又は通信接続は、一部のインタフェースを通じて実装されてよい。装置又はユニット間の間接的な結合又は通信接続は、電気的な又は他の形式で実装されてよい。
【０２９９】
別個の部分として説明されたユニットは、物理的に分離されてもされなくてもよく、ユニットとして示される部分は、物理ユニットであってもなくてもよく、１ヶ所に配置されてよく、又は、複数のネットワークユニット上に分散されてよい。ユニットの一部又はすべては、実施形態の解決手段の目的を達成するために、実際の要件に応じて選択されてよい。
【０３００】
さらに、本発明の実施形態における機能ユニットが１つの処理ユニットに統合されてよい、又は、ユニットのそれぞれが物理的に単独で存在してもよい、又は、２又はそれより多くのユニットが１つのユニットに統合されてよい。統合ユニットは、ハードウェアの形式で実装されてよい、又は、ソフトウェア機能ユニットの形式で実装されてよい。
【０３０１】
統合ユニットがソフトウェア機能ユニットの形式で実装され、独立した製品として販売又は使用される場合、統合ユニットは、コンピュータ可読記憶媒体に格納されてよい。そのような理解に基づいて、本発明の技術的解決手段は基本的に、又は、従来技術に対して貢献する部分は、又は、技術的解決手段のすべて又は一部は、ソフトウェア製品の形式で実装されてよい。コンピュータソフトウェア製品は、記憶媒体に格納され、（パーソナルコンピュータ、サーバ、ネットワークデバイスなどであってよい）コンピュータデバイスに、本発明の実施形態において説明される方法の段階のすべて又は一部を実行するよう命令するいくつかの命令を含む。記憶媒体は、ＵＳＢフラッシュドライブ、リードオンリメモリ（ＲＯＭ、Ｒｅａｄ‐Ｏｎｌｙ  Ｍｅｍｏｒｙ）、ランダムアクセスメモリ（ＲＡＭ、Ｒａｎｄｏｍ  Ａｃｃｅｓｓ  Ｍｅｍｏｒｙ）、リムーバブルハードディスク、磁気ディスク又は光ディスクなど、プログラムコードを格納できる任意の媒体を含む。
【０３０２】
先述の実施形態は、単に本発明の技術的解決手段を説明することを目的としたものに過ぎず、本発明を限定するものではない。先述の実施形態を参照しつつ本発明が詳細に説明されているが、当業者であれば、本発明の実施形態の技術的解決手段の範囲から逸脱することなく、先述の実施形態において説明された技術的解決手段にさらに修正を加えてもよく、又は、これらの一部の技術的特徴に対する均等な置換を行ってよいことを理解されたい。
【国際調査報告】
2019525543.tif 000275
2019525543.tif 000276
2019525543.tif 000277
2019525543.tif 000278